(57)【特許請求の範囲】
【請求項１】
フィルタ光学アセンブリを備えるデバイスであって、該アセンブリが、以下のコンポーネント：
アセンブリマウント底部；
アセンブリマウント上部；
選択された波長の光を除外するための光学フィルタ；および
該光学フィルタと直列したダイクロイックミラー
を備え、
該アセンブリマウント底部およびアセンブリマウント上部が一緒になって、該光学フィルタおよびダイクロイックミラーを取り囲み、
該光学フィルタが、光刺激ルミネセンス材料（ＯＳＬＭ）を刺激する波長を有する励起光を透過させ、
該ダイクロイックミラーが、該励起光がそこで透過するように配置されており、
該ダイクロイックミラーが、該ＯＳＬＭが該励起光によって刺激される際に該ＯＳＬＭにより放射された光を反射するように配置されており、
該デバイスが、
該アセンブリマウント底部と該光学フィルタとの間に挟持された下方ガスケット；
該光学フィルタと該ダイクロイックミラーとの間に挟持された中間ガスケット；および
該ダイクロイックミラーと該アセンブリマウント上部との間に挟持された上方ガスケットを備え、
該下方ガスケット、中間ガスケットおよび上方ガスケットが各々、弾性材料で構成され、そして各々、光が透過し得る開口部を備える、
デバイス。
【請求項２】
前記フィルタ光学アセンブリが、該フィルタ光学アセンブリが備え付けられるフォトオプティカルエンジンフレームの内壁によって、一緒に保持される、請求項１に記載のデバイス。
【請求項３】
前記デバイスが前記フォトオプティカルエンジンフレームを備える、請求項２に記載のデバイス。
【請求項４】
前記デバイスが、前記フォトオプティカルエンジンフレーム上に備え付けられた光源を備え、該光源が前記励起光を放射し、そして該励起光が、前記フィルタ光学アセンブリを通る光路を規定する、請求項３に記載のデバイス。
【発明の詳細な説明】
【技術分野】
【０００１】
この出願は、線量計リーダー用光学システムの名称で、Yoderにより２０１０年４月９日に出願された米国特許出願第12/757,214号の優先権の利益を請求し、この米国出願は、２０１０年１月１２日に出願された放射線量計および放射線リーダー(RADIATION READER)の名称によるYoderの米国仮特許出願第61/294,142号の優先権の利益を請求し、その全体について参照により本明細書中に援用されている。この出願はさらに、以下の米国特許出願を参照する：携帯用線量計との名称で、２０１０年４月９日に出願された米国特許出願第12/757,147号；線量測定法に使用するための新規なフィルタとの名称で、２０１０年４月９日に出願された米国特許出願第12/757,132号；線量計スレッドとの名称で２０１０年４月９日に出願された米国特許出願第12/757,162号；線量計のための携帯用リーダーとの名称で２０１０年４月９日に出願された米国特許出願第12/757,140号；携帯用線量計のためのデータ格納機構および通信機構との名称で２０１０年４月９日に出願された米国特許出願第12/757,168号；線量計リーダーのためのパワーシステムとの名称で２０１０年４月９日に出願された米国特許仮出願第61/322,418号；ＲＦＩＤタグを有する線量計との名称で２０１０年４月９日に出願された米国特許出願第12/757,184号；ならびに線量測定法に使用するための新規なＲＦＩＤタグとの名称で、２０１０年４月９日に出願された米国特許出願第12/757,224号。
【背景技術】
【０００２】
本発明は、ＲＦＩＤタグを備える線量計に関する。
【発明の概要】
【発明が解決しようとする課題】
【０００３】
既存の線量計の読み取り用システムに伴う問題は、特定個々のための放射線量情報を迅速にアップデートすることである。
【課題を解決するための手段】
【０００４】
広範な局面によれば、本発明は、１以上の放射線量を測定するための線量計；ならびにＲＦＩＤタグリーダーとの通信用アンテナおよびデータ格納のための不揮発性メモリを備えるＲＦＩＤタグを備えるデバイスを提供する。
【図面の簡単な説明】
【０００５】
【図１】本発明の１つの実施形態による放射線量計の底部の画像である。
【図２】図１の放射線量計の上部かつ図１の放射線量計の上方ハウジングの上部の画像である。
【図３】図２の上方ハウジングの底部の画像である。
【図４】図１の放射線量計の下方ハウジングの上部の画像である。
【図５】図４の下方ハウジングの底部の画像である。
【図６】図１の放射線量計のスレッドの上部の画像である。
【図７】図６のスレッドの底部の画像である。
【図８】分解状態における参照ＯＳＬセンサを示す図６のスレッドの参照ＯＳＬセンサの画像である。
【図９】組み立てた状態における図６の参照ＯＳＬセンサの画像である。
【図１０】図４の下方ハウジングに滑り込む図６のスレッドの画像である。
【図１１】図４の下方ハウジングに完全に滑り込ませた図６の線量計スレッドの画像である。
【図１２】本発明の１つの実施形態による放射線量計の上方ハウジングの上部斜視図である。
【図１３】図１２の上方ハウジングの底部斜視図である。
【図１４】図１２の上方ハウジングの上面図である。
【図１５】図１２の上方ハウジングの底面図である。
【図１６】図１４のＡ−−Ａ線に沿った図１２の上方ハウジングの断面図である。
【図１７】本発明の１つの実施形態による放射線量計の下方ハウジングの上部斜視図である。
【図１８】図１７の下方ハウジングの底部斜視図である。
【図１９】図１７の下方ハウジングの上面図である。
【図２０】図１７の下方ハウジングの底面図である。
【図２１】図１９のＢ−−Ｂ線に沿った図１７の下方ハウジングの断面図である。
【図２２】図２０のＣ−−Ｃ線に沿った図１７の下方ハウジングの断面図である。
【図２３】図２１のＤ−−Ｄ線に沿った図１７の下方ハウジングの断面図である。
【図２４】図２２のＥ−−Ｅ線に沿った図１７の下方ハウジングの断面図である。
【図２５】本発明の１つの実施形態による線量計の線量計スレッド本体の上部斜視図である。
【図２６】図２５の線量計スレッド本体の底部斜視図である。
【図２７】図２５の線量計スレッド本体の上面図である。
【図２８】図２５の線量計スレッド本体の底面図である。
【図２９】図２５の線量計スレッド本体の側面図である。
【図３０】図２７のＥ−−Ｅ線に沿った図２５の線量計スレッド本体の断面図である。
【図３１】図２５の線量計スレッド本体の端面図である。
【図３２】図３１に示される端部と対向する線量計スレッドの端部の図２５の線量計スレッド本体の端面図である。
【図３３】図２８のＦ−−Ｆ線に沿った図２５の線量計スレッド本体の断面図である。
【図３４】本発明の１つの実施形態による線量計スレッドの底面図である。
【図３５】図３４のＧ−−Ｇ線に沿った図３４の線量計スレッドの断面図である。
【図３６】本発明の１つの実施形態による放射線量計の上方ハウジングの上部斜視図である。
【図３７】本発明の１つの実施形態による放射線量計の上方ハウジングの上部斜視図である。
【図３８】本発明の１つの実施形態による放射線量計の分解図である。
【図３９】図３８の放射線量計の線量計スレッド本体の底面図である。
【図４０】図３８の放射線量計の線量計スレッドの画像である。
【図４１】本発明の１つの実施形態による放射線量計の上方ハウジングの上部斜視図である。
【図４２】図４１の上方ハウジングの底部斜視図である。
【図４３】図４１の上方ハウジングの上面図である。
【図４４】図４１の上方ハウジングの底面図である。
【図４５】図４３のＨ−−Ｈ線に沿った断面図である。
【図４６】本発明の１つの実施形態による線量計の線量計スレッド本体の上部斜視図である。
【図４７】図４６の線量計スレッド本体の底部斜視図である。
【図４８】図４６の線量計スレッド本体の上面図である。
【図４９】図４６の線量計スレッド本体の底面図である。
【図５０】図４６の線量計スレッド本体の側面図である。
【図５１】図４８のＩ−−Ｉ線に沿った図４６の線量計スレッド本体の断面図である。
【図５２】図４６の線量計スレッド本体の端面図である。
【図５３】図５１に示される端部と対向する線量計スレッドの端部の図４６の線量計スレッド本体の端面図である。
【図５４】図４９のＪ−−Ｊ線に沿った図４６の線量計スレッド本体の断面図である。
【図５５】図４６の線量計スレッド本体のＦＮＴＤホルダの拡大斜視図である。
【図５６】線量計の下方ハウジングと、図４１の上方ハウジングと、図４６の線量計スレッドとを一緒に組み合わせてなる、断面図である。
【図５７】図５６の下方ハウジングと上方ハウジングとの間の密封係合部の断面図である。
【図５８】本発明の１つの実施形態によるＯＳＬセンサの上面図である。
【図５９】Ｋ−−Ｋ線に沿った図５８のＯＳＬセンサの断面図である。
【図６０】図５８のＯＳＬセンサのＯＳＬＭに搭載されている内フィルタの上面図である。
【図６１】図６０のＬ−−Ｌ線に沿った図６０の内部フィルタとＯＳＬＭとの断面図である。
【図６２】保持リングが弛緩状態において示される、図５８のＯＳＬセンサの保持リングの上面図である。
【図６３】図６２のＭ−−Ｍ線に沿った図５８の保持リングの断面図である。
【図６４】図５８のＯＳＬセンサの円筒カップ状外フィルタの上面図である。
【図６５】図６４のＮ−−Ｎ線に沿った図６１の外フィルタの断面図である。
【図６６】リストバンドを放射線量計の下方ハウジングの下に通した、本発明の１つの実施形態によるリストバンドを有する本発明の放射線量計の画像である。
【図６７】リストバンドを放射線量計の上方ハウジングの上に通した、本発明の１つの実施形態によるリストバンドを有する本発明の放射線量計の画像である。
【図６８】本発明の１つの実施形態によるクリップを有する本発明の放射線量計の画像である。
【図６９】本発明の１つの実施形態による線量計リーダーの画像である。
【図７０】図６９の線量計リーダーの線量計リーダー本体の拡大画像である。
【図７１】図６９の線量計リーダーの線量計リーダーケースと線量計リーダー本体の画像である。
【図７２】図６９の線量計リーダーの線量計ドロワの画像である。
【図７３】図７２の線量計ドロワのドロワ基部を通じて延びる２つの環状リテーナのうちの１つの拡大画像である。
【図７４】図７２の線量計ドロワのドロワ基部を通じて延びる他の環状リテーナの拡大画像である。
【図７５】図７２の線量計ドロワのドロワ基部における開口部を通じて延びる２つのスプリングタブを示す。
【図７６】図６９の線量計リーダーのＲＦＩＤタグリーダーの拡大画像を提供するためにハウジングカバーが取り除かれた、図６９の線量計リーダーの画像である。
【図７７】図６９の準備領域(ready region)ハウジング、リーダーハウジングおよびＯＳＬリーダーの詳細を示すために、ハウジングカバーが取り除かれた図６９の線量計リーダーの線量計リーダー本体の画像である。
【図７８】図７７のＯＳＬリーダーのスレッドスライダを示す画像である。
【図７９】図７７のＯＳＬリーダーのスレッドスライダモータと、該リーダーハウジングの壁面を示す画像である。
【図８０】ＯＳＬリーダーの光学ライトパイプが見られ得るようにスライダが配置された図７７のＯＳＬリーダーの画像である。
【図８１】図８０の光学ライトパイプの拡大画像である。
【図８２】線量計スレッドがＯＳＬセンサの読み取り位置にない場合に、どのように線量計スレッドが本発明の１つの実施形態によるフォトオプティック(photo-optic)センサの光路を遮断するかを示す概略図である。
【図８３】線量計スレッドがＯＳＬセンサの読み取り位置にある場合に、どのように線量計スレッド内のノッチが図８２の光学センサの光路を開放するかを示す概略図である。
【図８４】図６９の線量計リーダーの線量計リーダー本体の下側の画像である。
【図８５】図７７のＯＳＬリーダーの下側の画像である。
【図８６】完全に下降した位置における図８４の線量計リーダー本体の昇降台の環状リテーナ昇降部の画像である。
【図８７】中間まで上昇した位置における図８７の環状リテーナ昇降部の画像である。
【図８８】完全に上昇した位置における図８７の環状リテーナ昇降部の画像である。
【図８９】図８４の線量計リーダー本体の昇降台の画像である。
【図９０】昇降台のピニオンギアとピニオンギア中の湾曲スロット内に摺動可能に設けられた２つの保持タブとを示す画像である。
【図９１】図８９のピニオンギアおよび保持タブの拡大画像である。
【図９２】図６９の線量計リーダーのフォトオプティカルエンジンフレームの画像である。
【図９３】異なる角度からの図９２のフォトオプティカルエンジンフレームの画像である。
【図９４】図６９の線量計リーダーのＯＳＬリーダーのフォトオプティカルエンジンの分解図である。
【図９５】図９４のフォトオプティカルエンジンの部分分解図であって、組み立てられた状態において単純化した形態でフィルタ光学アセンブリを示し、フォトオプティカルエンジンの本体の側面を内部の詳細をより明らかにするために透明にした図である。
【図９６】一部組み立てられた状態における図９４のフォトオプティカルエンジンの斜視図であって、フォトオプティカルエンジンの種々の特徴について、内部の詳細をより明らかにするために透明にした図である。
【図９７】図９６の部分的に組み立てられたフォトオプティカルエンジンの側面図であって、フォトオプティカルエンジンの種々の特徴について、内部の詳細をより明らかにするために透明にした図である。
【図９８】図９４のフォトオプティカルエンジンのＬＥＤ相互接続ＰＣＢアセンブリの斜視図である。
【図９９】単純化した形態でＬＥＤ相互接続ＰＣＢアセンブリのＰＣＢを示した、図９８のＬＥＤ内部接続ＰＣＢアセンブリの分解図である。
【図１００】内部の詳細を示すためにフォトオプティカルエンジンの一部を取り外した、組み立てられた状態における図９４のフォトオプティカルエンジンの側面図である。
【図１０１】図９９におけるフォトオプティカルエンジンの円で囲んだ領域の断面図である。
【図１０２】図６９の線量計リーダーのＯＳＬリーダーおよびＲＦＩＤタグリーダーの概略図である。
【図１０３】放射線量計が初期位置にある、図６９の線量計リーダーの線量計ドロワに装填された本発明の放射線量計の画像である。
【図１０４】図１０３の放射線量計および放射線ドロワの拡大画像である。
【図１０５】放射線量計の上方ハウジングが放射線量計の下方ハウジングから開放される回転位置にまで回転した、図１０３の放射線量計を示す画像である。
【図１０６】図１０３の放射線量計の下方ハウジングの一部および図６９の放射線リーダーの２つのスプリングタブの断面図であって、線量計ドロワおよび放射線量計が線量計リーダーの線量計準備領域の前に押し出されるにつれて、放射線量計リーダーの２つのスプリングタブが、どのように図１０３の線量計ドロワのドロワ基部上に放射線量計の下方ハウジングを保持するかを示す図である。
【図１０７】図１０３の放射線量計および線量計ドロワが図６９の線量計リーダーの準備領域ハウジングに押し込まれ、そして放射線量計の上方ハウジングが放射線量計の下方ハウジングの上に持ち上げられていることを示す画像である。
【図１０８】図１０３の放射線量計および線量計ドロワが図６９の線量計リーダーの準備領域ハウジングに押し込まれ、そして放射線量計の上方ハウジングが放射線量計の下方ハウジングの上に持ち上げられていることを示す画像である。
【図１０９】図１０３の放射線量計および線量計ドロワが図６９の線量計リーダーの準備領域ハウジングに押し込まれ、そして放射線量計の上方ハウジングが放射線量計の下方ハウジングの上に持ち上げられていることを示す画像である。
【図１１０】準備領域ハウジングに完全に押し込まれた図１０６、１０７および１０８の放射線量計および線量計ドロワを示す画像である。
【図１１１】ハウジングカバーが取り外されて、準備領域ハウジングハウジングにおける放射線量計を備える内部詳細を示す、図１１０に示される状態における放射線リーダーを示す。
【図１１２】上方ハウジングが取り外されて、放射線量計の線量計スレッドに係合するＯＳＬリーダーのスライダを示す、図１１１に示される状態における放射線量計リーダーを示す。
【図１１３】放射線量計の下方ハウジングから引き出され、かつＯＳＬリーダーのプラープッシャー（puller pusher）によりＯＳＬリーダーハウジングに引き込まれた図１１２の線量計スレッドを示す。
【図１１４】線量計スレッドのコンパレータＯＳＬフィルタの読み取り位置までＯＳＬリーダーのスライダにより引き出された、図１１３の線量計スレッドを示す。
【図１１５】線量計スレッドの参照ＯＳＬフィルタの読み取り位置までＯＳＬリーダーのスライダにより引き出された、図１１４の線量計スレッドを示す。
【図１１６】Ａｌ、ＣｕＴおよびＣｕＰフィルタの光子エネルギー応答のグラフである。
【図１１７】Ｃｓ−１３７に対するＡｌ、ＣｕＴおよびＣｕＰフィルタの光子エネルギー応答のグラフである。
【図１１８】ＣｕＴに対するＡｌおよびＣｕＰフィルタの光子エネルギー応答のグラフである。
【発明を実施するための形態】
【０００６】
添付の図面は、本明細書中に援用されかつ本明細書の一部を構成するものであり、本発明の代表的な実施形態を示し、そして上記の一般的な記載および下記の詳細な説明と一緒になって、本発明の特徴を説明する役割を果たすものである。
【０００７】
（定義）
用語の定義が該用語の一般的に使用される意味から外れる場合は、出願人は、特に示さない限りは、以下に提供される定義を用いることを意図する。
【０００８】
本発明の目的のために、方向の用語、例えば、「上部」、「底部」、「上方」、「下方」、「上」、「下」、「左」、「右」、「水平」、「垂直」、「上向き(upward)」、「下向き(downward)」などは本発明の種々の実施形態を記載する際の便宜のために単に使用される。
【０００９】
本発明の目的のために、値、特性または他の因子を用いた数学的計算または論理的決定によって、その数値が引き出された場合、数値または特性は、特定の値、特性、状態の充足、または他の要素に基づく。
【００１０】
本発明の目的のために、用語「入射角」は、放射曲線の方向と検出面に対して直角（垂直）直線との間の角を言う。
【００１１】
本発明の目的のために、用語「近接(close proximity)」は、特定の媒体における荷電粒子の貫通範囲に匹敵する距離を言う。
【００１２】
本発明の目的のために、用語「コンパレータＯＳＬセンサ」は、参照フィルタ材料を含み、そしてＸ線またはガンマ線の非常に低いエネルギーにて参照センサにより決定される線量を調節するために使用されるＯＳＬセンサを言う。本発明のいくつかの実施形態においては、コンパレータＯＳＬセンサの参照フィルタ材料は、ＯＳＬＭ上の薄層コーティングとして付与されるか、あるいは参照ＯＳＬセンサＯＳＬセンサにおけるＯＳＬＭに隣接した薄層フィルムまたはディスクとして備え付けられ得る。本発明の１つの実施形態においては、参照フィルタ材料は、ＯＳＬＭと、ＯＳＬＭが搭載される円筒カップ状フィルタのベースとの間に搭載されるディスクの形状であってもよい。本発明の１つの実施形態においては、コンパレータＯＳＬセンサのＯＳＬＭは、参照フィルタ材料と混合されていてもよく、ＯＳＬＭは参照フィルタ材料中に埋設または懸濁している。
【００１３】
本発明の目的のために、用語「コンバータ材料」は、反跳(recoil)またはノックアウト(knockout)陽子に非電離中性子放射線を変換し得るコンバータ材料を言い、ＯＳＬセンサによって検出され得るか、蛍光原子核飛跡検出器（ＦＮＴＤ）を含み得る。「コンバータ材料」の例としては、高密度ポリエチレン（ＨＤＰＥ）がある。「コンバータ材料」の他の例としては、ポリエチレン（ＰＥ）がある。本発明のいくつかの実施形態においては、コンバータ材料は、ＯＳＬＭ上の薄層コーティングとして付与されてもよく、中性子感応性ＯＳＬＭセンサのＯＳＬＭに隣接する薄層フィルムまたはディスクとして搭載されてもよい。本発明の１つの実施形態においては、コンバータ材料は、ＯＳＬＭと、ＯＳＬＭが搭載される円筒カップ形状フィルタのベースとの間に備え付けられるディスクの形状であってもよい。本発明の１つの実施形態においては、線量計スレッドの本体は、ＨＤＰＥまたはＰＥのようなコンバータ材料から作られており、全体の線量計スレッドは、線量計スレッドに搭載されたＯＳＬＭまたはＦＮＴＤのコンバータ材料として作用し得る。本発明の別の実施形態においては、ＯＳＬＭはコンバータ材料と混合されてもよく、ＯＳＬＭはコンバータ材料中に埋め込まれるかまたは分散している。
【００１４】
本発明の目的のために、用語「円筒カップ形状」とは、円筒の上部または底部が取り外された正円筒の一般形状を有するフィルタをいい、すなわち、このフィルタはディスク形状の底部または上部と、それらから延びる円筒状の壁面を有する。壁面、上部または底部は、線量計に所望される放射線に対する角およびエネルギー補償応答に依存して、同じ材料または異なる材料から形成されていてもよい。
【００１５】
本発明の目的のために、用語「線量測定パラメータ」は、照射発光材料の蛍光画像またはシグナルのプロセッシングから決定される値または数を言い、そして検出器によって吸収される放射線量に直接関連付けられる。
【００１６】
本発明の目的のために、用語「エネルギー補償材料」は、ＯＳＬＭとガンマ照射源またはＸ線照射源との間に配置された場合に、補償またはフィルタ材料がなく晒されたＯＳＬＭと比較して、ガンマエネルギーまたはＸ線エネルギーの範囲にわたって応答を改変する材料を言う。エネルギー補償材料の例としては、銅およびアルミニウムがある。
【００１７】
本発明の目的のために、用語「高速中性子」は、用語「高速中性子」の従来の意味であって、１０ｋｅＶを上回るエネルギーを有する中性子の意味を言う。
【００１８】
本発明の目的のために、用語「フィルタ」は、放射線感知材料（例えば、ＯＳＬＭ）および放射線源の間に配置され、そして放射線感知材料が受ける放射線に作用する任意の構造を言う。例えば、フィルタは、エネルギー補償フィルタ、コンバータ、参照フィルタ、コンフォーマル(conformal)ディスクなどであってもよい。本発明の１つの実施形態においては、エネルギー補償フィルタは、円筒カップ形状のフィルタであってもよい。本発明のフィルタは、光励起されたルミネセンス材料とともに用いられるものとして主に以下に記載されるが、本発明のフィルタは、他のタイプの放射線感知材料（例えば、サーモルミネセンス線量測定（ＴＬＤ）材料）とともに用いられてもよい。ＯＳＬセンサが、カップ形状のフィルタに搭載されるＯＳＬＭディスクを含む本発明の１つの実施形態においては、１以上のフィルタ材料ディスクが、ＯＳＬＭディスクと円筒カップ形状のフィルタのベースとの間に配置され得る。各々のフィルタ材料ディスクはフィルタを構成する。
【００１９】
本発明の目的のために、用語「フィルタ材料」は、フィルタが構成される１つまたは
複数の材料を言う。例えば、フィルタのタイプに依存して、フィルタ材料が、エネルギー補償材料、コンバータ材料、参照フィルタ材料、共形材料などであってもよい。本発明のフィルタ材料は、光励起されたルミネセンス材料とともに用いられるものとして主に以下に記載されるが、本発明のフィルタ材料は、の他のタイプの放射線感知材料（例えば、サーモルミネセンス線量測定（ＴＬＤ）材料）とともに用いられてもよい。
【００２０】
本発明の目的のために、用語「重荷電粒子（ＨＣＰ）」は、陽子と同等またはそれより大きい質量を有する核またはイオンを言う。いくつかの代表的なものとして、限定はされないが、重荷電粒子の例としては、アルファ粒子、トリチウムイオン、陽子、反跳陽子などが挙げられる。
【００２１】
本発明の目的のために、用語「間接電離放射線」はＸ線、ガンマ線または中性子を言う。
【００２２】
本発明の目的のために、用語「電離放射線」は、正荷電および負荷電のイオン対に原子を解離することができる粒子線または電磁波を言う。本発明は、直接電離放射線および間接電離放射線の両方の線量を決定するために使用され得る。
【００２３】
本発明の目的のために、用語「照射(iradiation)」とは、用語「照射」の従来の意味、すなわち、高エネルギー電荷粒子、例えば、電子、陽子、α粒子など、または可視光よりも短い波長の電磁照射線、例えば、ガンマ線、Ｘ線、紫外光などへの曝露を言う。
【００２４】
本発明の目的のために、用語「低透過性放射線」とは、放射線感知材料または吸収材における１００ミクロン（１００μ）未満の透過範囲を有する重荷電粒子からの放射線を言う。低透過性放射線の例としては：α粒子、反跳陽子などである。
【００２５】
本発明の目的のために、用語「最大透過範囲」または「透過範囲」とは、直接電離粒子が停止する媒体内における距離を言う。
【００２６】
本発明の目的のために、用語「減速された中性子」とは、水素または重水素を含有する減速材によって高速中性子を減速することにより製造される中性子を言い、約0.025eV〜約10keVのエネルギー範囲における低エネルギー中性子が大きく寄与する。
【００２７】
本発明の目的のために、用語「中性子・陽子コンバータ」とは、非電離中性子放射線を反跳またはノックアウト陽子（放射線センサにより検出され得る）に変換するために使用され得る、水素含有材料（例えば、高密度ポリエチレン（ＨＤＰＥ））を言う。
【００２８】
本発明の目的のために、用語「中性子感応性ＯＳＬセンサ」とは、中性子を検出するＯＳＬセンサを言う。中性子感応性ＯＳＬセンサはまた、Ｘ線およびガンマ線のような他のタイプの放射線を検出し得る。
【００２９】
本発明の目的のために、用語「ＯＳＬリーダー」とは、ＯＳＬセンサにおけるＯＳＬＭを励起して光を発する光波長を発するデバイスを言う。特定の励起レジメ（連続励起、波長および強度の読み取り、ならびに種々のパルス持続期間、パルス周波数、パルス形状およびパルス間の時間を用いるパルス励起）の下で、発光強度は、約0.01mGy（１mrem）〜約100Gy(10,000rads)を超える範囲の放射線曝露量に比例する。
【００３０】
本発明の目的のために、用語「ＯＳＬセンサ」とは、ＯＳＬＭ製またはＯＳＬＭを含む放射線センサを言う。ＯＳＬセンサはＯＳＬリーダーを用いて読み取りが行われ得る。
【００３１】
本発明の目的のために、用語「受動探知」とは、アクティブ電子回路および電源を必要とすることなく、放射線の検出および／または放射線吸収線量の積算を行う検出技術を言う。
【００３２】
本発明の目的のために、用語「貫通光子放射線(penetrating photon radiation)」とは、宇宙からの、または例えば、Ｘ線装置または加速器における荷電粒子の加速または減速により生じた放射性核崩壊から生じるのと同等の、10keVと同等またはそれより高いエネルギーを有する短波長電磁気放射線を言う。
【００３３】
本発明の目的のために、用語「貫通β放射線」とは、宇宙からの、あるいは原子の放射線誘導電離によってまたは電場の加速によって生じた放射性核崩壊から生じるのと同等の、10keVと同等またはそれ以上のエネルギーを有する電子を言う。
【００３４】
本発明の目的のために、用語「部分」は、物体または材料の任意の部分を言い、これは、物体または材料の全体を含む。例えば、発光材料の「部分」をカバーする変換体は、発光材料の１以上の表面の一部または全てをカバーし得る。
【００３５】
本発明の目的のために、用語「放射線量測定」とは、用語「放射線量測定」の従来の意味、すなわち材料、物体または個体の体に吸収される放射線量の量の測定を言う。
【００３６】
本発明の目的のために、用語「放射線感知材料」とは、放射線センサにおける放射線を感知するために用いる材料を言う。放射線感応性材料の例としては、ＯＳＬセンサのための光学的に励起された発光材料、熱ルミネセンス線量測定（ＴＬＤ）センサのための熱ルミネセンス材料などが挙げられる。
【００３７】
本発明の目的のために、用語「反跳陽子」とは、水素原子源（例えば、ポリエチレンまたは高密度ポリエチレン）を含有するコンバータとの中性子の衝突により発生するそれらの陽子を言う。
【００３８】
本発明の目的のために、用語「参照フィルタ材料」とは、Ｘ線およびガンマ線への有機コンバータ材料の放射線フィルタリングおよび光学吸収ならびに反射効果に類似するＸ線およびガンマ線へのフィルタ効果を有する、所定の光学吸収および反射特性を有する非水素含有の炭素ベースの材料を言う。例えば、「参照フィルタ材料」は、フッ素化プラスチックであるポリテトラフルオロエチレン（DuPont社によりTeflon（商標登録）の商品名で市販）があり、これは、中性子・陽子コンバータ材料である高密度ポリエチレン（ＨＤＰＥ）に類似するＸ線およびガンマ線のフィルタリング効果を有する。参照フィルタ材料は、光学励起および発光の両方に作用し、そして本発明の１つの実施形態による方法の効果を増強するために用いられる。
【００３９】
本発明の目的のために、用語「参照ＯＳＬセンサ」とは、参照フィルタ材料を含み、そして参照フィルタ材料にコンバータ材料を代えたことを除いて、参照ＯＳＬセンサと同一の他のＯＳＬセンサによるＸ線およびガンマ線検出へのコンバータ材料の効果を決定するために使用されるＯＳＬセンサという。本発明のいくつかの実施形態においては、参照ＯＳＬセンサの参照フィルタ材料は、ＯＳＬＭ上の薄層コーティングとして付与され得るか、あるいは参照ＯＳＬセンサ内のＯＳＬＭに近接する薄膜またはディスクとして設けられ得る。本発明の１つの実施形態では、差参照フィルタ材料は、ＯＳＬＭと、ＯＳＬＭが設けられる円筒状カップ形状フィルタの基部との間に設けられるディスクの形状であり得る。多くの放射線量計のために、一列に配列された３つのＯＳＬセンサが用いられ、放射線量計の最適の方向特性はしばしば、参照ＯＳＬセンサが中心ＯＳＬセンサである場合に向上する。本発明の１つの実施形態では、参照ＯＳＬセンサのＯＳＬＭは参照フィルタ材料と混合され得、ＯＳＬＭは参照フィルタ材料中で埋設または懸濁している。
【００４０】
（説明）
現在の個体用放射線監視デバイスでは、放射線センサは、上記センサに達することができる放射線の量、エネルギーおよびタイプを変える１つ以上のフィルタを備えるホルダ内に一般的に取り込まれる。これらのフィルタは、典型的にはセンサをはさみ、上記放射線が様々な入射角から線量計に入るときに、正確な評価をする。センサを解析するために、フィルタとホルダとの間からセンサを取り出し、放射線への曝露後にセンサによって示される量的特性を引き出すのに要するプロセシングシステムに物理的に提供しなければならない。
【００４１】
例えば、フィルム線量計を解析することは、一般的に以下のステップを伴う：１．フィルタ間にはさまれているホルダからフィルムパケットを取り出す；２．光線被りおよび物理的損傷からフィルムを保護する保護パッケージをはがす；３．フィルムを化学薬品で現像する；４．光源と光検出器との間にフィルムを置き、そして、フィルムへの光の透過を、光源と光検出器との間に何も置かれていない参照条件と比較することによって、フィルムの密度を測定する、および；５．フィルムがフィルタ間にはさまれたエリアに相当するフィルムの１つ以上のエリアにおける密度を放射線曝露に関連付ける。
【００４２】
同様に、サーモルミネセンス線量測定（ＴＬＤ）に基づく放射線センサも、ホルダおよびフィルタ間のそれらの位置から取り出し、このセンサがルミネセンスを発しかつそのようなルミネセンスの量を測定するのに必要な非常に高い温度環境下に提供しなければならず、その濃度が放射線量に比例する。必要温度は、典型的には、ホルダおよびいずれかの識別ラベルを燃やし、それにより、ＴＬＤ線量計からのセンサの取り出しを必要とする。最も共通の金属フィルタは、非常に高い温度、例えば２００〜３００℃にて白熱光および他の干渉光をまた引き起こす。分解プロセスは、操作の非効率性を引き起こすたくさんの機械的ステップを伴う。また、ＴＬＤ線量計用の分解プロセス中の多くのステップのために、複雑な識別システムは、完全な一斉管理を確立する必要があるホルダへ、特定の１つ以上のＴＤＬセンサを接続することが必要とされ、それによって、放射線量解析の結果は、放射線に曝露されている特定の人または場所と関連付け得る。ＴＬＤ線量計を分解する一連のステップは、センサを移動させる間に、プロセシング器具にセンサの損傷または損失のリスクをまた導入し、そしてそのようなセンサが再利用のために修復され得るときに、線量計の不正確な再構築もまた導入する。
【００４３】
対照的に、光励起ルミネセンス線量計、ＯＳＬセンサ、に基づく放射線センサは、光路のみを必要とし、それにより、励起光源がＯＳＬセンサを照らし、そして生じた放射線誘導ルミネセンスが、同じまたは代替の光路を通って、ルミネセンス光の量を定量化する光電子増倍管のような光検出器へ戻され得る。１つの実施形態では、本発明は、光路を用い、それにより、光の外ビームはホルダ内部に入り、各ＯＳＬセンサを照らしそしてルミネセンス光が同じ光路に沿ってホルダからから出て行くようにでき、どのフィルタまたは変換材料に関する通常位置から上記センサを取り除く必要がない。光路は、光が伝わることが出来る光ファイバーまたは連続したエアチャンネルのいずれかであり得る。
【００４４】
ＯＳＬ材料およびシステムに関するより多くの情報については、Millerに発行された米国特許第5,731,590号公報；Akselrodに発行された米国特許第6,846,434号公報；Schweitzerらに発行された米国特許第6,198,108号公報；Yoderに発行された米国特許第6,127,685号公報；Akselrodらにより出願された米国特許出願第10/768,094号を参照のこと；これら全ては、その全体について参照により本明細書中に援用されている。光励起ルミネセンス線量測定法、Lars BotterJensenら、Elesevier、2003年；Klemic, G.、Bailey, P.、Miller, K.、Monetti, M.、放射線テロリスト事件の余波における外放射線量測定法、Rad. Prot. Dosim、印刷中；Akselrod, M. S.、Kortov, V. S.およびGorelova, E. A.、Al2O3:Cの調製と特性、Radiat Prot. Dosim、1993年、第47巻、第159-164頁；およびAkselrod, M. S.、Lucas, A. C、Polf, J. C.、McKeever, S. W. S.、Al2O3:Cの光励起ルミネセンス、Radiation Measurements、1998年、第29巻、第（3-4）号、第391-339頁もまた参照のこと。これら全ては、その全体について参照により本明細書中に援用されている。
【００４５】
上記のようなフィルム、ＴＬＤまたはＯＳＬセンサのような受動センサは、いかなる電力も必要とせず、センサの分子構造内に線量を蓄積し、保存する。この特性は受動センサを、電源断のリスクが許容できない状況にとって理想的なものにする。光励起され得る結晶および放射線シンチレーションセンサは、ファイバー光ケーブルの端に接続されている。よってセンサは、放射線領域中のそれらの位置からセンサを取り出すことなく、測定器具に取り付けられ得る。上記センサは、光ファイバーの端に一体的にシールされ、迷光が測定に干渉することを妨げる。光ファイバーは、器具中に作られた光経路にファイバーを合わせる機械的コネクタを介して、光測定器具に接続する。１つのセンサが、１つのファイバーに取り付けられたので、多くのセンサを必要とする放射線量計は、器具中の光量子システムに個々に結合されなければならない多くのファイバーコネクタを持たなければならない。上記コネクタの物理的サイズおよび測定器具に接合されないときに自由端にキャップをつける必要性は、多数のファイバーリードを備える線量計を携帯者にとって非実用的かつ不便なものとする。
【００４６】
本発明の１つの実施形態では、放射線量計の設計は、ＯＳＬセンサが、このＯＳＬセンサが読み取られるまで、解析されている線量計で囲まれることを可能にする。放射線量計は、ＯＳＬセンサおよび解析器具（線量計リーダー）を往復できる励起およびルミネセンス光の量を変更または影響し得るほこりまたは他のものから、ＯＳＬセンサおよび光路を保護する手段をまた提供する。上記設計は、ＯＳＬセンサが永久にスレッドにはめ込まれることを可能にする。よって、センサは、スレッドからＯＳＬセンサを分離しなくても、スレッドによって励起光源およびルミネセンスコレクタに運ばれ得る。線量計スレッドおよびＯＳＬセンサの特異性が、同じ識別ラベルまたはタグを、全ての部分に適用できるようにするため、このことは一斉の管理の助けとなる。上記設計はまた、解析のためにセンサを取り出し得るように線量計をオープンにする手段を有する部品の数および機械的複雑度を減らす。また、スレッドはフィルタもまた備えるため、線量計の全重要要素の位置上の配置が保持され、そして解析のために分解されない。
【００４７】
１つの実施形態では、本発明は、たくさんの物理的ステップを除去し、それにより生産性を改善し、そして大きな数または線量計のより簡易な自動操作ができる。上記設計は、光励起ルミネセンス放射線センサの解析を非常に早い解析方法にする。非常に早い励起およびルミネセンスプロセスのよりよい実施を可能にし、時間単位あたりの解析される単位の点でより大きな生産性を提供する。放射線の曝露の結果として変化する電流、電圧または抵抗のような電気シグナルの測定に基づく放射線センサは、ワイヤーまたは他のタイプの導電経路を介して、電位計、電圧計またはパルスカウンターのような測定器具に接続され得る。それゆえセンサは、ユーザーによって身につけられた上記デバイス内に永久的にパッケージされ得る。そのようなデバイスは、センサ内で放射線によって作られる電離を電極または固形状態のコレクターに引き付けるのに必要な電圧勾配を確立する電力源を、一般的に必要とする。これらのデバイスのタイプは、それらが放射線曝露速度の瞬間的な表示を提供することができる点で、アクティブとして一般的に分類される。メモリケーパビリティが提供されれば、アクティブなデバイスは、速度データを統合して、蓄積された線量の概算を提供し得る。
【００４８】
放射線量測定の最も難しいタスクの１つは、異なる放射線、特に中性子によって作られた線量を区別することである。したがって、中性子は、アルファ粒子、エネルギー陽子などのような直接電離放射線に変換され、そのような結晶によって検出される必要がある。高速中性子の線量計に関して、高密度ポリエチレンのような、水素の豊富なプラスチックからの反跳陽子が、それらが体内に生じる水との相互作用に似ているため、好ましい。これらの中性子のコンバータは、ルミネセンス材料に組み合わされ、付着され、そうでなければ接触されてもよく、ルミネセンス材料と混合または併合されても、あるいはルミネセンス材料の部分となりまたは統合されてもよい。放射性核種および加速施設から発生するアルファおよびベータ粒子ならびに陽子は、宇宙線の重荷電粒子と同様、通常どんな変換も必要としない。
【００４９】
本発明の１つの実施形態では、各ＯＳＬセンサは、ＯＳＬ材料（ＯＳＬＭ）に達することができる、エネルギーまたはガンマ線およびＸ線を変えるエネルギー補償フィルタとして作用する、１つ以上の円筒カップからなるアセンブリを含む。カップは、１つの材料から形成されることができ、または線量計に望まれる方向特性に依存して異なる材料の上部および側面を持ち得る。上部および壁の厚さは、線量計に望まれる方向特性に依存して互いに異なり得る。カップの壁および上部の形状は、平らまたは一定である必要はなく、望まれる方向特性に依存して湾曲されおよび厚さを変えることができる。カップは、それらもまたエネルギー補償フィルタとして作用する上方および下方のハウジングとともに、設計され得る。
【００５０】
本発明の１つの実施形態では、放射線量計は、時計に似た様式にて身につけられ得る。そのような放射線量計に関して、直円柱カップと組み合わされた上方ハウジングで構築される湾曲は、線量計が体の上に付けられたかのように、この線量計が、手首の上に付けられ、そして体への線量を評価することを可能にする。
【００５１】
本発明の１つの実施形態では、下方ハウジングは、カップの口と合致するディスクのようにまたはカップ口の全面を拡張するプレートのいずれかとして、平らなエネルギー補償フィルタを備える。カップに用いられる金属のシークエンスは、より低い原子番号の元素が、より引いエネルギーのＸ線によって、より高い原子番号の元素中に作られた光電子を除去するので、最適なエネルギー成形を与える。光電子は、ＯＳＬＭ中で望ましくない反応を与える。カップは、圧入、接着剤によってスレッド上の定位置に保持され、またはスレッドがカップを包囲するように適切に成型され得る。
【００５２】
多くのカップが１つのセンサに用いられるとき、それらは、圧着作用、圧入または接着剤を介して共に保持される。本発明の多くの実施形態では、一方が他方に含まれる、２つ以下のカップが用いられ得る。これは、実用価値にて、全体の高さ、コストおよびアセンブリを保つ。
【００５３】
間接電離放射線を、直接電離粒子、主にガンマ線およびＸ線からの電子、ならびに中性子のための反跳陽子に変換する変換フィルタが上記カップ内にある。さらに、コンバータは、反射条件を作り、それによりＯＳＬＭを通過する励起光はＯＳＬＭに反射され、それにより励起光のより有効な使用を得る。同様に、コンバータは、カップ内に内向きに伝わるルミネセンス光を、カップ口に戻しそして線量計リーダー中のフォトエンジンのライトパイプに反射する。
【００５４】
本発明の中性子感応性ＯＳＬセンサの１つの実施形態では、中性子を反跳陽子におよびガンマ線／Ｘ線を電子に変換するＨＤＰＥコンバータの厚さは、反跳陽子および電子の最大数を発生する１ｍｍにて最適化される。ＯＳＬＭとＨＤＰＥとの間のよりよい接触を提供するために、ＨＤＰＥの別の薄片を添加してもよい。
【００５５】
本発明の１つの実施形態では、参照ＯＳＬセンサおよびコンパレータＯＳＬセンサに使用されるＰＴＦＥの厚さは、それがガンマ線／Ｘ線を同様の数の電子に変換するものである。この場合、その厚さもまた１ｍｍである。両コンバータの厚さの許容差は±０.１ｍｍであり得る。
【００５６】
上記コンバータおよびフィルタは、接着剤、圧入またはコンバータと接触してＯＳＬＭもまた保持する保持リングのいずれかによって、カップ内部に保持され得る。保持リングは、上記内部カップの内径周りを完全に巻く、直径０.６ｍｍのワイヤーであり得る。保持リングは、ＯＳＬＭを照射する励起光の光出力領域を規定する。
【００５７】
以下に記載しそして図面に示すコンバータおよびフィルタは他の実施形態では平らであるが、コンバータは放物線状であってもよく、ライトパイプへの光反射を高めるがコストがかかる。
【００５８】
エネルギー補償フィルタカップと放射線変換フィルタとの組み合わされた構造は、スレッドに備え付けられたとき、スレッド内にてＯＳＬＭの全てが同じ高さで、それゆえオプティカルエンジンのライトパイプの出口から同じ距離であるものである。
【００５９】
ＨＤＰＥおよびＰＴＦＥの反射および光吸収特性は僅かに異なるので、各センサは個々に較正され得る。これはまた、線量計の正確なアセンブリに必要な上記センサの視覚識別を可能にする。
【００６０】
本発明の１つの実施形態によるＯＳＬＭでの酸化アルミニウム粒子の粒度は、酸化アルミニウム中の反跳陽子の範囲に基づき選択され得る。モンテカルロのシミュレーションおよび実験的確認試験に基づいて、この粒子サイズは放射線保護線量測定に最も関係する高速中性子環境に関して３０と４０ミクロンの間である。一旦、反跳陽子が酸化アルミニウム粒子にそれらのエネルギーを預ければ、どのより大きなサイズも陽子応答を増加し得ないが、電子がより大きな範囲を有するので、ガンマ線／Ｘ線による応答が増加し、それにより中性子：ガンマ線／Ｘ線シグナル比を減少させる。反対に、より小さい粒子は反跳陽子エネルギーを完全に捕捉し得ず、それによりまた中性子：ガンマ線／Ｘ線シグナル比を減少させる。
【００６１】
クリアフィルム上の酸化アルミニウム粒子のコーティングは、最小の水素を有するバインダーを用いて行ってもよく、この場合、参照センサ応答は、ガンマ線およびＸ線のみによるものである。
【００６２】
本発明の１つの実施形態では、最小バインダーコーティングは、粒子の頂部上で使用され得、反跳陽子がそれらのエネルギーを酸化アルミニウムに預けることに干渉しないようにする。
【００６３】
本発明の１つの実施形態では、酸化アルミニウムがコーティングされるフィルムは、青または緑色の光に対して透過性であり、そして０．０５と０．１５ｍｍの間に及ぶ厚さを有し得る。
【００６４】
本発明の１つの実施形態では、ＯＳＬセンサは、本発明のフォトオプティカルエンジンが取り付けられた上記ＯＳＬリーダー内のプレートと接触してスライドする線量計スレッド内に備え付けられている。線量計スレッドは、ＯＳＬセンサに組み合わされ、ＯＳＬリーダーの光ライトパイプの出口から一定の距離にてＯＳＬセンサの各々にＯＳＬＭ材料を保持し、ルミネセンス光の均一な励起および回収を保障する。本発明の１つの実施形態では、線量計スレッドの端部側は湾曲し、湾曲した端部側に最も近く備え付けられたＯＳＬセンサが読み取られとき、円形の光ライトパイプが完全にブロックされることを保障する。
【００６５】
本発明の１つの実施形態では、ＯＳＬセンサが備え付けられている線量計スレッドは、ＰＥまたはＨＤＰＥ製であり得り、その表面部分が、スレッドの下面の凹部上でＦＮＴＤセンサが備え付けられているその領域において、中性子を反跳陽子に変換するのに使用されることを可能にする。
【００６６】
本発明の１つの実施形態では、各センサの中心が、スレッドの長軸に平行する直線に沿う、およびスライド、および次いでセンサをＯＳＬリーダーのフォトエンジンのライトパイプにガイドする線量計リーダーのＯＳＬリーダーのレールシステムの内外への移動軸に沿って並び得る。
【００６７】
本発明の１つの実施形態では、線量計スレッドは、ＲＦＩＤタグにて再生される識別番号が刻み込まれ得る。
【００６８】
本発明の１つの実施形態では、線量計スレッドは、ＲＦＩＤタグが設置されたコンパレータＯＳＬセンサの上方に凹部を有する。ＲＦＩＤタグは、３００ＳＬＥ接着剤または代わりにタグの縁に沿って設置されたＵＶ硬化接着液を用いる３Ｍ接着テープのような接着剤転写テープによって、適所に保持される。ＲＦＩＤタグの設置は、ＲＦＩＤタグリーダーによって作られるＲＦフィールドを金属フィルタが阻害せず、これによりＲＦＩＤタグに正確な読み取りおよび書き込みができるようにするものである。
【００６９】
本発明の１つの実施形態では、ＯＳＬセンサは、ＯＳＬセンサの高さに位置するそれぞれのレッジを備える、線量計スレッドの開口部内に備え付けられている。これらレッジと円筒カップ形状フィルタとの組み合わせはまた、同じ高さにて各ＯＳＬセンサ内でＯＳＬＭを維持するように設計される。
【００７０】
本発明の１つの実施形態では、上記の３つのＯＳＬセンサに加えて、放射線量計は、線量計スレッド内に備え付けられた蛍光原子核飛跡検出器（ＦＮＴＤ）もまた備え得る。ＦＮＴＤは、別の解析条件下、線量測定の代わりの方法を提供する。好適な蛍光原子核飛跡検出器は、「混合放射線のルミネセンス固体線量測定方法」との名称で、Akselrodらにより2008年１０月２４日に出願された米国特許出願第12/258,035号に記載されており、全体の内容および開示は参照により本明細書中に援用されている。
【００７１】
本発明のいくつかの実施形態では、上記の３つのＯＳＬセンサに加えて、または上記のＯＳＬセンサの１つに代えて、線量計スレッドは、他のＯＳＬセンサ内のＯＳＬＭとは異なる第２のタイプのＯＳＬＭを備えるＯＳＬセンサを備え得る。
【００７２】
本発明の１つの実施形態では、線量計スレッドの下面は、ＦＮＴＤ（蛍光原子核飛跡検出器）またはポリアリルジカーボネートプラスチック（商品名ＣＲ−３９で販売されるＰＡＤＣ）を収容する凹部を備え得、中性子からの線量を順次評価する。一片のＰＴＦＥおよび一片のＬｉＦまたはＬｉ装填プラスチックが設置されている２つのウェルが、凹部内にある。これらは、ＦＮＴＤまたはＰＡＤＣが設置された均一表面を作る凹部の上方表面と合致している。それらは、圧入によるまたは接着剤を用いるかのいずれかで、適所に保持される。ＰＴＦＥは、ＯＳＬセンサを用いるその役割に類似の方法にて、参照コンバータとして作用する。スレッドにより作られるＨＤＰＥ表面は、ＨＤＰＥディスクが中性子感応性ＯＳＬのコンバータ材料ディスクとして使用され得る方法と同様に、中性子コンバータとして作用する。リチウムコンバータは、熱および低速エネルギー中性子を、Li-6(n,α)H-3反応から反跳アルファ粒子およびトリチウムイオンに優先的に変換する。ＦＮＴＤおよびＰＡＤＣの両者は、センサの縁の上方を引っかけるスモールタブによって適所に保持される。ＦＮＴＤまたはＰＡＤＣは、スレッドおよびＲＦＩＤタグとマッチングするＩＤ番号が刻み込まれている。
【００７３】
本発明の１つの実施形態では、線量計スレッドの長側面は、下方ハウジングにて、対応するスロット内に挿入される突出レールを有する。レールは縁を面取りし、下方ハウジングの内外への容易な移動ができ、少量のほこりやごみがスライド動作を妨げないで蓄積するスペースを提供する。
【００７４】
１つのレールは、センサのそれぞれの中心と合致する半円形ノッチを有する。これらは、スレッドが、ＯＳＬリーダーでの解析のために正確な位置にあるとき、フォトダイオードが感知できるようにする。上記正確な位置は、励起光がセンサ内のＯＳＬＭの領域を完全に照らすことを可能にするものである。
【００７５】
スレッドの後縁は、ＯＳＬリーダーの第３センサを読み取るときに、特別な光保護を提供する半円形縁を有する。円形の縁は、ライトパイプの縁を超えてスレッドの付加された拡張を提供し、これにより、ＯＳＬ内外へのスレッドの後縁からライトパイプに迷光が入ることを防止する。いくつかの実施形態はこの特徴を省き得る。
【００７６】
前縁は、ＯＳＬリーダー用ハウジング内外に線量計スレッドを引くスライダ上に、Ｕ形状の戻り止めおよびタングを有し、それぞれタングおよびＵ形状の戻り止めを係合する。
【００７７】
センサ上方の開口部は、自動アセンブリ装備による、センサの正しい配置の視覚および電子的検証を許容する。正確な位置を確かめるために電気的接触がなされ、そしてカラーセンサがセンサのフィルタがアルミニウムの代わりに銅、またはその逆であることを確かめるために使用され得る。
【００７８】
上方ハウジングは、円形であるが、成形面を有してもよく、線量計をどこに付けるべきかに関して視覚識別を提供する（例えば、手首用の円、体に付けるための六角面）。
【００７９】
上方ハウジングは、手首または他の身体部上に付けるためにベルトのストラップが挿入され得るスロットの対向ループを有し得る。１つのループが省かれ得、識別バッジのような衣服へのアタッチメントクリップがスロットを通して挿入される。
【００８０】
ハウジングは、型押しまたは刻み込まれたプロダクト識別またはモデル番号を有し得る。
【００８１】
ハウジングは、位置あわせ記号を有し得、線量計リーダーの線量計ドロワ上に線量計を適切に位置決めするのを助ける。
【００８２】
ハウジングは回転方向を示す湾曲した矢印を有し得、上方および下方ハウジングを一緒に保持するねじ山の係合を解く。
【００８３】
ハウジングはポリオキシメチレン（ＤｕｐｏｎｔによるＰＯＭ商品名Ｄｅｌｒｉｎ（商標登録））、ポリカーボネート（Ｌｅｘａｎ）、アセチルブチルスチレン（ＡＢＳ）または他の適切なプラスチック材料で構成され得る。
【００８４】
ハウジングは、ねじ山直下の上方ハウジングの底平面から１５から２５度の角度にて平らな内部表面を有し得、これは下方ハウジングに位置するシール材料と一体化して防水シールを提供する。
【００８５】
上方ハウジングは繋がれ得、９０°反時計回転は、下方ハウジングからハウジングを離し、これらの２つの部品を互いから分離させる。
【００８６】
１つの実施形態では、本発明は、３つのＯＳＬセンサを備える放射線量計を提供する：（１）ガンマ、Ｘ線および中性子放射線を感知する中性子感応性ＯＳＬセンサ、（２）Ｘ線およびガンマ放射線のみを感知する参照センサ、ならびに（３）参照センサのコンパレータＯＳＬセンサ。中性子感応性ＯＳＬセンサは、アルミニウムのような第１のエネルギー補償材料製内フィルタに備え付けられたＯＳＬＭを備える。内フィルタは、銅のような第２のエネルギー補償材料製外フィルタに、同様に取り付けられる。内部補償フィルタとＯＳＬＭとの間に、中性子感応性ＯＳＬセンサによって感知できる反跳陽子に中性子を変換する、高密度ポリエチレンのようなコンバータ材料が設置される。参照ＯＳＬセンサは、中性子感応性ＯＳＬセンサに設置されているコンバータ材料の代わりに、ポリテトラフルオロエチレンのような参照フィルタ材料が、内部補償フィルタとＯＳＬＭとの間に、ＯＳＬＭ上の薄ディスク、薄層としてまたは薄コーティングのいずれかとして、設置されることを除き同一である。コンパレータＯＳＬセンサが参照ＯＳＬセンサの外フィルタを備えないことを除き同一である。
【００８７】
１つの実施形態では、中性子感応性ＯＳＬセンサ、参照ＯＳＬセンサおよびコンパレータＯＳＬセンサが、線量計スレッドに備え付けられ得、このスレッドが放射線量計の外にスライドされて、３つのＯＳＬセンサがＯＳＬリーダーを使用して読み取られる。線量計スレッドに取り付けられ得る。線量計スレッドの設計は、３つのＯＳＬセンサが、同じ側面を、ＯＳＬセンサのＯＳＬＭを覆うフィルタがない各ＯＳＬセンサの露出された側面から読み取られることを可能にする。以下に示す実施形態では、３つのＯＳＬセンサが（１）中性子感応性ＯＳＬセンサ、（２）参照ＯＳＬセンサ，および（３）コンパレータＯＳＬセンサの順で，線量計に備え付けられているけれども、３つのＯＳＬセンサはいかなるの順でも線量計スレッドに備え付けられ得る。
【００８８】
本発明の１つの実施形態では、ＯＳＬセンサに使用されるＯＳＬＭは、Ｌａｎｄａｕｅｒ  Ｉｎｃ.（グレンウッド、I11.）によって製造された特殊化炭素ドープ酸化アルミニウム（Ａｌ２Ｏ３：Ｃ）材料であり、そして商品名がＬＵＸＥＬ＋およびＩＮＬＩＧＨＴの線量計にて市場に出されたものと類似する。ＯＳＬＭは、特別に処方された独占の粉末化Ａｌ２Ｏ３：Ｃからなる。本発明のＯＳＬセンサでの使用のために、Ａｌ２Ｏ３：Ｃ材料はディスク形状ペレットの形態であり得る。
【００８９】
３つのＯＳＬセンサのそれぞれにてＡｌ２Ｏ３：Ｃ材料の電離放射線の曝露は電子を放出し、これは、材料の結晶構造中の欠陥にトラップされる。５２０±１０ｎｍ波長光（すなわち、緑）で励起されたとき、電子はトラップから放出される。それらが基底状態に戻るので、４２０±１０ｎｍ波長光（すなわち、青）が放射される。本発明のＯＳＬセンサを読み取る際にパルス励起システムが用いられるように、他の光波長が用いられ得ることに留意されるべきである。
【００９０】
線量計および線量計を付けている固体が受けるガンマ線およびＸ線放射線の線量は、第２または参照ＯＳＬセンサからの放射光から決定され得、そして第３のコンパレータＯＳＬセンサを読み取った結果に基づいて修正され得る。中性子放射線の放射線量は、第１のＯＳＬセンサの読み取りからの放射量値から第２のＯＳＬセンサの読み取りからの放射線量値を差し引き、そして予期される中性子エネルギースペクトルに適した較正因子を乗じることによって決定され得る。
【００９１】
本発明の１つの実施形態では、放射線量計または線量計の部分（例えば、線量計スレッド）は、ＲＦＩＤタグを備える。ＲＦＩＤタグは、ＲＦＩＤタグがＲＦＩＤタグリーダーのＲＦアンテナと通信することを可能にする高周波（ＲＦ）アンテナを備え、ＲＦＩＤタグリーダーによってＲＦＩＤタグから情報／データが読み取られることを可能とし、そしてＲＦＩＤタグリーダーがＲＦＩＤタグ上に情報を格納することを可能にする。本発明の１つの実施形態では、ＲＦＩＤタグは、ＲＦＩＤタグが、放射線量計および放射線量計の携帯者についての情報を格納することを可能とするフラッシュメモリのような不揮発性データ格納デバイスを備え、線量を計算するのに必要なデータを引き出すためにデータベースにアクセスすることなく、どのリーダーによっても放射線量計のからの読み取りを可能とする。ＲＦＩＤタグが線量計スレッドの部分であるとき、スレッドが線量計内にある間にＲＦＩＤタグが読み取られ得る。ＲＦＩＤタグからのデータの読み取りおよび／またはデータの書き込みのために、線量計が分解される必要がなく、線量計スレッドが、取り出される必要もない。線量計スレッドが線量計スレッドのＯＳＬセンサの１つのための読み取り位置にあるか、またはＲＦＩＤタグのための別個の読み取り位置にあるとき、ＲＦＩＤタグは読み取られ得る。
【００９２】
本発明のＲＦＩＤタグは、以下に記載の本発明の実施形態にて、特定の放射線量計との使用のために記載されているけれども、ＲＦＩＤタグは他のタイプの放射線量計ともまた使用され得る。例えば、ＲＦＩＤタグは、ＩｎＬｉｇｈｔ（商標）の商品名の下でＬａｎｄａｕｅｒ  Ｉｎｃ．，によって製造および販売されるバッジタイプ、ケースタイプおよびスライドタイプの放射線量計ともまた使用され得る。ＲＦＩＤタグは、多様な線量計材料および／または線量計読み取り方法を用いる放射線量計ともまた使用され得、「放射線検出および測定の上昇した感応性のための方法」との名称でMillerに1994年１０月１１日に発行された米国特許第5,354,997号、「合成材料線量計」との名称でMillerに1996年１０月２２日に発行された米国特許第5,567,948号、「合成材料線量計」との名称でMillerに1996年１０月２９日に発行された米国特許第5,569,927号、および「酸化金属合成物線量計方法および材料」との名称でMillerに1998年３月２４日に発行された米国特許第5,731,590号（これらの特許の前内容および開示は、参照により本明細書中に援用される）に記載の線量計材料および／または線量計読み取り方法を含む。
【００９３】
ＲＦＩＤタグは、最後のいくつかの読み取りの結果を格納し得、それにより携帯者が受けた線量履歴を引き出すことが可能となる。ＲＦＩＤタグは識別、日付および時間データを保有し、誰が線量計を割り当てられおよびいつ線量計である動作が実施されたかに関して、一斉の管理を確立する。本発明の１つの実施形態では、ＲＦＩＤタグは以下の情報を伝達し得る：線量計モデルの識別情報、線量計シリアルナンバーおよび線量計が割り当てられた個体の識別番号、各ＯＳＬセンサの較正データ、バックグラウンドの放射線量のビルドアップを概算するのに必要な日時情報、合計の放射線量およびガンマ線からの線量および中性子からの線量、個体への線量計の割り当てに関する日時情報、いつ線量計が読み取られたかの日時情報、ならびに特有のリーダー識別番号を含む線量計の解析の間の線量計リーダーの操作性を表すリーダー品質管理データ。
【００９４】
本発明のＲＦＩＤタグは、線量計リーダーまたはＰＣまたは他のデータ入力デバイスに接続された独立ののＲＦＩＤタグリーダーのいずれかによって、適切なＲＦＩＤアンテナおよび解読コードを使用することに対し読み取られおよび書き込まれ得る。線量計がフィールドから研究所に戻されたとき、線量結果は別個に読み取られ、フィールド結果および調査されたフィールドで得られた線量計結果の最新履歴を検証し、アーカイビング用の認定された放射線量記録を確立するために検討され得る。
【００９５】
本発明の１つの実施形態では、ＲＦＩＤタグは、線量計が、線量計の正確な解析に必要な情報を含むデータベースへのアクセスがない遠隔ののエリアで解析されることを可能とする。ＲＦＩＤタグは線量計の解析の履歴を保有し、線量の再構築が実施され得る。ＲＦＩＤタグは、覆われた操作間、線量計の検出を避けるために制限された読み取り範囲を有する。
【００９６】
１つの実施形態では、線量計リーダーは、線量計リーダーから分離したデータベースと通信し得る。線量計リーダーは、ワイヤレス通信、光ファイバーを介する通信、ワイヤー通信、インターネット通信、電話回線通信などのような多様な方法で、別のデータベースと通信し得る。
【００９７】
本発明のいくつかの実施形態では、線量計は、線量計がデータベース内で個体に割り当てられる前に、個体に与えられ、付けられてもよい。そのような場合に、後日に、線量計が割り当てられた個体の名前、および社会保障番号、ドッグタグ番号などのような他の識別でデータベースがアップデートされ得る。データベースは、線量計が線量計リーダーによって読み取られる初回にさえアップデートされ得る。
【００９８】
１つの実施形態では、本発明の線量計リーダーはバッテリー稼働であり、そして解析の間、動作され得る。線量計リーダーは、解析結果を表示し、パルス光励起ルミネセンス（ＰＯＳＬ）プロセスを実施し、解析結果を保存し、線量計解析の結果を線量計上のＲＦＩＤチップに書き込、ＵＳＢプラグのようなアウトプット機構を有し、それによりデータが遠隔のデータベースまたはＰＣにダウンロードされ得、そしてリーダー設定は線量計リーダーにアップロードされ得る。線量計リーダーは軽量および／または防水および／または浮揚性であり得る。線量計リーダーは水平線から種々の角度で読み取られ得、そしてそういのためのディスプレイおよびボタンを備え得る。
【００９９】
本発明の１つの実施形態では、線量計リーダーは励起光監視および環境光監視を備える。励起光監視は、励起光の一部が送られるフォトダイオードによって伝導され得る。フォトダイオードの応答は監視され、そして正確な励起光レベルについて得られた参照値と比較される。環境光監視は、ＯＳＬセンサに励起光を適用することなく、ルミネセンス計数ルーチンを実施することによって導かれ得る。本発明の線量計は期間および頻度を変動するパルスを採用し得る。線量計リーダーはまた、代わりのＰＯＳＬスキームを選択するルミネセンス強度をチェックし得る。標準解析時間のごく一部の間に解析プロセスを実施し、そして結果を参照値と比較することにより、代わりのＰＯＳＬスキームを選択するルミネセンス励起強度が使用され得、これは、励起光によって生み出されるルミネセンス光を増加または減少させる所与の頻度およびパルス期間にて励起光を操作するようにリーダーに指示し、これにより例えば、光電子増倍管のような光感知システムのための光の最適量を維持する。ルミネセンス強度の測定は非常に短時間、すなわちＯＳＬセンサを読み取るのに必要な時間の約１０％未満であり得る。
【０１００】
図１および２は、上方ハウジング１０４および上方ハウジング１に備え付けられた下方ハウジング１０６を備える、本発明の１つの実施形態による放射線量計１０２を示す。図１は、放射線量計１０２の底部１１２を示し、そして図２は、線量計１０２の上部１１４を示す。上方ハウジング１０４は、円形本体１２０および円形本体１２０のそれぞれ対向する側面１２６および１２８に位置する２つのほぼ台形形状ループ１２２および１２４を備え得る。ループ１２２および１２４の中央を通ってかつ垂直に描かれる破線１３０が示される。下方ハウジング１０６は、下方ハウジング１０６の対向する側面１４８と１５０との間に、３つの円形凹部１４２、１４４および１４６を有する。円形凹部１４２、１４４および１４６の中央を通って描かれる破線１５２が示される。
【０１０１】
図２および３は、上方ハウジング１０４の上方ハウジング上部２０２および上方ハウジング底部２０４を示す。上方ハウジング上部２０２は、放射線量計１０２の上部１１４に対応する。ループ１２２および１２４は、各開口部２１６および２１８を有し、それを通ってストラップ部材（非表示）がねじ込まれ得、放射線量計１０２が個体の手首上に付けられ得る。上方ハウジング上部２０２は、平らな円形上方表面２２０を有し、そして湾曲した矢印２２２および円形位置あわせ記号２２４を備え付け得る。また、上方ハウジング１０４上にエッチングされた英数字識別証印２３２が備えられ得る。上方ハウジング底部２０４の円形内壁２３４は内ねじ山２３６を備える。内壁２３４は、平らな底部２４４と共に円形凹部２４２を取り囲む。
【０１０２】
識別証印は、放射線量計および／または放射線量計をつけている個体を識別し得る。
【０１０３】
図２および３の上方ハウジングの本体は、Dupont社によって商品名Delrin（登録商標）で販売されるポリオキシメチレン（ＰＯＭ）製である。しかしながら、他の実施形態では、上方ハウジングの本体はポリカーボネート、ポリエチレン、スチレンまたは他の耐久性プラスチック材料製であり得る。
【０１０４】
図４および５は、下方ハウジング１０６の下方ハウジング上部４００および下方ハウジング底部４０２示す。下方ハウジング１０６は、円形基部４０４および上方構造４０６を有する。上方構造４０６は、円形外壁４０８を有し、その周囲に一定の間隔でねじ山４１０を有する。下方ハウジング上部４００は、２つの対向する横方向側面４１４および４１６、横方向側面４１４および４１６に垂直の端部壁４１８、傾斜角壁４２０および開口端４２２を有するほぼパンチカード形状のスレッド凹部４１２を備える。横方向側面４１４はインデント４２４を備える。横方向側面４１６はインデント４２６を備える。横方向側面４１４は、横方向側面４１４の長さに沿って動く溝４３２および上方リップ４３４を備え付ける。横方向側面４１６は、横方向側面４１６の長さに沿って動く溝４３６および上方リップ４３８を備える。下方ハウジング上方構造４０６は、上方の平らな表面４４２および下方の平らな表面４４４を備える。スレッド凹部４１２と露出された縁領域４４８内に上方の平らな表面４４２なしとで、下方の平らな表面４４４が露出される。下方ハウジング底部４０２は、平らな底部表面４５２、円形凹部１４２、１４４および１４６、Ｃ形状の溝４５４および２つのひし形状凹部４５６および４５８を有する。Ｃ形状の溝４５４の対向する端４６２および４６４は、間隙４６６によって分離されている。それぞれの円形銅フィルタディスク４７２および４７４は、円形凹部１４２および１４４に挿入され、そしてエネルギー補償フィルタとして働く。銅フィルタディスク４７２および４７４は、圧入、適所成形または接着剤の使用によって、円形凹部１４２および１４４内に適所に保持される。
【０１０５】
図４および５の下方ハウジングの本体は、Dupont社によって商品名Delrin（登録商標）で販売されるポリオキシメチレン（ＰＯＭ）製である。しかしながら、他の実施形態では、下方ハウジングの本体はポリカーボネート、ポリエチレン、スチレンまたは他の耐久性プラスチック材料製であり得る。
【０１０６】
図６および７は、スレッド本体６０２、互いに対向するスレッド上部面６０４およびスレッド底部表面６０６を備える、本発明の１つの実施形態による線量計スレッド６００を示す。スレッド本体６０２は３つの開口部６０８、６１０および６１２を備える。開口部６０８、６１０および６１２は、それぞれの上部部分６１４、６１６および６１８ならびにそれぞれの底部部分６２０、６２２および６２４を備える。中性子感応性ＯＳＬセンサ６２６、参照ＯＳＬセンサ６２８およびコンパレータＯＳＬセンサ６３０は、開口部６０８、６１０および６１２それぞれ内に備え付けられ、そして中性子感応性ＯＳＬセンサ６２６、参照ＯＳＬセンサ６２８およびコンパレータＯＳＬセンサ６３０をスレッド本体６０２に圧入することによって適所に保持される。上部部分６１４、６１６および６１８は、それぞれの開口部６０８、６１０および６１２のそれぞれ底部部分６２０、６２２および６２４よりも小さいので、中性子感応性ＯＳＬセンサ６２６、参照ＯＳＬセンサ６２８およびコンパレータＯＳＬセンサ６３０は、上部部分６１４、６１６および６１８によってそれぞれ開口部６０８、６１０および６１２に形成された、それぞれの円形レッジ（図６および７では見えない）を隣接する。
【０１０７】
図６および７の本発明の実施形態でのＯＳＬセンサは圧入によってスレッド内に保持されるけれども、他の実施形態では、ＯＳＬセンサは、接着剤で適所に保持され得る。他の実施形態では、ＯＳＬセンサは、プラスチックスレッドによってＯＳＬセンサがそれぞれ完全に捕捉されるように適所に成形され得る。
【０１０８】
中性子感応性ＯＳＬセンサ６２６は、ＯＳＬＭ６３２のディスク形状ペレット、コンバータ材料ディスク（図６および７では見えない）、円筒カップ形状内フィルタ６３４およ円筒カップ形状外フィルタ６３６を備える。ＯＳＬＭ６３２およびコンバータ材料ディスクは、保持リング６３７によって内フィルタ６３４内に適所に保持されている。コンバータ材料ディスクは、ＯＳＬＭ６３２と内フィルタ６３４との間に狭持されている。保持リング６３７はスプリング型の保持リングであり、そして圧縮によって内フィルタ６３４内に適所に保持される。保持リング６３７が内フィルタ６３４内に圧縮されたとき、保持リング６３７の端部６３８および６３９は互いに隣接する。内フィルタ６３４は、内フィルタ６３４を外フィルタ６３６に圧入することによって、外フィルタ６３６内に備え付けられ、そして保持される。ＯＳＬＭ６３２は、フィルタされる側面（図６および７では見えない）、すなわちコンバータ材料ディスク、内フィルタ６３４および外フィルタ６３６によってフィルタされたＯＳＬＭ６３２の側面を備える。中性子感応性ＯＳＬセンサ６２６は、図７に示す曝露側面６４０を備え、それは、ＯＳＬＭ６３２が曝されたＸ線、ガンマおよび中性子放射線の組み合わされた線量が、ＯＳＬリーダーによって読み取られることを可能にする。保持リング６３７は、ＯＳＬＭ６３２の曝露側面６４０上に備え付けられている。ＯＳＬＭ６３２はＡｌ２Ｏ３：Ｃ材料を含む。内フィルタ６３４はアルミニウム製である。外フィルタ６３６は銅製である。保持リング６３７はステンレス鋼製である。コンバータ材料ディスクは、高密度ポリエチレから作られる薄ディスクである。
【０１０９】
参照ＯＳＬセンサ６２８は、ＯＳＬＭ６４２のディスク形状ペレット、参照フィルタ材料ディスク（図６および７では見えない）、円筒カップ形状内フィルタ６４４および円筒カップ形状外フィルタ６４６を備える。ＯＳＬＭ６４２および参照フィルタ材料ディスクは、保持リング６４７によって内フィルタ６４４内に適所に保持されている。参照フィルタ材料ディスクは、ＯＳＬＭ６４２と内フィルタ６４４との間に狭持されている。保持リング６４７はスプリング型の保持リングであり、そして圧縮によって内フィルタ６４４内に適所に保持される。保持リング６４７が内フィルタ６４４内に圧縮されたとき、保持リング６４７の端部６４８および６４９は互いに隣接する。内フィルタ６４４は、内フィルタ６４４を外フィルタ６４６に圧入することによって、外フィルタ６４６内に備え付けられ、そして保持される。ＯＳＬＭ６４２はフィルタされた側面（図６および７では見えない）、すなわち参照フィルタ材料ディスク、内フィルタ６４４および外フィルタ６４６によってフィルタされたＯＳＬＭ６４２の側面を備える。ＯＳＬＭ６４２は、図７に示す光経路を確立する曝露側面６５０を有し、それは、ＯＳＬＭ６４２が曝露されたＸ線およびガンマ線の組み合わされた線量が、ＯＳＬリーダーによって読み取られることを可能にする。保持リング６４７は、ＯＳＬＭ６４２の曝露側面６５０上に備え付けられている。ＯＳＬＭ６４２はＡｌ２Ｏ３：Ｃ材料を含む。内フィルタ６４４はアルミニウム製である。外フィルタ６４６は銅製である。保持リング６４７はステンレス鋼製である。参照フィルタ材料ディスクは、ポリテトラフルオロエチレン製の薄ディスクである。
【０１１０】
コンパレータＯＳＬセンサ６３０は、ＯＳＬＭ６５２のディスク形状ペレット、参照フィルタ材料ディスク（図６および７では見えない）、および円筒カップ形状フィルタ６５４を備える。ＯＳＬＭ６５２および参照材料フィルタディスクは、保持リング６５５によってフィルタ６５４内に適所に保持されている。参照フィルタ材料ディスクは、ＯＳＬＭ６５２とフィルタ６５４との間にはさまれる。保持リング６５５はスプリング型の保持リングであり、そして圧縮によって内フィルタ６４４内に適所に保持される。保持リング６５５がフィルタ６５４内に圧縮されたとき、保持リング６５５の端６５６および６５７は互いに隣接する。ＯＳＬＭ６５２はフィルタされた側面（図６および７では見えない）、すなわち参照フィルタ材料ディスクおよびフィルタ６５４によってフィルタされたＯＳＬＭ６５２の側面を備える。ＯＳＬＭ６５２は、図７に示す曝露側面６５８を有し、それは、ＯＳＬＭ６５２が曝露されたＸ線およびガンマ線の組み合わされた線量が、ＯＳＬリーダーによって読み取られることを可能にする。保持リング６５５は、ＯＳＬＭ６５２の曝露側面６５８上に備え付けられている。ＯＳＬＭ６５２はＡｌ２Ｏ３：Ｃ材料を含む。フィルタ６５４はアルミニウム製である。保持リング６５５はステンレス鋼製である。参照フィルタ材料ディスクは、ポリテトラフルオロエチレン製の薄ディスクである。
【０１１１】
中性子感応性ＯＳＬセンサ６２６と参照ＯＳＬセンサ６２８とは、参照ＯＳＬセンサ６２８内のポリテトラフルオロエチレンディスクを、中性子感応性ＯＳＬセンサ６２６内の高密度ポリエチレンディスクに代替したことを除き、同一である。コンパレータＯＳＬセンサ６３０は、フィルタ６５４が外フィルタ内に備え付けられないことを除き、参照ＯＳＬセンサ６２８と同一である。コンパレータＯＳＬセンサ６３０では、フィルタ６５４が外フィルタとして機能する。
【０１１２】
中性子感応性ＯＳＬセンサ６２６、参照ＯＳＬセンサ６２８およびコンパレータＯＳＬセンサ６３０は、それらが同じＯＳＬＭディスク、同じ円筒カップ形状内フィルタおよび同じ保持リングを有する点で、互いに類似する。中性子感応性ＯＳＬセンサ６２６、参照ＯＳＬセンサ６２８およびコンパレータＯＳＬセンサ６３０は、ＯＳＬＭディスクと内フィルタとの間に狭持されたフィルタ材料のディスクもまたそれぞれ備える。ＯＳＬセンサそれぞれを構成する構成要素におけるこの類似性は、センサ内の励起およびルミネセンス光の反射および散乱の一貫した光学条件を維持する。
【０１１３】
スレッド上面６０４内のほぼ円形の凹部６５９内に、円形の高周波ＩＤ（ＲＦＩＤ）タグ６６０が備え付けられている。ＲＦＩＤタグ６６０は、３Ｍ社製の両面接触接着フィルムによって、凹部６５９内で適所に保持される。ＲＦＩＤタグ６６０はアンテナ６６１およびメモリチップ６６２を備える。スレッド本体６０２は、２つの平行する横方向側面６６３および６６４、２つの平行する直線端部側６６６および６６８、ならびに２つの傾斜角側面６７０および６７２を備える。中性子感応性ＯＳＬセンサ６２６と直線端部側６６６端との間に領域６７３がある。レール６７４は、横方向側面６６３から突出する。横方向側面６６３は、横方向側面６６３の下半分上の横方向側面６６３の長さに沿ってレール６７４を備える。横方向側面６６４は、横方向側面６６４の下半分上の横方向側面６６４の長さに沿ってレール６７６を備える。レール６７６は、横方向側面６６４から突出する。横方向側面６６３は、端部側６６８近くにＵ形状の戻り止めおよびタング６７９を備える。レール６７４は、３つの半円配置ノッチ６８０、６８２および６８４を備える。スレッド底部面６０６は、インデント６８８、６９０、６９２、６９４および６９６を備える凹部６８６を備える。スレッド上部面６０４は、上方ハウジング１０４上の英数字識別証印２３２に適合する英数字識別証印６９８を備える。
【０１１４】
上に記載されそして図６および７に示されている本発明の実施形態では、線量計スレッド上にＲＦＩＤタグを適所に保持するために両面接触接着フィルムが使用されているが、ＲＦＩＤタグは他の手段によって線量計上に保持されてもよい。例えば、ＲＦＩＤタグは、ＲＦＩＤタグの外側に沿って設置されたＵＶ硬化接着剤を使用して、線量計スレッドに接着され得る。
【０１１５】
本発明の１つの実施形態では、ＯＳＬセンサ６２６、６２８および６３０が、線量計リーダーによって順次読み取られつつあるとき、位置決めノッチ６８０、６８２および６８４が用いられ得る、ＯＳＬリーダー内でそれぞれ順次ＯＳＬセンサを適切に位置付けるために用いられ得る。位置決めノッチ６８０が用いられ得る、線量計リーダー内で中性子感応性ＯＳＬセンサ６２６を適切に位置付けるために用いられ得る。位置決めノッチ６８２が用いられ得る、ＯＳＬリーダー内で参照ＯＳＬセンサ６２８を適切に位置付けるために用いられ得る。位置決めノッチ６８４が用いられ得る、線量計リーダー内でコンパレータＯＳＬセンサ６３０を適切に位置付けるために用いられ得る。
【０１１６】
本発明の１つの実施形態では、位置決めノッチを配置することは、励起光およびルミネセンス光が一貫して適用されそして捕捉されるように、ＯＳＬセンサをＯＳＬリーダーの光経路と合致させるために用いられ得る。線量計スレッドがＯＳＬリーダー内に移動されると、ノッチがフォトオプティックセンサ用の光路を開き、電子回路を完備し、それにより、線量計リーダー管理システムは、ＯＳＬセンサがＯＳＬリーダーのフォトエンジンの上に正確に位置付けられ、解析可能となることを知る。
【０１１７】
図８は、内フィルタ６４４が外フィルタ６４６から取り外された、分解状態にある参照ＯＳＬセンサ６２８を示す。図９は、内フィルタ６４４が外フィルタ６４６内に備え付けられた、組み立てられた状態にある参照ＯＳＬセンサ６２８を示す。ＯＳＬＭ６４２と内フィルタ６４４との間にはさまれたポリテトラフルオロエチレンのディスクは、図８および９では見えない。図８および９の画像内の光のために、保持リング６４７は図８および９にて容易に見ることができない。
【０１１８】
図８にて、ＯＳＬＭ６４２、ポリテトラフルオロエチレンディスク（図８では見えない）、内フィルタ６４４および保持リング６４７の組み合わせはまた、コンパレータＯＳＬセンサ６３０の組み立てられた状態にもまた相当する。
【０１１９】
図１０は、下方ハウジング１０６のスレッド凹部４１２内にスライドつつある線量計スレッド６００を示す。線量計スレッド６００のレール６７４は、下方ハウジング１０６の上方リップ４３４の下の溝４３２内でスライドする。線量計スレッド６００のレール６７６は、下方ハウジング１０６の上方リップ４３８の下の溝４３６内でスライドする。
【０１２０】
図１１は、完全にスレッド凹部４１２内にスライドした線量計スレッド６０２を示し、線量計スレッド本体６０２の端部側６６６が下方ハウジング１０６の端部壁４１８に隣接し、そして線量計スレッド６０２の傾斜角側６７０が下方ハウジング１０６の角壁４２０に隣接し、すなわち、線量計スレッド６０２は、スレッド凹部４１２に相補的に適合する形状を有する。図１１に示す構成では、線量計スレッド６０２は、下方ハウジング１０６内に「備え付けられて」いると考えられる。図１１に示す構成では、下方ハウジング１０６の銅フィルタディスク４７２および４７４は、線量計スレッドの６０２の中性子感応性ＯＳＬセンサ６２６および参照ＯＳＬセンサ６２８のそれぞれの直下に配置され、そして下方ハウジング１０６の円形凹部１４６のそれぞれは、線量計スレッド６０２のコンパレータＯＳＬセンサ６３０の直下に配置される。
【０１２１】
円形凹部１４６内には銅フィルタディスクはない。コンパレータＯＳＬセンサ６３０は、Ｘ線の超低エネルギーで参照ＯＳＬセンサによって決定される線量を調整するために使用され得るためである。それゆえ、中性子感応性ＯＳＬセンサ６２６および参照ＯＳＬセンサ６２８と違って、コンパレータＯＳＬセンサ６３０の下に下方ハウジング底部４０２内に備え付けられたフィルタがあることは望ましくない。
【０１２２】
本発明の代わりの実施形態では、２つの銅フィルタディスクを使用する代わりに、長方形フィルタプレートが、下方ハウジングのスレッド凹部内の長方形プレート凹部内に備え付けられてもよい。銅フィルタディスクと同様に、線量計スレッドが完全にスレッド凹部にスライドするとき、フィルタプレートシールドが、中性子感応性ＯＳＬセンサと参照ＯＳＬセンサとの間に設置される。下方ハウジング内のより露出の少ない位置にフィルタプレートを備え付けることによって、フィルタプレートは、線量計の下方ハウジングの底部上で永久的に露出される銅フィルタディスクよりも良好に保護される。
【０１２３】
下方ハウジング１０６は、その中に線量計スレッド６０２がスライドされ／備え付けられ、上方ハウジング１０４のねじ２３６および下方ハウジング１０６のねじ山４１０を使用する上方ハウジング１０４内に、下方ハウジング１０６をねじ込むことによって、上方ハウジング１０４に備え付けられ得る。上方ハウジング１０４の配向線１３０が、下方ハウジング１０６の線１５２と平行するとき、下方ハウジング１０６は、上方ハウジング１０４内の適所に保持される。上方ハウジング１０４は、ループ１２２および１２４を掴むことならびに上方ハウジングを９０°反時計に回転することによって、下方ハウジング１０６から分離され得、上方ハウジング１０４および下方ハウジングは図１に示されるように向けられる。図１に示される構成にて、配向線１３０は配向線１５２に垂直である、そして上方ハウジング１０４は、下方ハウジング１０６に関して外された位置にある。
【０１２４】
図１２、１３、１４、１５および１６は、本発明の１つの実施形態による放射線量計の上方ハウジング１２００を示す。図１２および１４は、上方ハウジング上部１２０２を示す。図１３および１５は、上方ハウジング底部１２０４を示す。上方ハウジング１２００は、円形本体１２０６および円形本体１２０６のそれぞれ対向する側面１２１６、および１２１８上に設置された２つのほぼ台形のループ１２１２および１２１４を備える。ループ１２１２および１２１４はそれぞれの開口部１２２６および１２２８を備え、これらを通じてストラップ部材（図示せず）がねじ込まれ得、線量計が個体の手首上につけられ得る。上方ハウジング上部１２０２は、円形に沿った部分１２３０および平らな円形上部表面１２３２を有し、そして湾曲した矢印１２４２、円形位置あわせ記号１２４４および浅い角丸長方形凹部１２４６を備える。本発明の１つの実施形態では、英数字識別証印（図示せず）を持つラベルが、浅い角丸長方形凹部１２４６内で上方ハウジング上部１２０２に接着され得る。本発明のもう１つの実施形態では、英数字識別証印（図示せず）が、浅い角丸長方形凹部１２４６内に刻み込まれ得る。上方ハウジング底部１２０４の円形内壁１２５４は、内ねじ山１２５６を備える。内壁１２５４は、円形凹部１２６２を平らな底部１２６４で囲む。
【０１２５】
図１７、１８、１９、２０、２１、２２、２３および２４は、本発明の１つの実施形態による放射線量計の下方ハウジング１７００を示す。図１７および１９は、下方ハウジング上部１７０２を示す。図１８および２０は、下方ハウジング底部１７０４を示す。下方ハウジング１７００は、円形下方ハウジング基盤、周囲に間隔を置いて配置されたねじ山１７１２を有する円形下方内壁１７１０を有する円形ディスク形状プラットフォーム１７０８を有する。プラットフォーム１７０８は、長方形フィルタプレート凹部１７１６を備える平らな上部表面を備える。薄長方形エネルギー補償フィルタプレート（図１７、１８、１９、２０、２１、２２、２３および２４に示さず）は、フィルタプレート凹部１７１６内に備え付けられ得る。上部表面１７１４の上部に２つの上部構造１７１８および１７２０があり、それらはそれぞれの上部表面１７２２および１７２４を有する。上部構造１７１８は、湾曲した外レール１７２６を備える。上部構造１７１８および１７２０は、２つの対向する横方向側面１７３０および１７３２、端部壁１７３４、傾斜角壁１７３６および開口端１７３８を有するスレッド凹部１７２８を定める。端部壁１７３４は、湾曲した壁部分１７４０を備える。横方向側面１７３０はインデント１７４４を備える。横方向側面１７３２は、インデント１７４６を備える。横方向側面１７３０は、横方向側面１７３０の長さに沿って溝１７５２および上方リップ１７５４を備える。横方向側面１７３２は、横方向側面１７３２の長さに沿って溝１７５６および上方リップ１７５８を備える。下方ハウジング底部１７０４は、平らな底部表面１７７２、Ｃ形状溝１７７４、２つのひし形凹部１７７６および１７７８、およびエッチングされた矢印１７８０を有する。Ｃ形状溝１７７４の対向端部１７８２および１７８４は、間隙１７８６によって分離されている。ひし形凹部１７７６は、ひし形凹部１７７６の外側端１７９４に、リップ１７９０および切下げ１７９２を備える。ひし形凹部１７７８は、凹部の外側端１７７８に、リップ１７９６および切下げ１７９８を備える。フィルタプレート凹部１７１６は、スレッド凹部１７２８内に設置され、フィルタプレート凹部１７１６内に備え付けられたフィルタプレート（図示せず）は、スレッド凹部１７２８にスライドされた線量計スレッド（図１７、１８、１９、２０、２１、２２、２３および２４に示さず）、中性子感応性ＯＳＬセンサおよび参照ＯＳＬセンサに対するシールドを提供する。
【０１２６】
図２５、２６、２７、２８、２９、３０、３１、３２および３３は、本発明の１つの実施形態による線量計スレッド本体２５０２を示す。図２５および２７は、線量計スレッド本体２５０２のスレッド本体上部面２５０４を示す。図２６および２８は、線量計スレッド本体２５０２のスレッド本体底部表面２５０６を示す。スレッド本体上部面２５０４およびスレッド本体底部表面は、互いに対向している。線量計スレッド本体２５０２は、３つの開口部２５１０、２５１２および２５１４を備える。開口部２５１０、２５１２および２５１４は、それぞれの上部部分２５１８、２５２０および２５２２ならびにそれぞれの底部部分２５２４、２５２６および２５２８を備える。上部部分２５１８および２５２０は、開口部２５１０および２５１２のそれぞれの底部部分２５２４および２５２６よりも小さいので、円形レッジ２５４０および２５４２は、上部部分２５１８および２５２０によって、開口部２５１０および２５１２内に形成される。上部部分２５２２は、開口部２５１４の底部部分２５２８よりも小さいので、開口部２５１４内の円形レッジ２５４４は、上部部分２５２２によって形成される。円形ＲＦＩＤタグ（図示せず）は、スレッド本体上部面２５０４内の、ほとんど円形の凹部２５５６に備え付けられ得る。線量計スレッド本体２５０２は、２つの平行の横方向側面２５６２および２５６４、湾曲した端部側２５６６、実質的に直線の端部側２５６８、および２つの傾斜角側２５７０および２５７２を備える。横方向側面２５６２は、横方向側面２５６２の下半分上の横方向側面２５６２の長さに沿ってレール２５７４を備える。レール２５７３は横方向側面２５６２から突出している。レール２５７４は、縁２５７５が面取りされている。横方向側面２５６４は、横方向側面２５６４の下半分上の横方向側面２５６４の長さに沿ってレール２５７６を備える。レール２５７６は、横方向側面２５６４から突出している。レール２５７６は、縁２５７７が面取りされている。横方向側面２５６２は、端部側２５６８付近のＵ形状の戻り止め２５７８およびタング２５７９を備える。レール２５７４は、３つの半円形位置決めノッチ２５８０、２５８２および２５８４を備える。スレッド本体底部面２５０６は、底部面凹部２５８６を備える。底部面凹部２５８６は、インデント２５８８、２５９０、２５９２、２５９４および２５９６を備える。スレッド上部面は、英数字証印２５９８を備える。ＦＮＴＤ（図示せず）は、底部面凹部２５８６に備え付けられ得る。底部面凹部２５８６内のインデント２５８８、２５９０、２５９２、２５９４および２５９６は、ＦＮＴＤを底部面凹部２５８６内に備え付けそして底部面凹部２５８６からＦＮＴＤを取り外すのを補助する。
【０１２７】
線量計スレッドのレールの縁の面取りは、下方ハウジング内のレールとスレッド凹部との間にチャネルを提供し、スレッド凹部内外でスライド動作を妨げないで少量のほこりやごみが蓄積することを可能にする。
【０１２８】
図３４および３５は、線量計スレッド本体２５０２を備える線量計スレッド３４０２を示す。線量計スレッド３４０２では、中性子感応性ＯＳＬセンサ３４１０、参照ＯＳＬセンサ３４１２およびコンパレータＯＳＬセンサ３４１４が、線量計本体３５０２のそれぞれ開口部２５１０、２５１２および２５１４に備え付けられ、そして、ＯＳＬセンサ３４１０、参照ＯＳＬセンサ３４１２およびコンパレータＯＳＬセンサ３４１４を、それぞれ開口部２５１０、２５１２および２５１４内に圧入することによって適所に保持される。中性子感応性ＯＳＬセンサ３４１０、参照ＯＳＬセンサでは３４１２およびコンパレータＯＳＬセンサ３４１４は、それぞれ円形のレッジ２５４０、２５４２および２５４４に隣接する。中性子感応性ＯＳＬセンサ３４１０は湾曲した端部側２５６６に最も近いＯＳＬセンサである。
【０１２９】
ＯＳＬセンサ３４１０は湾曲した端部側２５６６の近くにあるので、線量計スレッド６００の中性子感応性ＯＳＬセンサ６２６と直線端部側６６６との間の領域６７３がより狭いのに比べて、湾曲した端部側２５６６は、ＯＳＬセンサ３４１０と端部側２５６６との間の領域３４１６を拡張するために湾曲され、中性子感応性ＯＳＬセンサ３４１０がＯＳＬリーダーによって読み取られるとき、ＯＳＬリーダーの円形光学ライトパイプ（図３４および３５に示さず）が完全に覆われることを保障する。端部側２５６８とＯＳＬセンサ３４１４との間に、ＯＳＬリーダーの光学ライトパイプを覆うのに十分な距離があり、端部側２５６８を湾曲することは重要ではない。
【０１３０】
中性子感応性ＯＳＬセンサ３４１０は、ＯＳＬＭ３４２２のディスク形状ペレット、コンバータ材料ディスク３４２４、円筒カップ形状内フィルタ３４２６および円筒カップ形状外フィルタ３４２８を備える。ＯＳＬＭ３４２２およびコンバータ材料ディスク３４２４は、保持リング３４３０によって内フィルタ３４２６内に適所に保持される。コンバータ材料ディスク３４２４は、ＯＳＬＭ３４２２と内フィルタ３４２６との間に狭持される。保持リング３４３０はスプリング型の保持リングであり、そして圧縮によって内フィルタ３４２６内に適所に保持される。内フィルタ３４２６内に圧縮されるとき、保持リング３４３０の端３４３２および３４３４は互いに隣接する。内フィルタ３４２６は、内フィルタ３４２６を外フィルタ３４２８に圧入することによって、外フィルタ３４２８内に備え付けられ、そして適所に保持される。ＯＳＬＭ３４２２はフィルタされた側面３４３６、すなわちコンバータ材料ディスクによってフィルタされたＯＳＬＭ３４２２の側面、内フィルタ３４２６および外フィルタ３４２８を有する。中性子感応性ＯＳＬセンサ３４１０は、曝露側面３４３６を有し、それは、ＯＳＬＭ３４２２が曝露されたＸ線、ガンマおよび中性子放射線の組み合わされた線量が、ＯＳＬリーダーによって読み取られることを可能にする。保持リング３４３０は、ＯＳＬＭ３４２２の曝露側面３４３８上に備え付けられている。
【０１３１】
参照ＯＳＬセンサ３４１２は、ＯＳＬＭ３４４２のディスク形状ペレット、参照フィルタ材料ディスク３４４４、円筒カップ形状内フィルタ３４４６および円筒カップ形状外フィルタ３４４８を備える。ＯＳＬＭ３４４２および参照フィルタ材料ディスク３４４４は、保持リング３４５０によって内フィルタ３４４６内に適所に保持される。参照フィルタ材料ディスク３４４４は、ＯＳＬＭ３４４２と内フィルタ３４４６との間に狭持される。保持リング３４５０はスプリング型の保持リングであり、そして圧縮によって内フィルタ３４４６内に適所に保持される。内フィルタ３４４６内に圧縮されるとき、保持リング３４５０の端３４５２および３４５４は互いに隣接する。内フィルタ３４４６は、内フィルタ３４４６を外フィルタ３４４８に圧入することによって、外フィルタ３４４８内に備え付けられ、そして保持される。ＯＳＬＭ３４４２はフィルタされた側面３４５６、すなわち参照フィルタ材料ディスク３４４４によってフィルタされたＯＳＬＭ３４４２の側面、内フィルタ３４４６および外フィルタ３４４８を有する。参照ＯＳＬセンサ３４１２は、曝露側面３４５８を有し、それは、ＯＳＬＭ３４４２が曝露されたＸ線およびガンマ放射線の組み合わされた線量が、ＯＳＬリーダーによって読み取られることを可能にする。保持リング３４５０は、ＯＳＬＭ３４４２の曝露側面３４５８上に備え付けられている。
【０１３２】
コンパレータＯＳＬセンサ３４１４は、ＯＳＬＭ３４６２のディスク形状ペレット、参照フィルタ材料ディスク３４６４、および円筒カップ形状フィルタ３４６６を備える。ＯＳＬＭ３４６２および参照フィルタ材料ディスク３４６４は、保持リング３４６８によってフィルタ３４６６内に適所に保持される。参照フィルタ材料ディスク３４６４は、ＯＳＬＭ３４６２とフィルタ３４６６との間にはさまれる。保持リング３４６８はスプリング型の保持リングであり、そして圧縮によってフィルタ３４６６内に適所に保持される。保持リング３４６８がフィルタ３４６６内に圧縮されるとき、保持リング３４６８の端３４７０および３４７２は互いに隣接する。ＯＳＬＭ３４６２はフィルタされた側面３４７４、参照フィルタ材料ディスク３４６４によってフィルタされたＯＳＬＭ３４６２の側面およびフィルタ３４６６を備える。コンパレータＯＳＬセンサ３４１４は、曝露側面３４７８を備え、それは、ＯＳＬＭ３４６２が曝露されたＸ線およびガンマ放射線の組み合わされた線量が、ＯＳＬリーダーによって読み取られることを可能にする。保持リング３４６８は、ＯＳＬＭ３４６２の曝露側面３４７８に備え付けられている。
【０１３３】
中性子感応性ＯＳＬセンサ３４１０は、中性子感応性ＯＳＬセンサ３４１０内のコンバータ材料ディスク３４２４を参照ＯＳＬセンサ３４１２の参照フィルタ材料ディスク３４４４に代えることを除き、参照ＯＳＬセンサ３４１２と同一である。コンパレータＯＳＬセンサ３４１４は、フィルタ３４６６が外フィルタ内に備え付けられないことを除き、参照ＯＳＬセンサ３４１２と同一である。コンパレータＯＳＬセンサ３４１４において、フィルタ３４６６は外フィルタとして機能する。
【０１３４】
図３４の線量計スレッドでは、ＯＳＬセンサの１つのＯＳＬＭは、ガンマ放射線および中性子放射線を感知するＯＳＬセンサとしてＯＳＬＭが機能することを可能にする、ＯＳＬＭのフィルタされた側面上に覆われたコンバータ材料を有する。第２のＯＳＬセンサのＯＳＬＭは、ＯＳＬＭがガンマ放射線用ＯＳＬセンサとして機能することを可能にする、ＯＳＬのフィルタされた側面上に覆われたフィルタ参照材料を有する。
【０１３５】
本発明の１つの実施形態では、線量計スレッド３４０２がＯＳＬリーダー（図３４および３５には示さず）の下に位置するとき、位置決めノッチ２５８４、２５８２および２５８０が配置し得、ＯＳＬリーダーのフォトオプティカルエンジン（図３４および３５にて示さず）、光学ライトパイプに対してＯＳＬセンサ３４１４、３４１２および３４１０をそれぞれ順次ＯＳＬセンサを適切に置く。ノッチ２５８０を配置し得、ＯＳＬリーダーの光学ライトパイプの上方に中性子感応性ＯＳＬセンサ３４１０を適切に置くために用いられ得る。位置決めは、ＯＳＬリーダーの光学ライトパイプの上方に、参照ＯＳＬセンサ３４１２を適切に置く。ノッチ２５８４は、ＯＳＬリーダーの光学ライトパイプの上方にコンパレータＯＳＬセンサ３４１４を適切に置くために用いられ得る。
【０１３６】
線量計スレッド３４０２は、線量計スレッド６００が、下方ハウジング１０６のスレッド凹部４１２の内外にスライドする方法と類似の様式にて、下方ハウジング１７００のスレッド凹部１７２８の内外にスライドされ得る。線量計スレッド３４０２のレール２５７４は、下方ハウジング１７００の上部リップ１７５４の下の溝１７５２内にスライドする。線量計スレッド３４０２のレール２５７６は、下方ハウジング１７００の上部リップ１７５８の下の溝１７５６内にスライドする。線量計スレッド３４０２内に完全にスライドされたとき、湾曲された端部側２５６６は、下方ハウジング１７００の湾曲された壁部分に隣接する。下方ハウジング１７００のエッチングされた矢印１７８０は、線量計スレッド３４０２が下方ハウジング１７００の外にスライドされ得る方向を示す。
【０１３７】
線量計スレッド３４０２が下方ハウジング１７００内にスライドされるとき、フィルタプレート凹部１７１６に備え付けられた薄長方形エネルギー補償フィルタ（図３４に示さず）は、中性子感応性ＯＳＬ３４１０および参照ＯＳＬセンサ３４１２を放射線から保護する。そしてそれは銅フィルタディスク４７２および４７４が、中性子感応性ＯＳＬセンサ３４１０および参照ＯＳＬセンサ３４１２それぞれを保護する方法に類似する。１つの実施形態では、薄長方形エネルギー補償フィルタは、フィルタプレート凹部１７１６に成形され得る。１つの実施形態では、薄長方形エネルギー補償フィルタプレートは、銅製であり得る。
【０１３８】
下方ハウジング１７００は、その中に線量計スレッド３４０２が完全にスライドされ／備え付けられ、上方ハウジング１２００のねじ山１２５６および下方ハウジング１７００のねじ山１７１２を使用して上方ハウジング１２００内に下方ハウジング１０６をねじ込むことによって、上方ハウジング１０４に備え付けられ得る。下方ハウジング１７００は、上方ハウジング１２００内に備え付けられ得、このとき、図１４中の、上部ハウジング１２００と関連する線Ａ−−Ａは、図１９の下方ハウジング１７００に関連した線Ｂ−−Ｂに平行する。上方ハウジング１２００は、ループ１２１２および１２１４を掴み、そして上方ハウジングを９０°反時計に回転することによって、下方ハウジング１７００から外され得、Ａ−−Ａは線Ｂ−−Ｂに垂直であり、上方ハウジング１２００が下方ハウジング１７００に関して外された位置にある。
【０１３９】
図３６は、本発明の１つの実施形態による放射線量計の上方ハウジング３６０４の上方ハウジング上部３６０２を示す。上部ハウジング３６０４は、円形本体３６０６、ならびに円形本体３６０６のそれぞれ対向する側面３６１６および３６１８上に設置された２つのほぼ台形形状のループ３６１２および３６１４を備える。ループ３６１２および３６１４はそれぞれ開口部３６２６および３６２８を有し、これらを通じてストラップ部材（図示せず）がねじ込まれ得、線量計が個体の手首上に付けられ得る。上方ハウジング上部３６０２は、輪郭部分３６３０、平らな五角形上部表面３６３２および５つの（５）ファセット領域３６３４を備える。上部面３６３２は、湾曲した矢印３６４２、および円形位置あわせ記号３６４４を備える。英数字識別証印（図示せず）を持つラベルが、上方ハウジング上部３６０２に接着され得るかまたは英数字識別証印が、上方ハウジング上部３６０２内にエッチングされ得る。上方ハウジング３６０４は、内ねじ山（図示せず）を備える円形内壁（図示せず）を備える。上方ハウジング３６０４は、上方ハウジング１０４が下方ハウジング１０６とともに使用され得るまたは上方ハウジング１２００が下方ハウジング１７００とともに使用され得る方法に似た様式にて、本発明の下方ハウジングとともに使用され得る。
【０１４０】
図３７は、本発明の１つの実施形態による放射線量計の上方ハウジング３７０４の上方ハウジング上部３７０２を示す。上部ハウジング３７０４は、円形本体３７０６、ならびに円形本体３７０６のそれぞれ対向する側面３７１６および３７１８上に設置された２つのほぼ台形形状のループ３７１２および３７１４を備える。ループ３７１２および３７１４はそれぞれ開口部３７２６および３７２８を有し、これらを通じてストラップ部材（図示せず）がねじ込まれ得、線量計が個体の手首上に付けられ得る。上方ハウジング上部３７０２は、輪郭部分３７３０、平らな八角形上部表面３７３２および８つの（８）ファセット領域３７３４を有する。上部面３７３２は、湾曲した矢印３７４２、および円形位置あわせ記号３７４４を備える。英数字識別証印（図示せず）を持つラベルは、上方ハウジング上部３７０２に接着され得るかまたは英数字識別証印が、上方ハウジング上部３７０２内にエッチングされ得る。上方ハウジング３７０４は、内ねじ山（図示せず）を備える円形内壁（図示せず）を備える。上方ハウジング３７０４は、上方ハウジング１０４が下方ハウジング１０６とともに使用され得るまたは上方ハウジング１２００が下方ハウジング１７００とともに使用され得る方法に似た様式にて、本発明の下方ハウジングとともに使用され得る。
【０１４１】
図３８は、本発明の１つの実施形態による放射線量計３８０２を示す。放射線量計３８０２は、上方ハウジング３８０４、下方ハウジング３８０６および下方ハウジング３８０６内外にスライドする線量計スレッド３８０８を備える。上方ハウジング３８０４は、開口部３８１４をそれぞれ備える２つのループ３８１２を備える。上方ハウジング３８０４は、内ねじ山３８１６を備える。下方ハウジング３８０６は、外ねじ山３８１８およびスレッド凹部（図３８では見えず）を備える。長方形銅フィルタプレート３８２０は、下方ハウジング３８０６の長方形プレート凹部（図示せず）内に備え付けられている。中性子感応性ＯＳＬセンサ３８２２は、線量計スレッド３８０８の開口部３８２４内に備え付けられている。参照ＯＳＬセンサ３８２６は、線量計スレッド３８０８の開口部３８２８に備え付けられている。参照ＯＳＬセンサ３８２６についてのコンパレータＯＳＬセンサ３８３０は、線量計スレッド３８０８の開口部３８３２内に備え付けられている。蛍光原子核飛跡検出器（ＦＮＴＤ）３８４２は、線量計スレッド３８０８の底部面３８４６の底部面凹部３８４４内に備え付けられている。線量計スレッド３８０８は、レール３８４８を備える。下方ハウジング３８０６の底部面３８５０は、２つのひし形凹部３８５２および１つのＣ形状凹部３８５４を備える。
【０１４２】
中性子感応性ＯＳＬセンサ３８２２は、円筒カップ形状外フィルタ３８５６、円筒カップ形状内フィルタ３８５８、コンバータ材料ディスク３８６０、コンフォーマルディスク３８６２、ＯＳＬＭディスク３８６４および保持リング３８６６を備える。保持リング３８６６は、内フィルタ３８５８内に、ＯＳＬＭディスク３８６４、コンフォーマルディスク３８６２およびコンバータ材料ディスク３８６０を保持する。内フィルタ３８５８は、外フィルタ３８５６内に備え付けられている。外フィルタ３８５６は、開口部３８２２内に備え付けられている。
【０１４３】
参照ＯＳＬセンサ３８２６は、円筒カップ形状外フィルタ３８７０、円筒カップ形状内フィルタ３８７２、参照フィルタ材料ディスク３８７４、ＯＳＬＭディスク３８７８および保持リング３８８０を備える。保持リング３８８０は、内フィルタ３８７２内に、ＯＳＬＭディスク３８７８および参照フィルタ材料ディスク３８７４を保持する。内フィルタ３８７２は、外フィルタ３８７０内に備え付けられている。外フィルタ３８７０は、開口部３８２６内に備え付けられている。
【０１４４】
コンパレータＯＳＬセンサ３８３０は、円筒カップ形状フィルタ３８８２、参照フィルタ材料ディスク３８８４、ＯＳＬＭディスク３８８６および保持リング３８８８を備える。保持リング３８８８は、フィルタ３８８２内に、ＯＳＬＭディスク３８８６および参照フィルタ材料ディスク３８８４を保持する。フィルタ３８８２は、開口部３８３０内に備え付けられている。
【０１４５】
図３８に示されるＯＳＬＭディスクは、図解目的のため黄色であるが、ＯＳＬＭディスクは、実際はやや白い。
【０１４６】
ＰＥから作られるコンフォーマルディスク３８６２は、ＨＤＰＥから作られるより厚いコンバータ材料ディスク３８６０よりも薄くしなやかである。本発明の１つの実施形態では、コンバータ材料ディスク３８６０は、一片のＨＤＰＥ材料からコンバータ材料ディスク３８６０をパンチアウトすることによって作られ得、それは、凹部または凸部形状を有するコンバータ材料ディスク３８６０に導き得る。コンバータ材料ディスク３８６０は、そのような凹部または凸部形状を有するとき、コンバータ材料ディスク３８６０とＯＳＬＭ３８６４との間に小さな間隙が形成される。コンフォーマルディスク３８６２は、この間隙を埋めるために使用され得る。コンフォーマルディスク３８６２とコンバータ材料ディスク３８６０との組み合わせは、「混合コンバータ材料ディスク」として機能すると考えられ得る。コンフォーマルディスク３８６２は、この「混合コンバータ材料ディスク」とＯＳＬＭ３８６４との間でより密接な接触があることを確実にする。外フィルタ３８５６および３８７０は銅製である。内フィルタ３８５８および３８７２ならびにフィルタ３８８２はアルミニウム製である。ＯＳＬＭディスク３８６４、３８７８および３８８６はＡｌ２Ｏ３：Ｃ材料製である。保持リング３８６６は、３８８０および３８８８はステンレス鋼製である。
【０１４７】
図３９は、線量計スレッド３８０８の線量計スレッド本体３９０４のスレッド本体底部面３９０２を示す。線量計スレッド本体３９０４は、線量計スレッド本体６０２に類似する。開口部３８２４、３８２８および３８３２は、それぞれ上部部分（図示せず）およびそれぞれ底部部分３９２４、３９２６および３９２８を備える。上部部分は、開口部３８２４、３８２８および３８３２のそれぞれ底部部分３９２４、３９２６および３９２８よりも小さいので、開口部３８２４、３８２８、３８３２内に備え付けられた中性子感応性ＯＳＬセンサ３８２２、参照ＯＳＬセンサ３８２６およびコンパレータＯＳＬセンサ３８３０は、これらの開口部の上部部分によって開口部３８２４および３８２８内に形成されるそれぞれの円形レッジ３９４０、３９４２および３９４４に隣接する。円形ＲＦＩＤタグ（図示せず）は、線量計スレッド本体３９０４の上部（図示せず）上に備え付けられ得る。線量計スレッド本体３９０４は、２つの平行する横方向側面３９６２および３９６４、２つの実質的に直線の端部側３９６６および３９６８、および２つの傾斜角側面３９７０および３９７２を有する。横方向側面３９６２は、横方向側面３９６２の下半分上の横方向側面３９６２の長さに沿ってレール３８４８を備える。レール３８４８は、横方向側面３９６２から突出する。横方向側面３９６４は、横方向側面３９６４の下半分上の横方向側面３９６４の長さに沿ってレール３９７６を備える。レール３９７６は、横方向側面３９６４から突出する。横方向側面３９６２は、端部側３９６８近くにＵ形状の戻り止め３９７８およびタング３９７９を備える。レール３８４８は、３つの半円位置決めノッチ３９８０、３９８２および３９８４を備える。スレッド本体底面３９０２は、底面凹部３８４４を備える。底面凹部３８４４は、インデント３９８８、３９９０、３９９２、３９９４および３９９６を備える。底面３８４４内のインデント３９８８、３９９０、３９９２、３９９４および３９９６は、ＦＮＴＤ３８４２を底面凹部３８４４内に備え付けそして底面凹部３８４４からＦＮＴＤ３８４２を取り外すのを補助する。
【０１４８】
スレッド３８０８のスレッド上部面（図示せず）は、英数字証印（図示せず）を備え得る。
【０１４９】
図４０は、ＦＮＴＤ３８４２が底部面凹部３８４４内に備え付けられた線量計スレッド３８０８を示す。図４０に見られるように、ＦＮＴＤ３８４２はパンチカード形状である。
【０１５０】
図３８、３９および４０の線量計スレッドでは、ＦＮＴＤの１部がスレッドと接触するように凹部が構成されている。適切な蛍光原子核飛跡検出器の例は、「混合放射線のルミネセンス固形状態線量計測定の方法」との名称で2008年１０月２４日に出願されたAkselrodらの米国特許出願第12/258,035号に記載されており、その全体の内容および開示は参照により本明細書中に援用されている。凹部は、ＰＴＦＥ参照フィルタが設置されそしてＬｉＦまたは他のＬｉベースの化合物が設置されたファセットもまた有する。すなわち、１つのＦＮＴＤセンサの上に３つの隣接のフィルタされた領域がある。線量計スレッドがＨＤＰＥ製であるとき、その領域は、反跳陽子およびガンマ線／Ｘ線の形態の中性子を感知する。ＰＴＦＥによってフィルタされた領域は、ガンマ線／Ｘ線のみ感知する。Ｌｉのフィルタされた領域は、代わりの中性子相互作用プロセスを使用して中性子を感知し、それによりリチウムは、中性子を捕捉し、そしてアルファ粒子およびトリチウムまたはＨ−３イオンに分裂する。ＨＤＰＥからの反跳陽子と同様に、アルファ粒子およびトリチウムイオンはＦＮＴＤ内に飛跡を生じ、一旦計数されまたはそれ以外に定量されると、中性子線量に関連付けられ得る。ＦＮＴＤは、ＯＳＬＭよりも中性子に感応性があるが、ガンマ線およびＸ線にはない。ＦＮＴＤは、そのシグナルがより強いので、代替または第２線量計として使用され得る。しかしながら、ＦＮＴＤは小型ポータブルリーダー内で読み取ることができないので、ＦＮＴＤは、スレッドから取り出され、そして研究室のような別の場所にて特別なリーダー内で読み取られる。
【０１５１】
図面４１、４２、４３、４４および４５は、本発明の１つの実施形態による放射線量計の線量計上方ハウジング４１００を示す。図４１および４３は、上方ハウジング上部４１０２を示す。図４２および４４は上方ハウジング底部４１０４を示す。線量計上方ハウジング４１００は円形本体４１０６および円形本体４１０６のそれぞれ対向する側面４１１６および４１１８に設置された２つのほぼ台形形状のループ４１１２および４１１４を備える。ループ４１１２および４１１４はそれぞれ開口部４１２６および４１２８を有し、これらを通じてストラップ部材（図示せず）がねじ込まれ得、線量計が個体の手首上に付けられ得る。上方ハウジング上部４１０２は、円形輪郭部分４１３０および平らな円形上部表面４１３２を有し、そして湾曲した矢印４１４２、円形位置あわせ記号４１４４および浅い角丸長方形凹部４１４６を備える。本発明の１つの実施形態では、英数字識別証印（図示せず）を持つラベルが、浅い角丸長方形凹部４１４６内の上方ハウジング上部４１０２に接着され得る。本発明の別の実施形態では、英数字識別証印（図示せず）が浅い角丸長方形凹部４１４６内に刻み込まれ得る。上方ハウジング底部４１０４の円形内壁４１５４は、内ねじ山４１５６、円周ガスケット４１５８および突出４１６０を備える。内壁４１５４は、円形凹部４１６２を平らな底部４１６４で囲む。
【０１５２】
ガスケットはゴム、シリコーンなどのような、適切なガスケット材料製であり得る。
【０１５３】
本発明の１つの実施形態では、ねじ山に加え、下方ハウジングおよび／または上方ハウジングは、シリコーンまたはゴムのようなガスケット材料からなる隆起した表面を有し、ともにねじ込まれたとき、２つのハウジングは防水シールを提供する。
【０１５４】
図４６、４７、４８、４９、５０、５１、５２、５３、５４および５５は、本発明の１つの実施形態による線量計スレッド本体４６０２を示す。図４６および４８は、線量計スレッド本体４６０２のスレッド本体上部面４６０４を示す。図４７および４９は、線量計スレッド本体４６０２のスレッド本体底部面４６０６を示す。スレッド上部面４６０４およびスレッド本体底部表面４６０６は、互いに対向している。線量計スレッド本体４６０２は、３つの開口部４６１０、４６１２および４６１４を備える。開口部４６１０、４６１２および４６１４は、それぞれ上部部分４６１８、４６２０および４６２２ならびにそれぞれ底部部分４６２４、４６２６および４６２８を備える。上部部分４６１８および４６２０は、開口部４６１０および４６１２のそれぞれ底部部分４６２４および４６２６よりも小さいので、円形レッジ４６４０および４６４２は、上部部分４６１８および４６２０によって、開口部４６１０および４６１２内に形成される。上部部分４６２２は、開口部４６１４の底部部分４６２８よりも小さいので、開口部４６１４内の円形レッジ４６４４は、上部部分４６２２によって形成される。円形ＲＦＩＤタグ（図示せず、ＲＦＩＤタグ６６０に類似）は、スレッド本体上部面４６０４内のＲＦＩＤタグ凹部４６５６に備え付けられ得る。ＲＦＩＤタグ凹部４６５６は、アンテナ（図示せず）を備えるＲＦＩＤタグの円周部を受けるための平らな外部分４６５７およびＲＦＩＤタグの突出下メモリチップを受けるための湾曲した内部分４６５８を備える。ＲＦＩＤタグ凹部４６５６は、ＲＦＩＤタグ凹部４６５６内のＲＦＩＤタグを備え付けるのに使用されるそれぞれの接着ドットを受けるためのインデント４６５９および４５６０もまた備える。線量計スレッド本体４６０２は、２つの平行する横方向側面４６６２および４６６４、湾曲した端部側４６６６、実質的に直線の端部側４６６８、および２つの傾斜角側面４６７０および４６７２を有する。横方向側面４６６２は、横方向側面４６６２の下半分上の横方向側面４６６２の長さに沿ってレール４６７４を備える。レール４６７４は、横方向側面４６６２から突出する。レール４６７４は、縁４６７５が面取りされている。横方向側面４６６４は、横方向側面４６６４の下半分上の横方向側面４６６４の長さに沿ってレール４６７６を備える。レール４６７６は、横方向側面４６６４から突出する。レール４６７６は、縁４６７７が面取りされている。横方向側面４６６２は、端部側４６６８付近のＵ形状の戻り止め４６７８およびタング４６７９を備える。レール４６７４は、３つの半円形位置決めノッチ４６８０、４６８２および４６８４を備える。スレッド本体底部面４６０６は、底部面凹部４６８６を備える。底部面凹部４６８６は、インデント４６８８、４６９０、４６９２、４６９４および４６９６を備える。
【０１５５】
ＦＮＴＤ（図示せず）は、底部面凹部４６８６および持ち上げられたベッド４７０４およびスプリングフランジ４７０６を備えるＦＮＴＤホルダ４７０２に備え付けられ得る。底部面凹部４６８６は、保持リップ４７０８を備える。スプリングフランジ４７０６および保持リップ４７０８は、ＦＮＴＤをＦＮＴＤホルダ４７０２に保持するために使用される。スプリングフランジ４７０６は、ＦＮＴＤがＦＮＴＤホルダ４７０２に設置されることを可能とするために、外側に押され得る。次に、スプリングフランジ４７０６は、保持リップ４７０８の下に、底部面凹部４６８６の壁４７１０に対しＦＮＴＤを押し込むために、スプリングバックする。スレッド本体の底部面凹部内のインデント４６８８、４６９０、４６９２、４６９４および４６９６は、ＦＮＴＤを底部面凹部４６８６内に備え付けそして底部面凹部４８８６からＦＮＴＤを取り外すのを補助する。スレッド上部面４６０４は、英数字証印４７１２を備える。
【０１５６】
線量計スレッドのレールの縁の面取りは、下方ハウジング内のレールとスレッド凹部との間にチャンネルを提供し、スレッド凹部内外のスライド動作を妨げないで、少量のほこりやごみが蓄積することを可能にする。
【０１５７】
開口部４６１０に備え付けられたＯＳＬセンサは、湾曲した端部側４６６６に最も近いＯＳＬセンサであるので、湾曲した端部側４６６６は、線量計スレッド６００の中性子感応性ＯＳＬセンサ６２６と直線端部側６６６との間のより狭い領域６７３に比べて、開口部４６１０と湾曲した端部側４６６６との間の領域４７１４を拡張するように湾曲され、開口部４６１０に備え付けられたＯＳＬセンサがＯＳＬリーダーによって読み取られるとき、ＯＳＬリーダーの円形光学ライトパイプ（図３４および３５に示さず）が完全に覆われることを保障する。端部側４６６８と開口部４６１０との間には、ＯＳＬリーダーの光学ライトパイプを覆うのに十分な距離があり、端部側４６６８を湾曲することは重要ではない。
【０１５８】
ＦＮＴＤに関して、３つの（３）フィルタ材料がある。図４６、４７、４８、４９、５０、５１、５２、５３、５４および５５に示す本発明の実施形態では、１つのフィルタ材料は、ＦＮＴＤホルダの隆起したベッドであり、それはＨＤＰＥ製の線量計スレッドの部分であり、そしてそれゆえ中性子コンバータとして作用する。第２フィルタ材料はＰＴＦＥ製でありかつ底部面凹部内に設置されそして参照フィルタ材料として作用する。第３フィルタ材料はフッ化リチウム結晶であり、それは低エネルギー中性子を反跳アルファ粒子およびトリチウム粒子に変換する。
【０１５９】
図５５は、線量計上方ハウジング４１００内にねじ込まれた線量計下方ハウジング５５０２を示す。下方ハウジング４４０２は下方ハウジング１７００に類似する。下方ハウジング５５０２の外ねじ山５５１２は、上方ハウジング４１００の内ねじ山と係合する。ガスケット４１５８は、上方ハウジング４１００のシール棚５５２２と下方ハウジング５５０２のシール棚５５２４との間にシールを提供する。線量計スレッド本体４６０２は、ＲＦＩＤタグ５５１４がＲＦＩＤタグ凹部４６５６に備え付けられた下方ハウジング５５０２内にスライドされることが示される。図５７は、ガスケット４１５８が、どのように上方ハウジング４１００のシール棚５５２２と下方ハウジング５５０２のシール棚５５２４との間にシールを提供するかをより詳細に示す。図５７に示されるように、ガスケット４１５８は、シール棚５５２２内に円形溝５７０２の円周状に備え付けられている。
【０１６０】
図５８、５９、６０、６１、６２および６３は、本発明の１つの実施形態によるＯＳＬセンサ５８０２およびＯＳＬセンサ５８０２の構成要素部分を示す。ＯＳＬセンサ５８０２は、ＯＳＬＭ５８１０のディスク形状ペレット、フィルタ材料ディスク５８１２、円筒カップ形状内フィルタ５８１４および円筒カップ形状外フィルタ５８１６を備える。ＯＳＬＭ５８１０およびフィルタ材料ディスク５８１２は、保持リング５８１８によって内フィルタ５８１４内に適所に保持されている。フィルタ材料ディスク５８１２は、ＯＳＬＭ５８１０と内フィルタ５８１４との間に狭持される。保持リング５８１８はスプリング型の保持リングであり、そして圧縮によって内フィルタ５８１４内に適所に保持される。内フィルタ５８１４内に圧縮されたとき、保持リング５８１８の端部５８２０および５８２２は互いに隣接する。内フィルタ５８１４は、内フィルタ５８１４を外フィルタ５８１６に圧入することによって、外フィルタ５８１６内に備え付けられ、そして保持される。ＯＳＬＭ５８１０はフィルタされる側面５８３６、すなわちフィルタ材料ディスク５８１２、内フィルタ５８１４および外フィルタ５８１６によってフィルタされたＯＳＬＭ５８１０の側面を備える。ＯＳＬＭ５８１０は、曝露側面５８４０を有する。保持リング５８１８は、ＯＳＬＭ５８１０の曝露側面５８４０上に備え付けられている。
【０１６１】
ＯＳＬセンサ５８０２は、幅／直径５８４２および高さ５８４４を有する。ＯＳＬＭ５８１０は、幅／直径５８５２および高さ５８５４を有する。
【０１６２】
図５８および５９のＯＳＬセンサに関して、外フィルタが銅製、内フィルタがアルミニウム製、ＯＳＬＭがＡｌ２Ｏ３：Ｃ材料を備えおよびフィルタ材料ディスクが高密度ポリエチレン製である場合、ＯＳＬセンサは、図６および７の中性子感応性ＯＳＬセンサ６２６に対応する。図５８および５９にて、外フィルタが銅製、内フィルタがアルミニウム製、ＯＳＬＭがＡｌ２Ｏ３：Ｃ材料を備えおよびフィルタ材料ディスクがポリテトラフルオロエチレン製である場合、ＯＳＬセンサは、図６および７の参照ＯＳＬセンサ６２８に対応する。
【０１６３】
図５８および５９のＯＳＬに関して、フィルタ材料ディスクがコンバータ材料ディスク製の場合、ＯＳＬセンサは、図３４および３５の中性子感応性ＯＳＬセンサ３４１０に対応する。フィルタ材料ディスクが参照材料ディスク製の場合、ＯＳＬセンサは、図３４および３５の参照ＯＳＬセンサ３４１２に対応する。
【０１６４】
本発明の１つの実施形態では、ＯＳＬセンサは、約７．７ｍｍから約７．８ｍｍの幅／直径を有する。１つの実施形態では、ＯＳＬセンサは、約６．８ｍｍから約６．９ｍｍの幅／直径を有する。
【０１６５】
本発明の１つの実施形態では、ＯＳＬＭは、約０．１３５ｍｍから約０．１４５ｍｍの高さを有する。
【０１６６】
１つの実施形態では、ＯＳＬＭは、約５．９ｍｍから約６ｍｍの幅／直径を有する。
【０１６７】
本発明の１つの実施形態では、ＯＳＬＭは、約０．１３５ｍｍから約０．１４５ｍｍの高さを有する。
【０１６８】
図６０および６１は、内フィルタ５８１４に備え付けられたＯＳＬＭ５８１４を示す。内フィルタ５８１４は、そこから拡張し、ＯＳＬＭ５８１０が備え付けられた凹部６０１６を形成する円筒形壁６０１４を有する円形基盤６０１２を備える。内フィルタ５８１４は、幅／直径６０２２および高さ６０２８を有する。円形基盤６０１２は厚さ６０２６を有する。円筒形壁６０１４は厚さ６０２８を有する。凹部６０１６は、ＯＳＬＭ５８１０の幅／直径５８５２と同じである幅／直径６０３２を有する。
【０１６９】
本発明の１つの実施形態では、内フィルタは、約６．８ｍｍから約６．９ｍｍの幅／直径を有する。本発明の１つの実施形態では、内フィルタは、約２．４ｍｍから約２．５ｍｍの高さを有する。本発明の１つの実施形態では、内フィルタの基盤は、約０．２ｍｍから約２．１ｍｍの厚さを有する。本発明の１つの実施形態では、内フィルタの円筒形壁は、約０．２ｍｍから約０．２１ｍｍの幅を有する。本発明の１つの実施形態では、内フィルタの凹部は、約６．１ｍｍから約６．２ｍｍの最終幅／直径を有する。
【０１７０】
図６２および６３は、端部５２８０と５８２２との間に間隙６２１２を有する弛緩状態の保持リング５８１８を示す。保持リング５８１８は６２１４の最大直径、Ｘ厚さおよ６２１６およびＹ厚さ６２１８を有する。最大直径６２１４は、内フィルタ５８１４の凹部６０１６の幅／直径６０３２よりも僅かに大きい。
【０１７１】
本発明の１つの実施形態では、保持リングは、約０．６ｍｍから約０．６２ｍｍのＸ厚さを有する。本発明の１つの実施形態では、保持リングは、約０．６ｍｍから約０．６２ｍｍのＹ厚さを有する。
【０１７２】
図６４および６５は外フィルタ５８１６を示す。外フィルタ５８１６は、そこから拡張し、凹部６４１６を形成する円筒形壁６０１４を有する円形基盤６４１２を備える。外フィルタ５８１６は、幅／直径６４２２および高さ６４２４を有する。円形基盤６４１２は厚さ６４２６を有する。円筒形壁６４１４は厚さ６４２８を有する。凹部６４１６は、内フィルタ５８１４の幅／直径６２２２と実質的に同じである幅／直径６４３２を有する。
【０１７３】
本発明の１つの実施形態では、外フィルタは、約７．７ｍｍから約７．７５ｍｍの幅／直径を有する。本発明の１つの実施形態では、外フィルタは、約３ｍｍから約３．１ｍｍの高さを有する。本発明の１つの実施形態では、外フィルタの基盤は、約０．３６ｍｍから約０．３７ｍｍの厚さを有する。本発明の１つの実施形態では、外フィルタの円筒形壁は、約０．４ｍｍから約０．４１ｍｍの幅を有する。
【０１７４】
本発明のＯＳＬセンサの実施形態に使用される円筒カップ形状フィルタは、上記されかつ図面に示されているが、本発明のフィルタは、いずれか多様な形状であってもよい。円筒カップ形状放射線フィルタの利点は、それらが、放射線の入射の高角度を測定できることである。円形基盤を有する代わりに、本発明のフィルタは、例えば、楕円形、三角形、正方形、長方形、五角形、六角形、八角形などの他の形状の基盤を有していてもよい。本発明のフィルタは固形であり得、そしてその場合に、ＯＳＬＭの１つの側面より上に備え付けられ、またはＯＳＬ上に備え付けられている。あるいは、図５８および５９のＯＳＬセンサに類似しているので、フィルタは、ＯＳＬＭが備え付けられ得る凹部を有し得る。凹部の円形断面形状は、図５８、５９、６０、６１、６２、および６３の凹部の円形断面形状のような、基盤の形状に類似し得る。
【０１７５】
本発明のＯＳＬセンサは、１つ、２つ、３つまたはいずれか他の数のフィルタを備え得る。フィルタがカップ形状であるとき、フィルタは、図７、３４、３５、５８、５９、６０および６１に示されるように、互いの内の１つをネストする。円形断面形状を有するカップ形状フィルタは、図７、３４、３５、５８、５９、６０、６１、６２および６３に示されるが、例えば、楕円形、三角形、正方形、長方形、五角形、六角形、八角形など他の断面形状を有するカップ形状フィルタはまた、互いにネストされ得る。
【０１７６】
本発明の１つの実施形態では、ＯＳＬセンサは、ガンマ放射線およびＸ線放射線に類似して応答する両ＯＳＬセンサ応答の間、中性子感応性ＯＳＬセンサおよび参照ＯＳＬセンサ用の１つの円筒カップ形状のみを使用してもよい。
【０１７７】
本発明のＯＳＬセンサの実施形態に使用されるＯＳＬＭのディスク形状ペレットは、上記されかつ図面に示されているが、ＯＳＬセンサに使用されるＯＳＬＭは、多様な形状および断面図を有し得る。フィルタに備え付けられるとき、ＯＳＬＭは、円筒カップ形状フィルタに備え付けられたＯＳＬＭのディスク形状ペレットまたは長方形のボックス形状凹部でフィルタに備え付けられた長方形のボックス形状ペレットのような、フィルタの形状への相補である形状を有し得る。
【０１７８】
本発明の１つの実施形態では、ＯＳＬＭは、液体形態内のカップ形状フィルタ内に注がれる。ＯＳＬＭが固まるとき、ＯＳＬＭは、カップ形状フィルタ内の凹部の形状を持つ。
【０１７９】
１つの実施形態では、本発明のＯＳＬＭは３０〜４０μｍの粒子サイズを有する粒子から作られるＡｌ２Ｏ３：Ｃを備えるディスク形状ペレットであってもよい。ペレットの厚さは、具体的な適用に依存して変動し得る。
【０１８０】
上記されおよび図面に示された実施形態の本発明のフィルタは、銅およびアルミニウム製であるが、本発明のフィルタは、放射線に感応性のある他の材料から作られ得る。１つの実施形態では、フィルタは、その中に金属粒子または金属パウダを散乱するプラスチック製であり得る。そのようなプラスチック／金属フィルタ内に使用された金属のタイプ、および粒子のサイズは、フィルタの機能に依存して変わり得る。フィルタが低エネルギーＸ線の存在を取り除くために使われる場合、例えば、大きい原子量を有する金属が好ましい。Ｘ線吸収の程度は、プラスチック／金属フィルタ内の金属粒子の濃度および粒子サイズを変化させることによって調整され得る。小さい原子量を有する金属は、フィルタが低エネルギー補償を提供するために設計されたフィルタに使われ得る。Ｘ線吸収の程度は、プラスチック／金属フィルタ内の金属粒子の濃度および粒子サイズを変化させることによって調整され得る。
【０１８１】
本発明の１つの実施形態では、線量計スレッドによって保有されるフィルタは、プラスチック／金属フィルタを含み得、各フィルタは、各フィルタのプラスチック材料内に異なるタイプの金属粒子および／または異なる濃度の金属粒子および／または異なる粒径の金属粒子が分散されている。
【０１８２】
示した実施形態では、線量計スレッド内に３つのＯＳＬセンサが存在するが、本発明のいくつかの実施形態では、線量計スレッド内に１、２、または４つまたはそれ以上のＯＳＬセンサが存在してもよい。必要であれば、ＯＳＬセンサの各々をより小さいものとする、または線量計スレッドをより長い、厚い、または広いものとすることにより、線量計スレッド内に、４つまたはそれ以上のセンサが収容され得る。
【０１８３】
必要であれば、ＯＳＬセンサの各々をより小さいものとするか、または線量計スレッドをより長い、厚い、または広いものとすることにより、さらなるセンサおよびさらなるタイプの放射線センサが線量計スレッド内に収容され得る。
【０１８４】
本発明の１つの実施形態では、コンバータ材料ディスクは、１ｍｍ〜約１．１ｍｍの厚さを有する。本発明の１つの実施形態では、コンバータ材料は、０．１ｍｍ〜約０．２ｍｍの厚さを有するフィルムまたはシートであり得る。１つの実施形態では、コンバータ材料は、１ｍｍ未満の厚さを有するポリエチレンのフィルムであり得る。
【０１８５】
本発明の１つの実施形態では、参照フィルタ材料コーティングは、１ｍｍ〜約１．１ｍｍの厚さを有する。本発明の１つの実施形態では、参照フィルタ材料は、０．１ｍｍ〜約０．２ｍｍの厚さを有するフィルムまたはシートであり得る。本発明の１つの実施形態では、参照フィルタ材料は、１μｍ未満の厚さを有するポリテトラフルオロエチレンのフィルムであり得る。
【０１８６】
上記および図面に記載の実施形態を含む本発明の種々の実施形態では、放射線量計は、ＲＦＩＤタグを備え得、このタグは、放射線量計および放射線量計と関連した個体、すなわち、放射線量計を身につけた個体を識別する。ＲＦＩＤタグからの識別情報は、放射線量計リーダーの一部であるＲＦＩＤタグリーダーが、放射線量計および個体に関する情報にデータベースからアクセスすることを可能にする。このような情報は、以下を含み得る：放射線量計を身につけた個体の身元、放射線量計を読み取った最後の時間、最後の線量測定に用いたリーダーのシリアルナンバー、線量計の以前の読み取りの結果の記録、種々のタイプの放射線への個体の累積曝露の記録、線量計に割り当てられた英数字のシリアルナンバー、上方ハウジングに割り当てられた英数字のシリアルナンバー、下方ハウジングに割り当てられた英数字のシリアルナンバー、線量計スレッドに割り当てられた英数字のシリアルナンバーなど。いくつかの実施形態では、線量計リーダーはまた、情報をデータベースに送信し、データベース中の放射線量計および個体に関する情報を更新し得る。データベースは、線量計リーダーに格納され得るか、または別の場所（例えば、パーソナルコンピュータ、ネットワークコンピュータ、集中記録データベースなど）に格納され得る。
【０１８７】
上記および図面に記載の実施形態では、線量計スレッドおよび上方ハウジングに割り当てられた識別のための証印／英数字シリアルナンバーが同一であるが、他の実施形態では、線量計スレッドおよび下方ハウジングに、異なる英数字シリアルナンバーが割り当てられ得る。線量計全体としておよび上方ハウジングはまた、下方ハウジングおよび線量計スレッドに割り当てられたシリアルナンバーと同じまたは異なる英数字シリアルナンバーが割り当てられ得る。
【０１８８】
図６６は、本発明の１つの実施形態による放射線量計６６０２を示し、これは、放射線量計６６０２のそれぞれのループ６６１６および６６１８の開口部６６１２および６６１４を通してねじ込まれたストラップ部材６６０４を備える。ストラップ部材６６０４は、放射線量計６６０２の下方ハウジング（図示せず）の下にねじ込まれている。ストラップ部材６６０４は、端部６６３６が滑り込み得るバックル６６３２およびループ６６３４を備え、これにより放射線量計６６０２が、腕時計を身につけるのと同様に個体の手首上につけられ得る。ストラップ部材６６０４は、放射線量計６６０２が読み取られることを可能にするように、放射線量計６６０２から容易に外され得る。
【０１８９】
図６７は、本発明の１つの実施形態による放射線量計６７０２を示し、これは、放射線量計６７０２のそれぞれのループ６７１６および６７１８の開口部６７１２および６７１４を通してねじ込まれたストラップ部材６２０４を備える。ストラップ部材６７０４は、放射線量計６７０２の上方ハウジング６７２２の上にねじ込まれている。ストラップ部材６７０４は、端部６７３４が滑り込み得るバックル６７３２を備え、これにより放射線量計６７０２が、腕時計を身につけるのと同様に個体の手首上につけられ得る。ストラップ部材６７０４は、放射線量計６７０２が読み取られることを可能にするように、放射線量計６７０２から容易に取り外され得る。
【０１９０】
図６８は、クリップ６８０４に取り付けられている、本発明の１つの実施形態による放射線量計６８０２を示す。クリップ６８０４はストラップ部材６８１２を備え、この部材は、放射線量計６８０２のループ６８２２の開口部６８２０を通るループ状である。ストラップ部材６８１２は、スナップファスナー６８３２によってそれ自体の上で裏側が留められている。ボルト６８３４によりストラップ部材６８１２に、スプリングクリップ６８３６が取り付けられている。スプリングクリップ６８３６は、放射線量計６８０２をシャツまたはズボンのポケット、シャツの襟、個体が身につけたネックレスなどにクリップ留めするために用いられ得る。ストラップ部材６８１２は、放射線量計６８０２が読み取られることを可能にするために、放射線量計６８０２から容易に取り外され得る。
【０１９１】
示した実施形態では、ストラップ部材はワンピースストラップ部材であるが、本発明の他の実施形態では、ストラップ部材はツーピースストラップ部材であってもよい。
【０１９２】
種々のタイプのストラップ部材（調節可能または調節不能の両方とも）が、本発明の線量計とともに用いられ得る。例えば、ストラップ部材はワンピース弾性ストラップであり得る。ストラップ部材はまた、調節可能なストラップであり得、ストラップの２つの端部が、ベルトを個体の胴部の周囲に巻きつけてバックル留めするまたは腕時計を個体の手首の周囲に巻きつけてバックル留めするのと同様の様式で、一緒にバックル留めされる。このような構成では、ストラップ部材の一方の端部が、ストラップ部材の第２の端部が差し込まれるバックルを備える。ストラップ部材はまた、調節可能なストラップ部材であり得、ストラップ部材の一方の端部が、ストラップ部材の第２の端部がねじ込まれるバックルを備え、それにより、ストラップ部材の長さが、リュックサック、ショルダーバッグ、ファニー・パックなどに用いられる調節可能なツーピースストラップと同様に、第２のストラップをバックルに滑り込ませて通すことによって調節されることを可能にする。このようなツーピースストラップ部材の一例は、Cantwellへの米国特許第5,632,429号（その全内容および開示が参照により本明細書中に援用されている）に記載されている。ストラップ部材はまた、調節可能なストラップ部材であり得、その両端部が、マジックテープ（登録商標）（例えば、ベルクロ（登録商標））を用いて調節可能に一緒に留められ、フックのストリップがストラップ部材の一方の端部にあり、そしてループのストリップがストラップ部材の他方の端部にある。ストラップ部材を一緒に留めるマジックテープ（登録商標）の使用はまた、ストラップ部材のサイズが、フックのストリップおよび／またはループのストリップを、これらのストリップを一緒に留めて種々の長さのストリップ部材を形成し得るのに十分な長さにすることによって調節されることを可能にする。種々の他のタイプの調節可能および調節不能なストリップ部材もまた、本発明の線量計とともに用いられ得る。
【０１９３】
本発明の線量計は、種々の方法で個体によって身につけられ得る。例えば、線量計は、ユーザーの手首、腕、肩、頭部、胴部、足首、脚などの周囲に巻きつけるストラップ上で身につけられ得る。線量計はまた、個体の衣料品、例えば、ヘルメット、シャツの袖、ズボンの脚などの周囲に巻きつけるストラップ上で身につけられ得る。線量計はまた、個体のシャツのポケット、ズボンのポケットなどに入れて持ち運ばれ得る。
【０１９４】
図６９、７０および７１は、本発明の１つの実施形態による携帯可能な線量計リーダー６９０２を示し、これは、二つ折り型の線量計リーダーケース６９０６内に備え付けられた線量計リーダー本体６９０４を備える。線量計リーダー本体６９０４は、線量計リーダーシャーシ６９０８、線量計ドロワ６９１０、バッテリー区画６９１２、ディスプレイ６９２０、ならびにコントロールボタン６９２２、６９２４および６９２６を備える。コントロールボタン６９２２、６９２４および６９２６は、以下のように、個体によって用いられ得る：線量計リーダー６９０２の電源を入れたり切ったりする、線量計リーダー６９０２の解析順序を開始させる、および弱光で結果を見るためのディスプレイ６９２０のバックライトをつける。コントロールボタン６９２２、６９２４および６９２６はまた、以下のディスプレイ６９２０上に種々のスクリーンディスプレイを繰り返し表示するために用いられ得る：線量結果、生データ、較正因子および線量計の読み取りからの結果の解析に用いた他の情報（図６９、７０および７１には図示せず）。線量計リーダー本体６９０４は、以下の３つの領域を有する：線量計ローディング／アンローディング領域６９３２、線量計準備領域６９３４および線量計読み取り領域６９３６。ハウジングカバー６９４０は、線量計準備領域６９３４および線量計読み取り領域６９３６を覆う。バッテリー区画６９１２内に、４つの（４）ＡＡバッテリーが含まれ（図６９、７０および７１では見えない）、これらは、線量計リーダー６９０２に電力を提供する。線量計リーダーケース６９０６は、上方シェル６９５２および下方シェル６９５４を有し、これらは、ピボット接合部６９５６および６９５８によって互いに対して旋回可能に接続されている。上方シェル６９５２は掛け金６９６０および６９６２を備え、これらの掛け金は、上方シェル６９５２が下方シェル６９５４を覆うように旋回されたとき、下方シェル６９５４上の係合ラッチ受容構造６９６４および６９６６に係合して、上方シェル６９５２および下方シェル６９５４を一緒に保持する。ハンドル６９６８は、線量計リーダー６９０２を持ち運ぶために用いられ得るが、下方シェル６９５４上に旋回可能に備え付けられている。
【０１９５】
ピボット接合部６９５６は、上方シェル６９５２の上方ピボット構造６９７２および６９７４、下方シェル６９５４の下方ピボット構造６９７６、６９７８および６９８０、ならびにピボット構造６９７２、６９７４、６９７６、６９７８および６９８０を通して延びるピン（図６９、７０および７１では見えない）で構成されている。ピボット接合部６９５８は、上方シェル６９５２の上方ピボット構造６９８２および６９８４、下方シェル６９５４の下方ピボット構造６９８６、６９８８および６９８０、ならびにピボット構造６９８２、６９８４、６９８６、６９８８および６９９０を通して延びるピン（図６９、６９および７０では見えない）で構成されている。上方シェル６９５２は、線量計リーダー６９０２についての操作指示書６９９２を備える。線量計リーダー本体６９０４は、ねじ６９９４が、下方シェル６９５４内に備え付けられているフレーム７００２内のねじ口６９９８に開口部６９９６を通してねじ留めされることによって、二つ折り型の線量計リーダーケース６９０６内に備え付けられている。
【０１９６】
上方シェル６９５２は、上方シェル６９５２の周辺縁７０１４の周囲に周辺溝７０１２を備える。下方シェル６９５４は、下方シェル６９５４の周辺縁７０２４の周囲に周辺リッジ７０２２を備える。線量計リーダーケース６９０６が閉じられたとき、周辺リッジ７０２２が周辺溝７０１２に係合して、線量計リーダーケース６９０６を気密および防水にする密封を形成する。下方シェルは、圧力逃し弁７０３２を備え、この弁は、線量計リーダーケース６９０６が閉じられているときよりも、開く間に周囲または高度圧が異なるときに、容易に開くことを可能にする。線量計リーダーケース６９０６内の圧力が外部圧力よりもずっと低い場合、線量計リーダーケース６９０６は、開くのが困難であり得る。
【０１９７】
図７２、７３、７４および７５は、線量計ドロワ６９１０および線量計ローディング／アンローディング領域６９３２の詳細を示す。線量計ドロワ６９１０は、ドロワ基部７２０２（線量計受け入れ面）およびドロワハンドル７２０４を備える。ドロワハンドル７２０４は、中空ドロワハウジング７２０６の一部である。ドロワ基部７２０２の上面７２０８は、Ｃ形状リッジ７２１２を備える。２つの保持タブ７２１８および７２２０は、ドロワ基部７２０２内のそれぞれの開口部７２２２および７２２４を通って延びる。保持タブ７２１８は、外レッグ７２３２および内レッグ７２３４を備える。レッグ７２３２は、フット７２３６を備える。保持タブ７２２０は、外レッグ７２４２および内レッグ７２４４を備える。レッグ７２４２は、フット７２４６を備える。露出された腎臓形状の線量計ループリテーナ７２５６は、ドロワ基部７２０２内の開口部７２５８を通って延びる。覆われた腎臓形状の線量計ループリテーナ７２６０は、ドロワ基部７２０２内の開口部７２６２を通って延び、ドロワハウジング７２０６によって覆われている。線量計ループリテーナ７２６０は、線量計ループリテーナ７２５６よりもわずかに長い。線量計ループリテーナ７２５６は、受け入れスロット７２６４、端部壁７２６６、基部７２６８およびスプリングタブ７２７０を備える。線量計ループリテーナ７２６０は、受け入れスロット７２７２、端部壁７２７４、基部７２７６およびスプリングタブ７２７８を備える。ドロワハウジング７２０６は、ドロワハウジング７２０６の湾曲縁７２８４に位置合わせドット７２８２を備える。別の位置合わせドット７２８６は、ドロワ基部７２０２近傍の線量計リーダーシャーシ６９０８上に位置している。図７２、７３および７５には、ハウジングカバー６９４０によって覆われた準備領域ハウジング７２９４への入口７２９２もまた見られる。入口７２９２の一方の側に、泡状クッション材７２９６の一部がある。ドロワ基部７２０２はまた、ループ止め具７２９８を備える。ドロワ基部７２０２は、線量計リーダーシャーシ６９０８内の開口部７４０２にスライド可能に備え付けられている。開口部７４０２は、縁７４０４と７４０６との間に位置している。ねじ７４１２が、ドロワ基部７２０２の底面（図７２、７３、７４および７５では見えない）上の軸マウント（図７２、７３、７４および７５では見えない）を備え付けるために用いられている。外レッグ７２３２は外レッグ上部７５３２を有し、内レッグ７２３４は内レッグ上部７５３４を有し、外レッグ７２４２は外レッグ上部７５４２を有し、内レッグ７３４４は内レッグ上部７５４４を有する。
【０１９８】
図７６ではハウジングカバー６９４０が取り外され、ハウジングカバー６９４０によって通常覆われている線量計読み取り領域６９３６内のリーダーハウジング７６０２およびＲＦＩＤタグリーダー７６０４を示す。ＲＦＩＤタグリーダー７６０４は、ＲＦアンテナ７６０６を備える。ＲＦアンテナ７６０６は、ＲＦＩＤタグリーダー７６０４の下方に位置付けられる線量計スレッド（図示せず）のＲＦＩＤタグのＲＦアンテナと通信するために用いられ得る。
【０１９９】
図７７ではハウジングカバー６９４０が取り外され、ハウジングカバー６９４０によって通常は覆われている準備領域ハウジング７７０２およびリーダーハウジング７６０２を示す。準備領域ハウジング７７０２は、３つの壁７７０４、７７０６および７７０８を有する。ＲＦＩＤタグリーダー７６０４は、ＯＳＬリーダー７７１２を示すために取り外されている。ＯＳＬリーダー７７１２はスレッドスライダ７７１４を備え、このスライダは、スライドレール基部７７２０のレール７７１６および７７１８上を動く。スレッドスライダ７７１４は、駆動機構７７２２によってレール７７１６および７７１８上を前後に動かされる。図７７では、ドロワ基部７２０２の遠位端部７７３２が、準備領域ハウジング７２９４の入口７２９２にある。リーダーハウジング７６０２は、壁７７４２、７７４４、７７４６および７７０８を備える。壁７７０８は、準備領域ハウジング７７０２と共有される。
【０２００】
図７８は、駆動機構７７２２のドライブギア７８０２、戻り輪７８０４および歯付きベルト７８０６を示す。歯付きベルト７８０６は、ドライブギア７８０２によって駆動され、ドライブギア７８０２および戻り輪７８０４の周囲を動く。スレッドスライダ７７１４が、台７８１２によって歯付きベルト７８０６の上に備え付けられている。
【０２０１】
図７９は、線量計リーダーシャーシ６９０８上に備え付けられたスレッドスライダモータ７９１２を示す。スレッドスライダモータ７９１２は、回転ドライブシャフト（図７９では見えない）を備え、その上にドライブギア７８０２（図７９では見えない）が備え付けられている。スレッドスライダモータ７９１２は、回転ドライブシャフトを用いてドライブギア７８０２を駆動し、それにより、スレッドスライダ７７１４（図７９では見えない）の移動を制御する。図７９はまた、ねじポスト７９２２およびねじ７９２４を用いて線量計リーダーシャーシ６９０８の下に備え付けられたＯＳＬリーダー７７１２のＰＣＢ８４２０を示す。２つのねじポスト７９２２および２つのねじ７９２４のみが図７９には見えるが、４つのねじポスト７９２２および４つのねじ７９２４が、線量計リーダーシャーシ６９０８にＰＣＢ８４２０を備え付けるために用いられている。ＰＣＢ８４２０は、線量計リーダーシャーシ６９０８からねじポスト７９２２によって引き離され、モータ７９１２が線量計リーダーシャーシ６９０８とＰＣＢ８４２０との間に置かれることを可能にする。さらに、図７９は、リーダーハウジング７６０２の壁７７４４内のＵＳＢポート７９４２を示す。ＵＳＢポート７９４２は、線量計リーダー６９０２を他の電子デバイス（例えば、コンピュータ、データ格納デバイス、プリンター、モニターなど）と、ＵＳＢポート７９４２にプラグを差し込まれたＵＳＢケーブル（図示せず）を用いて通信することを可能にする。
【０２０２】
スレッドスライダを動かす１つの方法が上記されかつ図面に示されるが、スレッドスライダの移動は、他の方法でも動かされ得る。例えば、スレッドスライドは、ラックおよびピニオンドライブシステムを用いて前後に動かされ得るが、ここでは、回転可能なピニオンギアがスレッドスライダ上に備え付けられ、そして、ピニオンギアを歯付きラックに沿って回転させることにより、スレッドスライダが前後に動かされる。
【０２０３】
図８０および８１は、ＯＳＬリーダー７７１２のさらなる詳細を示す。図８０および８１には、ＯＳＬリーダー７７１２の光学ライトパイプ８０１２が見える。レール７７１６上の位置合わせマーク８０２２、８０２４、８０２６、および８０２８ならびに位置合わせマーク８０３０は、スレッドスライダ７７１４を種々の機能のために位置付けるために用いられ得る。スレッドスライダ７７１４は、二股タング（bifurcated tang）８０３４を備え、このタングは、レール７７１６の両側に突起物８０３６および８０３８を備える。スレッドスライダ７７１４はまた、プッシャー端部８０４０を備える。二股タング８０３４とプッシャー端部８０４０との間に、Ｕ形状戻り止め８０４２がある。線量計スレッド（図８０および８１には図示せず）が線量計ドロワ６９１０によって準備領域ハウジング７２９４に押し込まれる前に、スレッドスライダ７７１４は壁７７０８内の開口部８０５２を通り抜け、線量計スレッドのそれぞれのＵ形状戻り止めおよびタング（例えば、線量計スレッド６００のＵ形状戻り止め６７８およびタング６７９）が、二股タング８０３４およびＵ形状戻り止め８０４２とそれぞれ係合するように押し込まれる。
【０２０４】
各ＯＳＬセンサは、スレッドスライダ７７１４が線量計スレッドを動かしている距離を線量計リーダー６９０２が決定することによってそれぞれの読み取り位置に動かされる。スライダモータはエンコーダーを備え、このエンコーダーは、モータのドライブシャフトが行った回転数またはステップの数を計数する。この情報は、移動距離に相関付けられ得る。レール７７１６上の位置合わせマーク８０２２、８０２４、８０２６、および８０２８ならびに位置合わせマーク８０３０は、参照ポイントからのステップの数に対応する。
【０２０５】
本発明の１つの実施形態では、線量計リーダーは、線量計スレッドのＯＳＬセンサの各々が線量計リーダーの光学ライトパイプと並べられるときを感知するためのフォト光学センサを備え得る。フォト光学センサは、スライダがスライドするレールの一方の下方に備え付けられ得、そしてレールの一方の上の位置合わせマークと並べられ得る。図８２および８３は、励起光およびルミネセンス光が一貫して適用され捕獲されるようにＯＳＬセンサをＯＳＬリーダーの光路と並べるために、線量計スレッドの位置決めノッチがどのように用いられ得るかを示す。図８２は、スレッド本体８２０４および非読み取り位置の３つのＯＳＬセンサ８２１２、８２１４および８２１４を有する線量計スレッド８２０２を示す。ＯＳＬセンサ８２１２が半円形の位置決めノッチ８２２２と並べられ、ＯＳＬセンサ８２１４が半円形の位置決めノッチ８２２４と並べられ、ＯＳＬセンサ８２１６が半円形の位置決めノッチ８２２６と並べられる。フォト光学センサの光路（破線円８２３２によって示される）がスレッド本体８２０４によって遮断され、このことは、光学ライトパイプ８２３４（その位置は破線円８２３２によって示される）が３つのＯＳＬセンサのいずれとも並んでいないことを示す。スレッド本体８２０４は、湾曲端部側面８２４２を有する。ＯＳＬセンサ８２１２は、湾曲端部側面８２４２に最も近いＯＳＬセンサである。ＯＳＬセンサ８２１２と湾曲端部側面８２４２との間に、領域８２４４がある。図８３は、ＯＳＬセンサ８２１４の読み取り位置を示す。ノッチ８２２４は、フォト光学センサの光路（実線円８３３２によって示される）が通過し得る空隙部を作出し、このことは、光学ライトパイプ８３３４（その位置は二重破線円によって示される）がセンサ８２１２と並んでいることを示す。ノッチ８２２４および８２２６は、それぞれＯＳＬセンサ８２１４および８２１６の読み取り位置を示すために、同様に用いられ得る。湾曲端部側面８２４２は、ＯＳＬセンサ８２１２が読み取られるときに光学ライトパイプ８２３４が完全に覆われるように、ＯＳＬセンサ８２１２と湾曲端部側面８２４２との間の領域８２４４が十分に大きいことを確実にする。図８２および８３に示すように、光学ライトパイプ８０１２は、ＯＳＬセンサの各々の内径とほぼ同じ直径である。
【０２０６】
図８４は、ＯＳＬリーダー７７１２についての線量計リーダー本体６９０４の裏面８４０２を示し、これは、昇降台８４１２、制御電子回路８４１４、フォトオプティカルエンジンフレーム８４１６、バッテリー区画６９１２への電子コネクタ８４１８、およびプリント回路板（ＰＣＢ）８４２０を備える。近位備え付けストリップ８４２２ならびにねじ８４２４および８４２６は、ドロワ基部７２０２の近位端にてドロワ基部７２０２の底部面８４２８上にドロワハウジング７２０６を備え付けるために用いられる。ねじ８４２４および８４２６は、近位備え付けストリップ８４２２のねじポスト８４３２および８４３４にねじ留めされる。備え付けストリップ８４２２ならびにねじ８４２４および８４２６はまた、ドロワ基部７２０２の近位端８４３０にてドロワ基部７２０２上に近位フラップ８４４０を備え付けるために用いられる。近位フラップ８４４０は縁８４４２および８４４４を備える。スライドトラック８４５２および８４５４は、線量計リーダーシャーシ６９０８上に備え付けられている。ドロワ基部７２０２の１つの縁（図８４では見えない）がスライドトラック８４５２内のスライド溝（図８４では見えない）内でスライドし、そしてドロワ基部７２０２の第２の縁（図８４では見えない）がスライドトラック８４５４内のスライド溝（図８４では見えない）内でスライドし、それにより、ドロワ基部７２０２が、ドロワハンドル７２０４によって押し引きされるときにスライドすることを可能にする。近位フラップ８４４０の縁８４４２および８４４４もまた、それぞれスライドトラック８４５２および８４５４のスライド溝内でスライドする。近位フラップ８４４０の曲りにより見られ得るように、近位フラップ８４４０は可撓性であり、近位フラップが、線量計準備領域６９３４から線量計ローディング／アンローディング領域６９３２に動く線量計ドロワ６９１０により線量計リーダーケース６９０６に押し付けられたとき、下方に曲がるまたは巻くことを可能にする。スライドトラック８４５２上に、近位スプリング止め具８４５６が備え付けられている。スライドトラック８４５４上に、近位センサスイッチ８４５８が備え付けられている。近位スプリング止め具８４５６は、昇降台８４１２が線量計準備領域６９３４から線量計ローディング／アンローディング領域６９３２への方向に動くとき、昇降台８４１２が近位スプリング止め具８４５６および近位センサスイッチ８４５８を越えて動くことを防ぐ。近位センサスイッチ８４５８は、センサデバイス８４６２の一部であり、このデバイスは、ねじポスト８４３４がセンサスイッチ８４５８と接触したときを感知し、このことは、ドロワハウジング７２０６が線量計ローディング／アンローディング領域６９３２内にあることを示す。
【０２０７】
図８５は、ＯＳＬリーダー７７１２についてのＰＣＢ８４２０の拡大画像である。
【０２０８】
図８６、８７、８８および８９は、昇降台８４１２の動作を示す。図８６、８７、８８および８９では、線量計リーダー６９０２は逆さまに示され、昇降台８４１２の左から右への移動が、昇降台８４１２および線量計ドロワ３９１４のローディング／アンローディング領域６９３２から線量計準備領域６９３４への移動に対応する。昇降台８４１２は、バレル８６１４およびループリテーナ昇降部８６１２を備える。ループリテーナ昇降部８６１２は、２つの腎臓形状ポスト８６１６および８６１８を備える。ポスト８６１６は、ループリテーナ７２５６の一部である。ポスト８６１８は、ループリテーナ７２６０の一部である。バレル８６１４はピニオンギア８６２２を備え、このギアは、バレル８６１４のバレル上部８６２４上に備え付けられている。ピニオンギア８６２２の歯８６２６は、ループリテーナ昇降部８６１２内の開口部８６２８を通って延び、ラック８６３４の歯８６３２と噛み合う。線量計リーダー本体６９０４の下から内バレルを見ると、ピニオンギア８６２２が反時計回りに回転するにつれて、昇降台８４１２は、昇降台８４１２が図８６に示される位置に達するまで、線量計ローディング／アンローディング領域６９３２から線量計準備領域６９３４にラック８６３４に沿って動く。昇降台８４１２が線量計ローディング／アンローディング領域６９３２から線量計準備領域６９３４に動くにつれて、ループリテーナ昇降部８６１２の内側面（図示せず）上の舌部（図示せず）がバレル８６１４の外壁８６４４上の溝８６４２内を動き、そしてループリテーナ昇降部８６１２は上方に駆動され、それにより、ループリテーナ７２５６および７２６０を上方に動かす、すなわち、ドロワ基部７２０２内のそれぞれの開口部７２５８および７２６２を通って上昇させる。図８６は、線量計ローディング／アンローディング領域６９３２での昇降台８４１２を示し、ループリテーナ昇降部８６１２が、下げられた位置にある。図８７は、線量計ローディング／アンローディング領域６９３２と線量計準備領域６９３４との間の昇降台８４１２を示し、ループリテーナ昇降部８６１２が、部分的に上昇した位置にある。図８８および８９は、線量計準備領域６９３４に完全に移動した昇降台８４１２を示し、ループリテーナ昇降部８６１２が、完全に上昇した位置にある。
【０２０９】
図８９は、ねじ８９１２および８９１４を用いてシャーシ縁７４０４上に備え付けられたラック８６３４およびスライドトラック８４５２を示す。スライドトラック８４５２が、ラック８６３４とシャーシ縁７４０４との間に挟まれている。図８９はまた、ループリテーナ昇降部８６１２の底面８９２２を示し、ループリテーナ昇降部内の円形開口部８９２４を通ってバレル８７１４が延びる。ねじ８９３２および８９３４は、バレル８７１４上にピニオンギア８６２２を備え付けるために用いられている。軸ポスト８９４２が、円形ベアリング８９４６内の開口部８９４４を通って延びる。スペーサークリップ８９４８は、バレル８７１４およびピニオンギア８６２２がポスト８９４２の周囲を回転するように、円形ベアリング８９４６と軸ポスト８９４２の基部８９５２との間の間隔が維持されることを確実にする。軸ポスト８９４２は、ドロワ基部７２０２上の定位置に備え付けられている軸マウント（図８９では見えない）の一部である。
【０２１０】
図８６、８７、８８および８９に示されるプロセスはまた、反転され得る。昇降台８４１２が線量計準備領域６９３４から線量計ローディング／アンローディング領域６９３２に動くにつれて、ループリテーナ昇降部８６１２の内側面上の舌部がバレル８６１４の外壁８６４４上の溝８６４２内を動き、ループリテーナ昇降部８６１２は下方に駆動され、それにより、ループリテーナ７２５６および７２６０を下方に動かす、すなわち、ドロワ基部７２０２内のそれぞれの開口部７２５８および７２６２を通って下降させる。
【０２１１】
図９０および９１は、保持タブ７２１８、保持タブ７２２０、ピニオンギア８６２２およびドロワ基部７２０２の詳細を示す。図９１に示されるように、保持タブ７２１８は、タブ基部９０１４から延びるピン９０１２を有する。保持タブ７２１８はまた、タブ基部９０１４から延びる上体部９０１６を有する。外レッグ７２３２および内レッグ７２３４がタブ上体部から延びる。保持タブ７２２０は、タブ基部９０２４から延びるピン９０２２を有する。保持タブ７２２０はまた、タブ基部９０１４から延びる上体部９０２６を有する。外レッグ７２４２および内レッグ７２４４がタブ上体部から延びる。保持タブ７２１８は、ピン９０１２を用いてピニオンギア８６２２の湾曲スロット９０３２内にスライド可能に備え付けられている。保持タブ７２２０は、ピン９０１２を用いてピニオンギア８６２２の湾曲スロット９０３４内にスライド可能に備え付けられている。タブ基部９０１４および９０２４がそれぞれの湾曲スロット９０３２および９０３４の上にあり、よって、ピン９０１２および９０２２がそれぞれ湾曲スロット９０３２および９０３４内を動くにつれて、外レッグ上部７５３２、内レッグ上部７５３４、外レッグ上部７５４２および内レッグ上部７５４４がピニオンギア８６２２の上方の同じ高さに維持される。湾曲スロット９０３２は、平坦部分９０４２および湾曲部分９０４４を備える。湾曲スロット９０３４は、平坦部分９０４６および湾曲部分９０４８を備える。ピニオンギア８６２２がラック８６３４に沿って回転するにつれて、保持タブ７２１８および７２２０は、それぞれドロワ基部７２０２内の開口部７２２２および７２２４によってピニオンギア８６２２と共に動くことが防止され、したがって、ピニオンギア８６２２がラック８３６４に沿って回転するにつれて、ピン９０１２および９０２２はそれぞれ湾曲スロット９０３２および９０３４内を動く。
【０２１２】
昇降台８４１２およびピニオンギア８６２２が線量計ローディング／アンローディング部６９３２内にあるとき、ピン９０１２および９０２２は、それぞれ湾曲スロット９０３２の平坦部分９０４３および湾曲スロット９０３４の平坦部分９０４６内にある。ピニオンギア８６２２が、線量計ローディング／アンローディング部６９３２から線量計準備領域６９３４まで、ラック８６３４に沿って回転するにつれて、ピン９０１２および９０２２は、それぞれ湾曲スロット９０３２の湾曲部分９０４４および湾曲スロット９０３４の湾曲部分９０４８に沿って動かされる。湾曲部分９０４４および９０４８は平坦部分９０４２および９０４６よりも互いに離れているので、ピン９０２１およびおよび９０２２が湾曲部分９０４４および９０４８の中を動くとき、保持タブ７２１８および７２２０は、図１０６に示されおよび以下記載されるように、互いから外に向かって広げられる。
【０２１３】
図９０および９１はまた、ピニオンギア８６２２およびドロワ基部７２０２のさらなる特徴を示す。ピニオンギア８６２２は開口部９０５２および９０５４を備え、それらを通って、ねじ８９３２および８９３４（図９０および９１に示さず）をるがねじ込まれ、昇降台８４１２のバレル８６１４上にピニオンギア８６２２を備え付けている。軸マウント９０６２は、ピニオンギア８６２２が回転する軸ポスト８９４２を備える。軸マウント９０６２は、ねじ７４１２（図９０および９１には見えない）を使用してドロワ基部７２０２の底部面８４２８内の凹部９０６４内に備え付けられている。ねじポスト９０７４および９０７６を備える遠位マウンティングストリップ９０７２は、ねじ９０７８および９０８０を使用してドロワ基部７２０２の底部面８４２８上に備え付けられている。遠位スプリングストップ９０８２は、スライドトラック８４５２上に備え付けられている。遠位センサスイッチ９０９４は、スライドトラック８４５４上に備え付けられている。昇降台８４１２が、線量計ローディング／アンローディング領域６９３２から線量計準備領域６９３４までの方向に動くとき、遠位スプリングストップ９０８２は、昇降台８４１２が遠位スプリングストップ９０８２および遠位センサスイッチ９０８４を越えて動くことを妨げる。遠位センサスイッチ９０８４は、ねじポスト９０７６が遠位センサスイッチ９０８４と接触するとき感知するセンサデバイス９０８８の部分であり、ドロワハウジング７２０６が線量計準備領域６９３４内にあることを指し示す。
【０２１４】
スライドトラック８４５４のスライド溝９０９２もまた、図９０に見ることができる。スライドトラック８４５４は同一のスライド溝（図９０では見えない）を備えている。ドロワ基部７２０２の１つの縁は、スライド溝９０９２内でスライドし、そしてドロワ基部７２０２の第２の縁は、スライドトラック８４５２のスライド溝内でスライドし、それにより、ドロワハンドル７２０４によって、押したり引いたりされるとき、ドロワ基部７２０２がスライドすることを可能にする。
【０２１５】
図９０では、ピニオンギア８６２２はバレル８６１４から分離され、そしてループリテーナ昇降部８６１２の底部面８９２２上で静止することが示されている。
【０２１６】
図９２および９３は、フォトオプティカルエンジンフレーム８４１６、ねじ９２１２によってフォトオプティカルエンジンフレーム８４１６の底部面９２１０上に備え付けられたＬＥＤ板アセンブリ基部９２０８、光電子増倍管（ＰＭＴ）マウントプレート９２１４、ＰＭＴ９２１６、ねじ９２２４を使用してフォトオプティカルエンジンフレーム８４１６の側面９２２２上に備え付けられているＬＥＤ相互接続ＰＣＢアセンブリ９２２０、およびフォトオプティカルエンジンフレーム８４１６上に備え付けられたフィルタパネル９２３４を示す。ＬＥＤ相互接続ＰＣＢアセンブリ９２２０は電源ジャック９２３６を備える。
【０２１７】
図９４、９５、９６、９７、９８、９９および１００は、フォトオプティカルエンジン９４０２およびリーダー７７１２のフォトオプティカルエンジン９４０２の種々の構成要素を示す。ＯＳＬライトパイプマウント９４０８を通って延びる光学ライトパイプ８０１２を備えた光学ライトパイプアセンブリ９４０６は、ねじ９４１２を使用してフォトオプティカルエンジンフレーム８４１６の上部面９４１０上に備え付けられ、光学ライトパイプ８０１２は、開口部９４１４に延びる。スライドレール基部７７２０は、ねじ９４１６を使用して光学ライトパイプマウント９４０８上に備え付けられている。フォトダイオード９４２０を備えたフォトダイオードプリント回路板（ＰＣＢ）アセンブリ９４１８は、ねじ９４２４を使用してフォトオプティカルエンジンフレーム８４１６の側面９４２２上に備え付けられ、フォトダイオード９４２０は、開口部９４２６に延びる。ＬＥＤ板アセンブリ基部９２０８を備えたＬＥＤ板アセンブリ９４２８は、ねじ９２１２を使用するフォトオプティカルエンジンフレーム８４１６の側面９２１０上に備え付けられている。光電子増倍管（ＰＭＴ）レンズ９４３０、ＰＭＴレンズガスケット９４３２およびブルーガラスフィルタ９４３４は、フォトオプティカルエンジンフレーム８４１６の側面９４３８内の開口部９４３６内に備え付けられている。ＰＭＴマウントプレート９２１４は、ねじ９４４０を使用してＰＭＴ９２１６上に備え付けられている。ＰＭＴマウントプレート９２１４およびＰＭＴマウントプレートガスケット９４４２は、ねじ９４４４を使用するフォトオプティカルエンジンフレーム８４１６の側面９４３８上に備え付けられている。ＬＥＤ相互接続ＰＣＢアセンブリ９２２０は、ねじ９２２４を使用してフォトオプティカルエンジンフレーム８４１６の側面９２２２上に備え付けられている。ＰＭＴマウントプレートは、開口部９４４６を備え、そしてＰＭＴマウントプレートガスケット９４４２は、（ＰＭＴ）レンズ９４３０およびブルーガラスフィルタ９４３４と並べられた開口部９４４８を備える。ＰＭＴ９２１６は、フォトカソード９４５０を備える。
【０２１８】
ＯＳＬフィルタ光学アセンブリ９４５２は、アセンブリマウント底部９４５４、開口円形下部ガスケット９４５６、グリーンガラスフィルタ９４５８、開口円形中部ガスケット９４６０、グリーンガラスフィルタ９４５８と並べられたダイクロイックミラー９４２６、開口円形上部ガスケット９４６４およびアセンブリマウント上部９４６６を備える。アセンブリマウント上部９４６６は、アセンブリマウント底部９４５４に適合し、そしてアセンブリマウント上部９４６６およびアセンブリマウント底部９４５４ともに、ＯＳＬフィルタ光学アセンブリ９４５２の残りの構成要素である下部ガスケット９４５６、グリーンガラスフィルタ９４５８、中部ガスケット９４６０、ダイクロイックミラー９４６２および上部ガスケット９４６４を包囲する。その場合、ＯＳＬフィルタ光学アセンブリ９４５２がフォトオプティカルエンジンフレーム８４１６の側面９４７０内の開口部９４６８内に備え付けられる。開口部９４６８内に備え付けられ、アセンブリマウント上部９４６６およびアセンブリマウント底部９４５４は、開口部９４６８のひし形状内壁９４７２によってともに保持され、それによりＯＬＳフィルタ光学アセンブリ９４５２の残りの構成要素をともに保持し、よって、下方ガスケット９４５６は、アセンブリマウント底部９４５４とグリーンガラスフィルタ９４５８との間に狭持され、中部ガスケット９４６０は、グリーンガラスフィルタ９４５８とダイクロイックミラー９４６２との間に狭持され、そして上方ガスケット９４６４は、ダイクロイックミラー９４６２とアセンブリマウント上部９４６６との間に狭持される。ともに保持されるとき、ＯＳＬフィルタ光学アセンブリ９４５２は、開口部９４６８の内壁９４７２を相補的に係合する形状を有する。アセンブリマウント底部９４５４は、円形開口部９４７４を有し、そしてアセンブリマウント上部９４０４は、光がＯＳＬフィルタ光学アセンブリ９４１６を通り抜けることを可能にする円形開口部９４７８を有する。アセンブリマウント上部９４６６は、２つの湾曲端９４８２および９４８４を有する。ＯＳＬフィルタ光学アセンブリ９４５２は、ねじ９４９０を使用したフォトオプティカルエンジンフレーム８４１６の側面９４７０上に備え付けられたフィルタパネル９２３４およびフィルタパネルガスケット９４８８によって、開口部９４６８内に適所に保持される。
【０２１９】
本発明の種々のガスケットは、ゴムまたはプラスチックのような弾性材料製であり得る。フィルタ、レンズまたはミラーに関連して使用される図９４および９５に示された各ガスケットは、その中を光が通過し得る開口部を備える。
【０２２０】
ＬＥＤ板アセンブリ９４２８は、フォトオプティカルエンジン９４０２内に使用された励起光を伝達するＬＥＤ（図示せず）を備える。
【０２２１】
フォトダイオードＰＣＢアセンブリ９４１８は、作動センサとして機能するフォトダイオード９４２０を備える。フォトダイオードＰＣＢアセンブリ９４１８は、フォトダイオードＰＣＢアセンブリ９４１８に電源を供給するために、雄電源ジャック（示さず）と連結するための雌電気コネクタ９４９２を備える。
【０２２２】
図９７、９８および９９に示されるように、ＬＥＤ相互接続ＰＣＢアセンブリ９２２０は、ＬＥＤ板アセンブリ９４２８への電気接続９７２４によって電気的に接続されたＰＣＢ９７２２を備える。ＬＥＤ相互接続ＰＣＢアセンブリ９２２０は、電源ジャック９２３６を備え、ＬＥＤ板アセンブリ９４２８のＬＥＤ１０２４２に電力を供給する。ＬＥＤ相互接続ＰＣＢアセンブリ９２２０は、開口部９７３４を有するアセンブリ本体９７３２を備え、そこに電源ジャック９２３６が備え付けられる。アセンブリ本体９７３２は、中にＰＣＢ９７２２が備え付けられる相補凹部９７３６、およびねじ９２２４を収容するための開口部９７３８を備える。
【０２２３】
フォトオプティカルエンジンが動作されまたは振動されるときに、ＯＳＬフィルタ光学アセンブリが、実質的に動作または振動しないように、開口部内にもまた備え付けられるので、図９４、９５、９６、９７、１００および１０１のＯＳＬフィルタ光学アセンブリは、ＯＳＬリーダー用の多くの以前のフィルタ光学アセンブリよりも小型であり、そして移動または振動によって位置ずれを受けることが少ない。
【０２２４】
特定のタイプのオプティカルフィルタが、フィルタアセンブリで使用されるとして上述されているが、様々な異なる色をフィルタするオプティカルフィルタが、励起光のための光源として使用される波長およびＯＳＬセンサのＯＳＬＭが光を吸収する波長に依存して本発明のオプティカルフィルタアセンブリで使用されてもよい。また、特定のタイプのオプティカルフィルタが、ＯＳＬセンサから放射された光を検出する放射光検出器用のフィルタとして使用されるとして上述されているが、様々な異なる色をフィルタするオプティカルフィルタが、ＯＳＬのＯＳＬＭが発光する波長に依存して本発明の放射光検出器とともに使用されてもよい。
【０２２５】
図１００は、組み立てられた配置ののフォトオプティカルエンジン９４０２を示し、ＯＳＬフィルタ光学アセンブリ９４５２の断面図を示すために部分１００１２を切り離している。図１００の部分１００１２の円形領域１００１４は、図１０１にてより詳細に示される。図１０１はＯＳＬフィルタ光学アセンブリ９４５２の断面図を提供し、これは、アセンブリマウント底部９４５４とグリーンガラスフィルタ９４５８との間に狭持された下方ガスケット９４５６、グリーンガラスフィルタ９４５８とダイクロイックミラー９４６２との間に狭持された中部ガスケット９４６０およびダイクロイックミラー９４６２とアセンブリマウント上部９４６６との間に狭持された上方ガスケット９４６４を示す。
【０２２６】
フォトオプティカルエンジンの全ての構成要素が、フォトオプティカルエンジンフレームの上または中に適所に固定されるので、図９４、９５、９６、９７、９８、９９、１００および１０１のフォトオプティカルエンジンのレンズ、ミラーおよびフィルタの位置合わせはまた、フォトオプティカルエンジンを備える線量計リーダーが動かされるとき、振動によって著しく影響を受けない。これらの構成要素としては、ＯＳＬフィルタ光学アセンブリ、光学ライトパイプアセンブリ、ブルーガラスフィルタ、ＰＭＴ、作動センサ、ＬＥＤ板アセンブリなどが挙げられる。本発明の１つの実施形態では図９４、９５、９６、９７、９８、９９、１００および１０１のフォトオプティカルエンジンを用いるＯＳＬリーダーは、ＯＳＬリーダーが動かされている間も、ＯＳＬを読み取るために使用され得る。構成要素間の小さい距離は、光路を通じた正確な伝達のために種々の光ビームが通過しなければならない立体角を最大限にするので、フォトオプティカルエンジンのレンズ、ミラーおよびフィルタは、他のＯＳＬリーダーのレンズ、ミラーおよびフィルタよりも、振動によって位置ずれを受けることが少ない。構成要素の近接の配置は、散乱による損失を最小限にする。
【０２２７】
本発明の１つの実施形態では、４つの（４）ＡＡバッテリーが、ＯＳＬリーダー、スレッドスライダの動作を制御するドライブギアを駆動するエンジン、線量計リーダーの電子コントロール、線量計リーダーの電子センサ、線量計リーダーのディスプレイ、および外部データベースとインターフェースでつなぐための通信ポートを稼動する電力を含む線量計リーダーを稼動するために必要な全ての電力を供給する。バッテリー寿命は、実施された解析の数、用いられた刺激プロトコールおよびリーダーがアイドリングであるが電源が入っている解析間の時間に依存する。典型的には、２５０より多くの解析が１セットの４ＡＡバッテリーで実施され得る。本発明の１つの実施形態では、他のタイプの充電式および非充電式バッテリーが、線量計リーダーのための電源として使用されてもよい。例えば、１つ以上のアルカリバッテリー、１つ以上のリチウムバッテリーなどが、線量計リーダーのための電源として使用されてもよい。１つの実施形態では、１つ以上のバッテリーの総重量は、約１００ｇ未満である。
【０２２８】
本発明の１つの実施形態では、線量計リーダーは、ＯＳＬセンサを読み取るために約１秒間に約９０ｍＡ以下の電流またはを必要とする。本発明の１つの実施形態では、線量計リーダーが電源を入れられ、そしてアイドル状態にあり、そして放射線量計を読み取るための準備ができるとき、線量計リーダーは、８０ｍＡ以下の電流を必要とする。１つの実施形態では、線量計リーダーが電源を入れられたとき、線量計リーダー内の電流は、１０秒未満の間に２３５ｍＡ以下であり得る。
【０２２９】
本発明の１つの実施形態では、線量計リーダーは、密閉配置で線量計ケースを有し、最大深さ約１９ｃｍ以下、最大幅約２３.５ｃｍ以下および最大高さ約１１ｃｍ以下を有する。１つの実施形態では、線量計リーダーは、密閉配置で線量計ケースを有し、総容量約３，０６５ｃｍ３以下を有する。
【０２３０】
本発明の１つの実施形態では、線量計リーダーは、線量計リーダーケースを備え、線量計リーダーに電力を送る１つ以上のバッテリーの重量を除いて、約２，６００ｇ未満の重量を有し、そのため線量計リーダーは１個体によって運ばれることを可能とする。本発明の１つの実施形態では、本発明の、線量計リーダーケースを備えた線量計リーダーは、線量計リーダーに電力を送る１つ以上のバッテリーの重量を含めて約２，７００未満の重量を有し、そのため線量計リーダーは１個体によって運ばれることを可能とする。
【０２３１】
図１０２は、線量計スレッド１０２０４を読み取る操作における、線量計リーダー６９０２のＯＳＬリーダー７７１２およびＲＦＩＤタグリーダー７６４０を示す。ＯＳＬリーダー７７１２に関する図解の簡潔性のために、ＯＳＬリーダー７７１２のフォトオプティカルエンジン９４０２のみが示され、そしてスレッドスライダ７７１４のような、ＯＳＬリーダー７７１２の他の構成要素は図１０２から省かれている。線量計スレッド１０２０４は３つのＯＳＬセンサ、ＯＳＬセンサ１０２１２、ＯＳＬセンサ１０２１４およびＯＳＬセンサ１０２１６ならびにＲＦＩＤタグ１０２１８を備える。ＯＳＬセンサ１０２１２、１０２１４およびＯＳＬセンサ１０２１６は、Ａｌ２Ｏ３：Ｃ材料を含むＯＳＬＭ（図示せず）を備える。線量計スレッド１０２０４は、矢印１０２２２で示される方向に、スレッドスライダ７７１４によって放射線量計（図示せず）外へ引き出され、ＯＳＬセンサ１０２１２、ＯＳＬセンサ１０２１４およびＯＳＬセンサ１０２１６は各々、読み取り位置１０２２６にて、ＯＳＬリーダー７７１２によって順に読み取られる。図１０２は、読み取りプロセスにおけるＯＳＬセンサ１０２１２を示す。
【０２３２】
ＯＳＬリーダー７７１２は、ＬＥＤ板アセンブリ９４２８の部分であるＬＥＤ１０２４２を備える。ＬＥＤ１０２３２は、約５２０ｎｍの波長を有する、伝達された緑色励起光１０２３４のソースである。緑色励起光１０２３４は、ＬＥＤ板アセンブリ９４２８の部分である集光器１０２３６によって集中され、そして次にグリーンガラスフィルタ９４５８およびグリーンガラスフィルタ９４５８と並んだダイクロイックミラー９４６２を通過する。グリーンガラスフィルタ９４５８は、緑色励起光１０２３４から非緑色光を除去する、すなわち、グリーンガラスフィルタ９４５８は、緑色光を通過するグリーンフィルタである。緑色励起光１０２３４は、次に光学ライトパイプ８０１２によって導かれ、読み取り位置１０２２６にあるＯＳＬセンサ（図１０２のＯＳＬセンサ１０２１２）が、緑色励起光１０２３４に曝露され、ＯＳＬセンサ１０２１２内のＯＳＬＭ材料が発光し、そして約４２０ｎｍの波長の青色放射光１０２４６を放射することを引き起こす。青色放射光１０２４６は、ダイクロイックミラー９４６２によって反射され、青色放射光１０２４６内の青色光から非青色光を除去するブルーガラスフィルタ９４３４を通過する、すなわち、ブルーガラスフィルタ９４３４は、青色光を通るブルーフィルタである。ブルーガラスフィルタ９４３４はまた、グリーンガラスフィルタ９４５８によって取り除かれないいかなる迷光または緑色励起光１０２３４も除去する。青色放射光１０２４６は、次に光電子増倍管（ＰＭＴ）９２１６のフォトカソード９４５０によって検出および測定される。ＰＭＴ９２１６は、光子計数モードにて稼動し、検出された青色放射光１０２４６に基づくＯＳＬセンサ内に生じたルミネセンスを定量する。伝達された緑色励起光１０２３４の一部分は、グリーンガラスフィルタ９４５８を通じてダイクロイックミラー９４６２によって戻り反射され、緑色反射光１０２７２は、作動センサ／フォトダイオード９４２０によって検出される。
【０２３３】
図１０２の緑色励起光１０２３４は、ＬＥＤ１０２４２からＯＳＬセンサ１０２１２までの光路を規定する。青色放射光１０２４６は、ＯＳＬセンサ１０２１２からフォトカソード９４５０までの光路を規定する。励起光１０２３４は、出口１０２８２で光学ライトパイプ８０１２を出て行き、そして出口１０２８２からＯＳＬセンサ１０２１２までの距離１０２８４を進む。
【０２３４】
ＯＳＬセンサ１０２１２が読み取られる前、間または後に、ＲＦＩＤタグリーダー７６０４はＲＦＩＤタグ５４１８を読み取り、矢印１０２２４によって示されるように、ＲＦＩＤタグ内に保存された識別情報を引き出す。この情報は、線量計リーダー６９０２とのデータ通信にて、ディスプレイ６９２０（図１０２に示さず）上または別のディスプレイ上に表示され得る。ＯＳＬセンサ１０２１２、ＯＳＬセンサ１０２１４およびＯＳＬセンサ１０２１６がＯＳＬリーダー７７１２によって読み取られた後、ＲＦＩＤタグリーダー７６０４は、ＯＳＬセンサ１０２１２、ＯＳＬセンサ１０２１４およびＯＳＬセンサ１０２１６の読み取りに基づく情報で、ＲＦＩＤタグ１０２１８をアップデートする。これらの３つのＯＳＬセンサの各ＯＳＬセンサが読み取られるにつれて、ＲＦＩＤタグリーダー７６０４はまた、アップデートされた情報を送信し得る。ＯＳＬセンサ１０２１２、ＯＳＬセンサ１０２１４およびＯＳＬセンサ１０２１６が読み取られた後、スレッドスライダ７７１４は、線量計スレッド１０２０４を、矢印１０２３０の方向へ押し込み、そして放射線量計内に戻す。
【０２３５】
データベース１０２９２は、必要に応じて、線量計リーダー６９０２と通信するものであってもよく、または線量計リーダー６９０２の一部であってもよい。放射線量計および／または放射線量計をつける個体についての情報は、破線矢印１０２９４によって示されるように、データベース１０２９２から引き出される。放射線量計および／または放射線量計をつける個体についてのアップデートされた情報は、破線矢印１０２９４によって示されるように、データベース１０２９６に送信され得る。
【０２３６】
本発明の１つの実施形態では、ＯＳＬセンサのための読み取り位置にて、各ＯＳＬセンサ内のＯＳＬＭは、光ガイド／光学ライトパイプの出口からおよそ１ｍｍにある。
【０２３７】
図１０２のフォトオプティカルエンジンの作動センサ／フォトダイオードは、作動センサ／フォトダイオードに戻り反射された励起光のために、非ゼロ読み取りが作動センサ／フォトダイオードによって受け取られるとき、フォトオプティカルエンジンが機能することを決定するように設計される。
【０２３８】
本発明の１つの実施形態では、図１０２の放射光検出器は、高感度計数システムを使用するＰＭＴの部分である。緑色励起光による光励起の間に放射された青色光の量は、放射線量および緑色励起光の強度に正比例する。次に線量計算アルゴリズムが測定に用いられ、曝露結果を決定する。
【０２３９】
図１０２のフォトオプティカルエンジンは、様々なパルス速度を有する励起光を用い得る。図１０２のフォトオプティカルエンジンは、励起光の様々なパルス期間もまた用い得る。
【０２４０】
図１０２において、特定のフォトオプティカルエンジンは、特定のタイプのＯＳＬＭが曝露された様々なタイプの放射線の線量を決定するために、特定の伝達および検出光波長を用いるが、異なる波長を伝達および検出するフォトオプティカルエンジンが、異なる光学的に励起されたルミネッセンス材料と用いられ得る。フォトオプティカルエンジンはまた、パルス励起システムでもあってもよい。
【０２４１】
図１０３、１０４、１０５、１０６、１０７、１０８、１０９、１１０、１１１、１１２、１１３、１１４および１１５は、放射線量計１０２を使用する本発明の読み取りプロセスの例を示す。
【０２４２】
図１０３および１０４は、ローディング／アンローディング領域６９３２内の開始位置に設置された放射線量計１０２を示す。個体は、放射線量計１０２を開始位置１０３０２に設置し、Ｃ形状リッジ７２１２（図１０３および１０４では見えない）は、放射線量計１０２のＣ形状溝４５４（図１０３および１０４では見えない）と係合する。放射線量計１０２（図１０３および１０４では見えない）のひし形凹部４５６および４５８（図１０３および１０４では見えない）は、線量計リーダー６９０２のそれぞれの保持タブ７２１８および７２２０（図１０３および１０４では見えない）に適合する。上方ハウジング１０４の円形位置合わせ記号２２４は、位置合わせドット７２８２と並べられる。湾曲した矢印２２２は、上方ハウジング１０４を下方ハウジング１０９（図１０３および１０４では見えない）から取り外すために、上方ハウジング１０４を回転させるべき方向を示す。
【０２４３】
図１０５は、放射線量計１０２の上方ハウジング１０４を回転し、放射線量計１０２が、ローディング／アンローディング領域６９３２内の回転位置１０５０２内にあることを示す。ループ１２２および１２４を掴むことによって、個体は、円形位置合わせ記号２２４が位置合わせドット７２８６と並ぶまで上方ハウジング１０４を、およそ９０°回転させ、放射線量計１０２を回転位置１０５０２にし、上方ハウジング１０４が下方ハウジング１０６から取り外される。上方ハウジング１０４が回転されるにつれて、ループ１２２が線量計ループリテーナ７２５６の受け取りスロット７２４６内に回転し、そしてこれを係合する。ループ１２２は、線量計ループリテーナ７２５６の端壁７２６６およびループストップ７２９８によって、さらに回転することを妨げられる。ループ１２２は、スプリングタブ７２７０をまた係合し、そしてループリテーナ７２５６の基部７２６８上で静止する。また、上方ハウジング１０４が回転されるにつれてループ１２４が線量計ループリテーナ７２６０（図１０５では見えない）の受け取りスロット７２７２内に回転し、そしてこれを係合する。ループ１２４は線量計ループリテーナ７２６０の端壁７２７４（図１０５では見えない）およびループストップ７２９８によって、さらに回転することを妨げられる。ループ１２２はまた、スプリングタブ７２７８（図１０５では見えない）をまた係合し、そしてループリテーナ７２６０の基部７２７６（図１０５では見えない）上で静止する。上方ハウジング１０４が回転される間、下方ハウジング１０６（図１０５では見えない）は、放射線量計１０２のＣ形状溝４５４（図１０５では見えな）とＣ形状リッジ７２１２（図１０５では見えない）との係合、ならびにひし形凹部４５６および４５８（図１０５では見えない）と線量計リーダー６９０２の保持タブ７２１８および７２２０（図１０５では見えない）とのそれぞれの係合によって回転することを妨げられる。図１０５は、図８８および８９に示される昇降台８４１２の位置に対応する位置のドロワ基部７２０２を示す。
【０２４４】
ユーザーは、線量計ドロワ３９１４のドロワハンドル７２０４を押し込み、放射線量計１０２は、ドロワ基部７２０２によって、作業領域ハウジング７２９４内に動かされる。放射線量計１０２は、作業領域ハウジング７２９４内に押し込まれるにつれて、保持タブ７２１８および７２２０は外に向かってに広がり、保持タブ７２１８の外レッグ７２３２のフット７２３６および保持タブ７２２０の外レッグ７２４２のフット７２４６は、図１０６に示されるように、ひし形凹部４５６および４５８の切下げ１０６０２および１０６０４とそれぞれ係合する。図９０および９１に関して上により詳細に記載したように、保持タブ７２１８および７２２０は、保持タブ７２１８および７２２０とドロワ基部７２０２の開口部７２２２および７２２４ならびにピニオンギア８６２２の湾曲したスロット９０３２および９０３４との相互作用のため、互いから外に向かって広げられる。図１０６に示される状態では、フット７２３６が、ひし形凹部４５６のリップ１０６１２を捕獲し、そしてフット７２４６がひし形凹部４５８のリップ１０６１４を捕獲し、それにより、放射線量計１０２は線量計ローディング／アンローディング領域６９３２から線量計作業領域６９３４まで動かされるにつれて、上方ハウジング１０４（図１０６に示さず）が下方ハウジング１０６から持ち上げられるので、保持タブ７２１８および保持タブ７２２０が、ドロワ基部７２０２上に下方ハウジング１０６を保持することを可能とする。保持タブ７２１８および７２２０は、図９３および９４に関して上記のように、ピニオンギア８６２２はラック８６３４に沿って動くにつれて、保持タブ７２１８および７２２０と、ピニオンギア８６２２のそれぞれ湾曲したスロット９０３２および９０３４との相互作用によって、外に向かって広げられる。
【０２４５】
相補的な下方ハウジング回転防止係合構造の特定の組み合わせ、すなわち、ドロワ基部上のＣ形状リッジを係合する下方ハウジング上のＣ形状凹部は、図１０３、１０４、１０５、１０６、１０７、１０８、１０９、１１０、１１１、１１２、１１３、１１４および１１５に示される本発明の実施形態にて使用されるが、回転防止係合構造の他の組み合わせが本発明にて使用されてもよい。例えば、ドロワ基部は、２つ以上のポストを備え得、そして下方ハウジングは、ポストを受け取りそして係合するための凹部を備え得る。
【０２４６】
下方ハウジング保持構造の特定の組み合わせ、すなわち、ひし形凹部のリップおよび切下げを係合する保持タブは、図１０３、１０４、１０５、１０６、１０７、１０８、１０９、１１０、１１１、１１２、１１３、１１４および１１５に示される本発明の実施形態にて使用されるが、方ハウジング保持構造の他の組み合わせが本発明にて使用されてもよい。
【０２４７】
図１０７は、側方からの図１０５の回転位置１０５０２の放射線量計１０２を示す。図１０８は、放射線量計１０２が、ドロワ基部７２０２によって作業領域ハウジング７２９４内に動かされることを示す。図１０８に示されるように、上方ハウジング１０４は、放射線量計１０２がドロワ基部７２０２によって作業領域ハウジング７２９４内に動かされるにつれて、ループリテーナ７２５６および７２６０がループリテーナ昇降台８６１２（図１０８では見えない）によって上昇される下方ハウジング１０６の上方に持ち上げられている。図１０９は、ドロワ基部７２０２によって作業領域ハウジング７２９４内さらに動かされた放射線量計１０２、およびループリテーナ７２５６および７２６０がループリテーナ昇降台８６１２（図１０９では見えない）によってさらに上昇されることによって下方ハウジング１０６からさらに持ち上げられている上方ハウジング１０４を示す。泡状クッション７２９６は、上方ハウジング１０４および下方ハウジング１０６のより詳細を示すために、図１０９から取り除かれている。
【０２４８】
図１１０、１１１および１１２は、作業領域ハウジング７２９４内に完全に押し込まれたドロワ基部７２０２を示す。放射線量計リーダー６９０２の線量計作業領域６９３４内の線量計準備位置１１１０２の放射線量計を示すために、図１１１ではハウジングカバー６９４０は、取り除いて示される。線量計準備位置１１１０２では、放射線量計１０２は、作業領域ハウジング７２９４、ハウジングカバー６９４０およびドロワハウジング７２０６によって光から完全に保護される。上部ハウジング１０４は、線量計準備位置１１１０２にてループリテーナ７２５６および７２６０によって下方ハウジング１０４の上方に完全に持ち上げられる。図１１０、１１１および１１２はまた、近位フラップ８４４０が、どのようにして開口部７４０２の下でフロアを形成するかを示す。
【０２４９】
図１１２は、下方ハウジング１０６と線量計スレッド６００が、どのようにして線量計準備位置１１１０２での線量計リーダー６９０２の様々な構成要素と相互作用をするかを示すために、上方ハウジング１０４が取り除かれた線量計準備位置１１１０２での放射線量計１０２を示す。線量計準備位置１１１０２では、スレッドスライダ７７１４の二股のタング８０３４が線量計スレッド６００のＵ形状戻り止め６７８と係合し、スレッドスライダ７７１４のＵ形状戻り止め８０４２は線量計スレッド６００のタング６７９と係合し、そしてスライダ７７１４のプッシャー端部８０４０が、線量計スレッド６００の端部側６６８に隣接する。二股のタング８０３４とＵ形状戻り止め６７８との係合およびＵ形状戻り止め８０４２とタング６７９との係合は、スライダ４２１４が、線量計スレッド６００が、直線方向に、読み取り領域６９３６内に引き出されることを可能とする。線量計準備位置１１１０２で、下方ハウジング１０６は引き続き、Ｃ形状溝４５４と係合するＣ形状リッジ７２１２によって回転することが妨げられる。線量計準備位置１１１０２で、下方ハウジング１０６は引き続き、保持タブ７２１８および７２２０から引き続きひし形凹部４５６および４５８のそれぞれのリップ１０６１２および１０６１４を捕獲することによって、ドロワ基部７２０２上に保持される。
【０２５０】
図１１０、１１１および１１２に示されるドロワ基部７２０２の位置は、図８８および８９に示される昇降台８４１２の位置に対応する。
【０２５１】
図１１３は、スレッドスライダ７７１４（図１１３では見えない）によって、壁７７０８内の開口部８０５２を通って下方ハウジング１０６のスレッド凹部４１２から線量計読み取り領域６９３６内に引き出される線量計スレッド６００を示す。
【０２５２】
図１１４は、ＯＳＬリーダー７７１２（図１１４では見えない）がＯＳＬセンサ６３０の直下にあり、ＯＳＬＭ６５２（図１１４では見えない）の曝露側６５８がＯＳＬリーダー７７１２に曝露される、コンパレータＯＳＬセンサ６３０用の読み取り位置１１４０２に引き出された線量計スレッド６００を示す。位置決めノッチ６８４（図１１４では見えない）が位置合わせ記号８０２２および位置合わせ記号８０３０と並べられる。読み取り位置１１４０２で、ＲＦＩＤタグ６６０は、ＲＦＩＤタグリーダー７６０４（図１１４では、より詳細な内部線量計読み取り領域６９３６を示すために、取り除かれている）によってまた読み取られる。
【０２５３】
図１１５は、ＯＳＬリーダー７７１２（図１１５では見えない）ＯＳＬセンサ６２８の直下にあり、ＯＳＬＭ６４２（図１１５では見えない）の曝露側６５０がＯＳＬリーダー７７１２に曝露される参照ＯＳＬセンサ６２８用の読み取り位置１１５０２に引き出された線量計スレッド６００を示す。位置決めノッチ６８２（図１１５では見えない）が、位置合わせ記号８０２２および位置合わせ記号８０３０と並べられる。読み取り位置１１５０２で、ＯＳＬセンサ６２８用の線量計スレッド６００上のエッチングされた位置合わせ記号１１５１２は、位置合わせ記号８０２２および位置合わせ記号８０３０と並べられる。図１１５は、ＯＳＬセンサ６２６用の線量計スレッド６００上のエッチングされた位置合わせ記号１１５１４もまた示す。
【０２５４】
参照ＯＳＬセンサ６２８が読み取られた後、スライダ７７１４は、線量計スレッド６００を、中性子感応性ＯＳＬセンサ６２６が、ＯＳＬリーダー７７１２の上で読み取られる位置にある読み取り位置（図示せず）へ引き出す。中性子感応性ＯＳＬセンサ６２６用の読み取り位置にて、ＯＳＬＭ６３２の曝露側６４０はＯＳＬリーダー７７１２へ曝露される。ＯＳＬセンサ６２６用の読み取り位置では、位置決めノッチ６８０が位置合わせ記号８０２２および位置合わせ記号８０３０と並べられる。また、ＯＳＬセンサ６２６用の読み取り位置では、エッチングされた位置合わせ記号１１５１４は、位置合わせ記号８０２２および位置合わせ記号８０３０と並べられる。
【０２５５】
コンパレータＯＳＬセンサ６３０、参照ＯＳＬセンサ６２８および中性子感応性ＯＳＬセンサ６２６がＯＳＬリーダー７７１２によってそれぞれ読み取られた後、スレッドスライダ７７１４は、線量計スレッド６００を、図１１０、１１１および１１２に示されるものと同一の構成で下方ハウジング１０６のスレッド凹部４１２内に押し戻す。ドロワハンドル７２０４上で引き出すことによって、ドロワハンドル７２０４は次いで引き戻され得、ドロワ基部７２０２は、図１０５および１０７に示されるものと同一の構成で線量計ローディング／アンローディング領域６９３２にある。ドロワ基部７２０２は、線量計ローディング／アンローディング領域６９３２の方向に動かされるにつれて、線量計上方ハウジング１０４は、ループリターナ７２５６および７２６０がループリターナ昇降部８６１２によって下げられることによって下げられる。また、放射線量計１０２ドロワ基部７２０２は、線量計ローディング／アンローディング領域６９３２の方向に動かされるにつれて、保持タブ７２１８および７２２０は内部に引っ込み、保持タブ７２１８の外レッグ７２３２のフット７２３６および保持タブ７２２０の外レッグ７２４２のフット７２４６はそれぞれ、ひし形凹部４５６および４５８の切下げ１０６０２および１０６０４をもはや係合しない。一旦、放射線量計１０２が線量計ローディング／アンローディング領域６９３２に戻されれば、上方ハウジング１０４は、ループ１２２および１２４を掴む個体によってループを掴み、そして上方ハウジング１０４を湾曲した矢印２２２に対向する方向に９０°回転させることによって、下方ハウジング１０６上にねじ込まれ得、放射線量計１０２は、図１０３および１０４に示される構成にある。放射線量計１０２は、次いでドロワ基部７２０２から取り外され得る。
【実施例】
【０２５６】
線量計試験を行って、異なるエネルギーの放射線に対する３つのＯＳＬセンサの応答を測定した。
【０２５７】
各５台の線量計のグループに、53keV、73keV、118keV、162keV、および662keVの平均エネルギーを有するガンマ線またはＸ線から、50mrem(5mSv)の深部線量（Hp10、または組織中10mmの深度で生じる線量として定義される）まで照射した。線量計を、直径7.3cmかつ高さ45cmのポリメチルメタクリレートから構成される手首を表す円筒状の模型上に備え付けた。曝露後、線量計を、上記かつ図面に示されるタイプの線量計リーダーを用いて読み出した。図１１６は、線量計中の３つのＯＳＬセンサの各々についての送達された深部線量のmremあたりの光子カウント数の単位にて平均発光量をプロットする。Ａｌと表示するセンサは、ＯＳＬＭとアルミニウムカップとの間にＰＴＦＥ変換フィルタを有するアルミニウムから構成される１つのエネルギー補償カップからなるＯＳＬセンサを言う。同様に、ＣｕＴを標識したセンサは、ＯＳＬＭとアルミニウムの内部カップとの間にＰＴＦＥ変換フィルタを有する、アルミニウムの内部エネルギー補償カップおよび銅の外部補填カップからなるＯＳＬセンサを言う。ＣｕＰを標識したセンサは、ＨＤＰＥ中性子変換フィルタがＰＴＦＥ変換フィルタの代わりに用いることを除き、ＣｕＴセンサに類似する。Ａｌセンサは、100keV未満のエネルギーを有するＸ線に対して増加応答を示し、これは銅外部カップのエネルギー補償効果を示す。図１１７は、662keVのガンマ線についての応答に対して正規化された同様のデータを表す。これは、試験した全てのエネルギーにて単位線量当たりの同様の応答を生じるフィルタのエネルギー補償効果を示す。図１１８は、参照センサであるＣｕＴに対するＡｌおよびＣｕＰセンサの相対応答を示す。このグラフは、ＣｕＴおよびＣｕＰセンサの間のガンマ線およびＸ線応答が同等であることを示し、ＣｕＴについて測定されるよりも大きいＣｕＰにおける応答が中性子線量に起因し得る。
【０２５８】
本発明を所定の実施形態を参照して開示する一方、記載の実施形態に対する多くの改変、置換および変換は、添付の請求の範囲に規定されるように、本発明の精神および範囲から逸脱することなく可能である。したがって、本発明は記載の実施形態に限定されず、以下の請求の範囲の文言およびその等価物により規定される全ての範囲を有することが意図される。
【図１】
0006019163.tif 000002
【図２】
0006019163.tif 000003
【図３】
0006019163.tif 000004
【図４】
0006019163.tif 000005
【図５】
0006019163.tif 000006
【図６】
0006019163.tif 000007
【図７】
0006019163.tif 000008
【図８】
0006019163.tif 000009
【図９】
0006019163.tif 000010
【図１０】
0006019163.tif 000011
【図１１】
0006019163.tif 000012
【図１２】
0006019163.tif 000013
【図１３】
0006019163.tif 000014
【図１４】
0006019163.tif 000015
【図１５】
0006019163.tif 000016
【図１６】
0006019163.tif 000017
【図１７】
0006019163.tif 000018
【図１８】
0006019163.tif 000019
【図１９】
0006019163.tif 000020
【図２０】
0006019163.tif 000021
【図２１】
0006019163.tif 000022
【図２２】
0006019163.tif 000023
【図２３】
0006019163.tif 000024
【図２４】
0006019163.tif 000025
【図２５】
0006019163.tif 000026
【図２６】
0006019163.tif 000027
【図２７】
0006019163.tif 000028
【図２８】
0006019163.tif 000029
【図２９】
0006019163.tif 000030
【図３０】
0006019163.tif 000031
【図３１】
0006019163.tif 000032
【図３２】
0006019163.tif 000033
【図３３】
0006019163.tif 000034
【図３４】
0006019163.tif 000035
【図３５】
0006019163.tif 000036
【図３６】
0006019163.tif 000037
【図３７】
0006019163.tif 000038
【図３８】
0006019163.tif 000039
【図３９】
0006019163.tif 000040
【図４０】
0006019163.tif 000041
【図４１】
0006019163.tif 000042
【図４２】
0006019163.tif 000043
【図４３】
0006019163.tif 000044
【図４４】
0006019163.tif 000045
【図４５】
0006019163.tif 000046
【図４６】
0006019163.tif 000047
【図４７】
0006019163.tif 000048
【図４８】
0006019163.tif 000049
【図４９】
0006019163.tif 000050
【図５０】
0006019163.tif 000051
【図５１】
0006019163.tif 000052
【図５２】
0006019163.tif 000053
【図５３】
0006019163.tif 000054
【図５４】
0006019163.tif 000055
【図５５】
0006019163.tif 000056
【図５６】
0006019163.tif 000057
【図５７】
0006019163.tif 000058
【図５８】
0006019163.tif 000059
【図５９】
0006019163.tif 000060
【図６０】
0006019163.tif 000061
【図６１】
0006019163.tif 000062
【図６２】
0006019163.tif 000063
【図６３】
0006019163.tif 000064
【図６４】
0006019163.tif 000065
【図６５】
0006019163.tif 000066
【図６６】
0006019163.tif 000067
【図６７】
0006019163.tif 000068
【図６８】
0006019163.tif 000069
【図６９】
0006019163.tif 000070
【図７０】
0006019163.tif 000071
【図７１】
0006019163.tif 000072
【図７２】
0006019163.tif 000073
【図７３】
0006019163.tif 000074
【図７４】
0006019163.tif 000075
【図７５】
0006019163.tif 000076
【図７６】
0006019163.tif 000077
【図７７】
0006019163.tif 000078
【図７８】
0006019163.tif 000079
【図７９】
0006019163.tif 000080
【図８０】
0006019163.tif 000081
【図８１】
0006019163.tif 000082
【図８２】
0006019163.tif 000083
【図８３】
0006019163.tif 000084
【図８４】
0006019163.tif 000085
【図８５】
0006019163.tif 000086
【図８６】
0006019163.tif 000087
【図８７】
0006019163.tif 000088
【図８８】
0006019163.tif 000089
【図８９】
0006019163.tif 000090
【図９０】
0006019163.tif 000091
【図９１】
0006019163.tif 000092
【図９２】
0006019163.tif 000093
【図９３】
0006019163.tif 000094
【図９４】
0006019163.tif 000095
【図９５】
0006019163.tif 000096
【図９６】
0006019163.tif 000097
【図９７】
0006019163.tif 000098
【図９８】
0006019163.tif 000099
【図９９】
0006019163.tif 000100
【図１００】
0006019163.tif 000101
【図１０１】
0006019163.tif 000102
【図１０２】
0006019163.tif 000103
【図１０３】
0006019163.tif 000104
【図１０４】
0006019163.tif 000105
【図１０５】
0006019163.tif 000106
【図１０６】
0006019163.tif 000107
【図１０７】
0006019163.tif 000108
【図１０８】
0006019163.tif 000109
【図１０９】
0006019163.tif 000110
【図１１０】
0006019163.tif 000111
【図１１１】
0006019163.tif 000112
【図１１２】
0006019163.tif 000113
【図１１３】
0006019163.tif 000114
【図１１４】
0006019163.tif 000115
【図１１５】
0006019163.tif 000116
【図１１６】
0006019163.tif 000117
【図１１７】
0006019163.tif 000118
【図１１８】
0006019163.tif 000119